(57)【要約】  本明細書は、植物用薬剤組成物、そのような組成物を含む製品、容器またはキットのほか、植物病害の病原体を防除する、あるいは植物の成長および／または果実の生産を増大させるための方法ならびに使用を開示する。【選択図】なし【特許請求の範囲】
【請求項１】
処理済み発酵微生物上清と１つまたは複数の非イオン界面活性剤とを含み、活性酵素も生存細菌も一切含まず、ｐＨが５．０未満である、植物用薬剤組成物。
【請求項２】
前記処理済み発酵微生物上清が、発酵酵母上清、発酵細菌上清、発酵カビ上清またはその任意の組合せに由来するものである、請求項１に記載の植物用薬剤組成物。
【請求項３】
前記発酵酵母上清が、ブレタノミセス属（Ｂｒｅｔｔａｎｏｍｙｃｅｓ）、カンジダ属（Ｃａｎｄｉｄａ）、シバーリンドネラ属（Ｃｙｂｅｒｌｉｎｄｎｅｒａ）、シストフィロバシディウム属（Ｃｙｓｔｏｆｉｌｏｂａｓｉｄｉｕｍ）、デバリオミセス属（Ｄｅｂａｒｙｏｍｙｃｅｓ）、デッケラ属（Ｄｅｋｋｅｒａ）、フサリウム属（Ｆｕｓａｒｉｕｍ）、ゲオトリクム属（Ｇｅｏｔｒｉｃｈｕｍ）、イサチェンキア属（Ｉｓｓａｔｃｈｅｎｋｉａ）、カザクスタニア属（Ｋａｚａｃｈｓｔａｎｉａ）、クロエケラ属（Ｋｌｏｅｃｋｅｒａ）、クリベロミセス属（Ｋｌｕｙｖｅｒｏｍｙｃｅｓ）、レカニシリウム属（Ｌｅｃａｎｉｃｉｌｌｉｕｍ）、ムコール属（Ｍｕｃｏｒ）、ニューロスポラ属（Ｎｅｕｒｏｓｐｏｒａ）、ペディオコッカス属（Ｐｅｄｉｏｃｏｃｃｕｓ）、ペニシリウム属（Ｐｅｎｉｃｉｌｌｉｕｍ）、ピキア属（Ｐｉｃｈｉａ）、リゾプス属（Ｒｈｉｚｏｐｕｓ）、ロドスポリディウム属（Ｒｈｏｄｏｓｐｏｒｉｄｉｕｍ）、ロドトルラ属（Ｒｈｏｄｏｔｏｒｕｌａ）、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、スリコスポロン属（Ｔｈｒｉｃｈｏｓｐｏｒｏｎ）、トルラスポラ属（Ｔｏｒｕｌａｓｐｏｒａ）、トルロプシス属（Ｔｏｒｕｌｏｐｓｉｓ）、バーティシリウム属（Ｖｅｒｔｉｃｉｌｌｉｕｍ）、ヤロウイア属（Ｙａｒｒｏｗｉａ）、ザイゴサッカロミセス属（Ｚｙｇｏｓａｃｃｈａｒｏｍｙｃｅｓ）またはジゴサッカロミセス属（Ｚｙｇｏｔｏｒｕｌａｓｐｏｒａ）に属する酵母種から得られるものである、請求項２に記載の植物用薬剤組成物。
【請求項４】
前記発酵酵母上清が酵母サッカロミセス・セレビシエ（Ｓａｃｃｈａｒｏｍｙｃｅｓ  ｃｅｒｅｖｉｓｉａｅ）から得られるものである、請求項３に記載の植物用薬剤組成物。
【請求項５】
前記処理済み発酵微生物上清を少なくとも３５重量％含む、請求項１〜４のいずれか１項に記載の植物用薬剤組成物。
【請求項６】
前記処理済み発酵微生物上清を最大９５重量％含む、請求項１〜５のいずれか１項に記載の植物用薬剤組成物。
【請求項７】
前記非イオン界面活性剤が、ポリエーテル系非イオン界面活性剤、ポリヒドロキシル系非イオン界面活性剤および／またはバイオ界面活性剤を含む、請求項１〜６のいずれか１項に記載の植物用薬剤組成物。
【請求項８】
前記ポリヒドロキシル系非イオン界面活性剤が、スクロースエステル、エトキシ化スクロースエステル、ソルビタールエステル、エトキシ化ソルビタールエステル、アルキルグルコシド、エトキシ化アルキルグルコシド、ポリグリセロールエステルまたはエトキシ化ポリグリセロールエステルを含む、請求項７に記載の植物用薬剤組成物。
【請求項９】
前記非イオン界面活性剤が、アミンオキシド、エトキシ化アルコール、エトキシ化脂肪族アルコール、アルキルアミン、エトキシ化アルキルアミン、エトキシ化アルキルフェノール、アルキルポリサッカライド、エトキシ化アルキルポリサッカライド、エトキシ化脂肪酸、エトキシ化脂肪アルコールまたはエトキシ化脂肪アミンあるいは一般式Ｈ（ＯＣＨ２ＣＨ２）ｘＯＣ６Ｈ４Ｒ１、（ＯＣＨ２ＣＨ２）ｘＯＲ２またはＨ（ＯＣＨ２ＣＨ２）ｘＯＣ（Ｏ）Ｒ２を有し、式中、ｘが、アルキルフェノールおよび／または脂肪アルコールもしくは脂肪酸に付加されたエチレンオキシドのモル数を表し、Ｒ１が長鎖アルキル基を表し、Ｒ２が長鎖脂肪族基を表す非イオン界面活性剤を含む、請求項１〜８のいずれか１項に記載の植物用薬剤組成物。
【請求項１０】
Ｒ１がＣ７〜Ｃ１０ノルマルアルキル基であり、かつ／またはＲ２がＣ１２〜Ｃ２０脂肪族基である、請求項９に記載の植物用薬剤組成物。
【請求項１１】
前記非イオン界面活性剤が、エトキシ化ノニルフェノール、エトキシ化オクチルフェノール、エトキシ化セト−オレイルアルコール、エトキシ化セト−ステアリルアルコール、エトキシ化デシルアルコール、エトキシ化ドデシルアルコール、エトキシ化トリデシルアルコールまたはエトキシ化ヒマシ油である、請求項１〜１０のいずれか１項に記載の植物用薬剤組成物。
【請求項１２】
前記１つまたは複数の非イオン界面活性剤を約１重量％〜約１５重量％含む、請求項１〜１１のいずれか１項に記載の植物用薬剤組成物。
【請求項１３】
前記１つまたは複数の非イオン界面活性剤を約５重量％〜約１３重量％含む、請求項１２に記載の植物用薬剤組成物。
【請求項１４】
前記１つまたは複数の非イオン界面活性剤を約７重量％〜約１１重量％含む、請求項１３に記載の植物用薬剤組成物。
【請求項１５】
１つまたは複数の陰イオン界面活性剤をさらに含む、請求項１〜１４のいずれか１項に記載の植物用薬剤組成物。
【請求項１６】
前記１つまたは複数の陰イオン界面活性剤を約０．５重量％〜約１０重量％含む、請求項１５に記載の植物用薬剤組成物。
【請求項１７】
前記１つまたは複数の陰イオン界面活性剤を約１重量％〜約８重量％含む、請求項１６に記載の植物用薬剤組成物。
【請求項１８】
前記１つまたは複数の陰イオン界面活性剤を約２重量％〜約６重量％含む、請求項１７に記載の植物用薬剤組成物。
【請求項１９】
前記ｐＨが最大４．５である、請求項１〜１８のいずれか１項に記載の植物用薬剤組成物。
【請求項２０】
前記ｐＨが約３．７〜約４．２である、請求項１９に記載の植物用薬剤組成物。
【請求項２１】
抗菌剤をさらに含む、請求項１〜２０のいずれか１項に記載の植物用薬剤組成物。
【請求項２２】
ヒト、哺乳動物、植物および環境に対して実質的に無毒性である、請求項１〜２１のいずれか１項に記載の植物用薬剤組成物。
【請求項２３】
生分解性である、請求項１〜２２のいずれか１項に記載の植物用薬剤組成物。
【請求項２４】
植物病害の病原体を防除する方法であって、病原体が寄生した１つもしくは複数の植物に有効量の請求項１〜２３のいずれか１項で定められる植物用薬剤組成物を適用することおよび／または前記病原体が前記植物用薬剤組成物に曝露されるように１つもしくは複数の場所に有効量の請求項１〜２３のいずれか１項で定められる植物用薬剤組成物を適用することを含み、前記植物用薬剤組成物の適用により、防除しようとする前記病原体に有害作用がもたらされる、方法。
【請求項２５】
植物の成長および／または作物の生産を増大させる方法であって、１つもしくは複数の植物に有効量の請求項１〜２３のいずれか１項で定められる植物用薬剤組成物を適用することおよび／または植物用薬剤組成物に前記１つもしくは複数の植物を曝露する１つもしくは複数の場所に有効量の請求項１〜２３のいずれか１項で定められる植物用薬剤組成物を適用することを含み、前記植物用薬剤組成物の適用により、根毛による吸収の改善、木部を通る木部樹液流の改善および師部での光合成産物流の改善、土壌からの水、ミネラルおよびその他の栄養素の吸収の増大、木部での毛管作用および／または静水圧の増大ならびに／あるいは化合物およびエネルギーの合成の増大ならびに／あるいは木部樹液流および／または光合成産物流を阻害する１つまたは複数の成分の破壊がもたらされる、方法。
【請求項２６】
灌漑システムの効率を維持または改善する方法であって、前記灌漑システムのパイプライン網内の１つまたは複数のパイプに有効量の請求項１〜２３のいずれか１項で定められる植物用薬剤組成物を適用することを含み、前記植物用薬剤組成物の適用により、灌漑システムの１つまたは複数のパイプライン網を阻害する１つまたは複数の成分が十分に除去される、方法。
【請求項２７】
植物病害の防除への有効量の請求項１〜２３のいずれか１項で定められる植物用薬剤組成物の使用。
【請求項２８】
植物の成長および／または作物の生産の増大への有効量の請求項１〜２３のいずれか１項で定められる植物用薬剤組成物の使用。
【請求項２９】
灌漑システムの効率の維持または改善への有効量の請求項１〜２３のいずれか１項で定められる植物用薬剤組成物の使用。
【発明の詳細な説明】
【技術分野】
【０００１】
本願は、２０１５年８月２２日に出願された米国仮特許出願第６２／２０８，６６２号の優先権の利益および出願日を主張するものであり、上記出願の内容はその全体が参照により本明細書に組み込まれる。
【背景技術】
【０００２】
農業は世界にとって最も重要なものである。農業は世界に食糧を供給するのに不可欠な存在であるのみならず、すべての国とは言わないまでも、ほとんどの国の経済にとって経済的に極めて重要なものである。農作物の収量に影響を与え得る３つの要因が、植物病害、好ましくない成長条件および非効率的な栽培である。
【０００３】
感染性植物病害による損失が壊滅的な人道的影響を及ぼすことがあり、その場合、作物の損失によって飢餓、飢饉および餓死がもたらされる。さらに、植物病害による損失が重大な経済的影響をもたらし、作物の生産者および販売者の収入が減少し、消費者への価格が上昇することもある。感染性植物病害の防除方法が全くないしほとんどない状況では、主要作物の年間損失率が３０％〜５０％となるのはよくあることである。農薬を主体とする従来の植物用薬剤技術により農業生産性が向上した。しかし、農薬の使用は、例えば消費者への負担が増大し、作物の生産者および販売者の収入が減少するなど、負の影響をもたらすことから、不利な状況に陥っている。さらに、農薬が環境に及ぼす悪影響に関して社会的関心が高まりつつある。このため、農業上重要な作物の植物病害を防ぐことが作物収量を向上させるうえで極めて重要である。
【０００４】
このほか、世界中の様々な生態系に組み込まれている作物植物が、植物の健康および活力に悪影響を及ぼす好ましくない成長条件に曝されている。このような理想的とは言えない条件は通常、土壌条件もしくは気候条件または極端な温度、水分と酸素との間の不利な関係、土壌もしくは大気中の毒性物質および必須ミネラルの過剰もしくは欠乏を含めた様々なストレスに起因する。良好な成長条件下であっても、程度の差はあれ、このような因子が作物の生産性を低下させることがある。このため、農業上重要な作物の成長条件を改善することが作物収量を向上させるうえで極めて重要である。
【０００５】
最後に、世界人口の増加に伴う農業用地の減少により、作物生産性を最適化するだけでなく、栽培効率も高めるよう圧力が高まっている。さらに、世界的な人口増加の加速と農業用地の減少がともに続けば、作物収量を増大させることの必要性は増大する一方である。このため、農業上重要な作物の生産性を高めることが作物収量を向上させるうえで不可欠である。
【０００６】
したがって、植物が植物病害、成長条件の不良によるストレスを受けているのか、あるいは植物が健康であり、かつ／または好ましい条件下で成長していてもなお、栽培効率および生産性の向上が必要とされるのかに関係なく、植物の健康および活力を増進し環境に害のない処置方法が大いに必要とされる。このような処置方法は、ヒトの福祉および環境を保護するため、農薬を完全になくすとは言わないまでも、その量を減らすものでもあるべきである。
【発明の概要】
【０００７】
本明細書の態様は植物用薬剤組成物を開示する。本開示の植物用薬剤組成物は、処理済み発酵微生物上清と１つまたは複数の非イオン界面活性剤とを含む。本開示の植物用薬剤組成物は、１つまたは複数の陰イオン界面活性剤をさらに含み得る。本開示の植物用薬剤組成物は、生分解性であり、ヒト、哺乳動物、植物および環境に対して無毒性である。
【０００８】
本明細書の諸態様は植物用薬剤キットを開示する。本開示の植物用薬剤キットは、本明細書に開示される植物用薬剤組成物と、同組成物を用いて植物の健康および／または活力を改善または最適化する方法に関する指示書とを含む。
【０００９】
本明細書の諸態様は、植物病害を防除する方法を開示する。本開示の方法は、１つもしくは複数の植物および／または植物病害の防除が望まれる１つもしくは複数の場所に有効量の本明細書に開示される植物用薬剤組成物を適用することを含む。
【００１０】
本明細書の諸態様は、植物の成長および／または果実の生産を増大させる方法を開示する。本開示の方法は、１つまたは複数の植物ならびに／あるいは植物の成長および／または果実の生産の増大が望まれる１つまたは複数の場所に有効量の本明細書に開示される植物用薬剤組成物を適用することを含む。
【００１１】
本明細書の諸態様は、植物病害の防除への植物用薬剤組成物の使用を開示する。本開示の使用は、１つもしくは複数の植物および／または植物病害の防除が望まれる１つもしくは複数の場所に本明細書に開示される植物用薬剤組成物を適用することを含む。
【００１２】
本明細書の諸態様は、植物の成長および／または果実の生産の増大への植物用薬剤組成物の使用を開示する。本開示の使用は、１つまたは複数の植物ならびに／あるいは植物の成長および／または果実の生産の増大が望まれる１つまたは複数の場所に有効量の本明細書に開示される植物用薬剤組成物を適用することを含む。
【発明を実施するための形態】
【００１３】
（詳細な説明）
植物が、その正常な構造、成長、機能または他の活動を妨げる異常な生理的過程をもたらす何らかの病原体によって絶えず妨害されると、病気になる。植物に不可欠な生理的システムまたは生化学的システムのうち１つまたは複数のものがこのような干渉を受けると、特徴的な病態または症状が誘発される。植物病害は、病原性生物、例えば真菌、細菌、マイコプラズマ、ウイルス、ウイロイド、センチュウなどが原因である。感染性病原体は、伝染性であり、その宿主内で繁殖し、ある感受性宿主から別の宿主に拡散することが可能である。植物病害は、その一次病原体の性質によって大別することができる。このような一次病原体としては、ウイルスのほか、真菌および細菌などの微生物ならびにセンチュウなどの動物が挙げられる。ただ、このような一次病原体を原因とする植物病害を処置するうえで厄介なことの１つに、上記の病原体は通常、何らかの構造によって環境から保護されている点がある。このような防御構造は、その病原体の健康を維持するのに不可欠であるのみならず、病原体を破壊するよう設計された化合物からそれを遮蔽する役割もある。
【００１４】
ビリオンとして知られる完全ウイルス粒子は、キャプシドと呼ばれる保護作用のあるタンパク質の被覆に取り囲まれた核酸からなる。キャプシドは、ウイルスの遺伝物質を取り囲み、タンパク質からなりプロトマーと呼ばれる複数のオリゴマー構造のサブユニットで構成されている。一部のウイルスは、外被で覆われている、つまり、キャプシドがウイルス外被として知られる脂質膜で覆われている。この外被は、キャプシドがウイルス宿主の細胞内膜から確保するものであり、このような細胞内膜の例としては、核内膜、ゴルジ膜および細胞の外膜が挙げられる。
【００１５】
微生物、例えば細菌、マイコプラズマ（細菌壁のない細菌）および特定の真菌などは、一般に細胞外核酸、タンパク質および多糖からなる生体高分子のポリマー集塊を分泌し、これが細胞外ポリマー物質（ＥＰＳ）のマトリックスを形成する。このＥＰＳマトリックスに細胞が埋め込まれ、細胞同士が接着するほか、細胞が任意の生存（生体）表面または非生存（非生体）表面に接着して、バイオフィルムまたは粘液層と呼ばれる固着性の微生物集団を形成する。バイオフィルムコロニーは、水溶液に浸漬または曝露される固体基質上に形成されたり、液体表面に浮遊するマットになったりすることもある。
【００１６】
バイオフィルムの発達段階には、初期付着、不可逆的付着、成熟Ｉ、成熟ＩＩおよび分散の５段階がある。バイオフィルム形成は最初、浮遊性の浮遊微生物が表面に付着することから始まる。この最初の定着物は最初、ファンデルワールス力による弱い可逆的接着力を介して表面に接着する。この定着物は、短時間で表面から分離することがなければ、ＥＰＳマトリックスの分泌および線毛などの細胞接着構造物の形成によって恒久的に固定される（不可逆的付着）。コロニー形成が始まると、埋め込まれた微生物の細胞分裂と新たな動員の組合せによりバイオフィルムが成長する（成熟ＩおよびＩＩ）。微生物が分泌する細胞外生体高分子に加えて、バイオフィルムは周囲の環境から、特に限定されないがミネラル、土壌粒子および生体構成成分を含めた材料も取り込むことができる。成熟ＩおよびＩＩは、バイオフィルムが確立され、形状および大きさのみが変化し得る段階である。バイオフィルム形成の最終段階は分散として知られ、この段階では、微生物がバイオフィルムから放出され、分散して新たな表面に定着する浮遊増殖相に入る。
【００１７】
バイオフィルム内に生息する微生物は、同じ種の浮遊性の浮遊微生物とは生理学的に異なり、特性も大きく異なっている。このような差が生じる理由の１つとして、バイオフィルムによって微生物が環境から保護され、様々な方法で協同および相互作用することが可能になるということがある。例えば、バイオフィルムによって微生物の界面活性剤および抗生物質に対する耐性が高まることがわかっている。さらに、バイオフィルム内では水平遺伝子伝達が極めて容易になり、バイオフィルム構造の安定性が増大する。このほか、バイオフィルム内の微生物は、Ｎ−アシルホモセリンラクトン（ＡＨＬ）などの産物を用いるクオラムセンシング（ＱＳ）を介して互いにコミュニケーションを取ることができる。したがって、バイオフィルムは、環境との危険を孕む相互作用から微生物を遮断することによって、これを保護するのに不可欠かつ極めて重要な役割を担っている。
【００１８】
微生物より大きい生物も何らかの構造によって環境から保護されている。センチュウには、重合体のタンパク質性細胞外マトリックスであるクチクラを有する。センチュウのクチクラは、大部分が多核体の下皮と呼ばれる上皮細胞層がその頂端膜から様々なタンパク質を分泌し、次いで、これが下皮の外表面でペルオキシダーゼにより広範囲にわたって架橋されてクチクラが形成されたとき形成される。この柔軟なクチクラの主成分は、コラーゲンスーパーファミリーのメンバーおよび高度に架橋された不溶性のタンパク質であるクチクリンである。クチクラを覆っているのが脂質に富む三層のエピクチクラであり、エピクチクラそのものは、緩く結合した糖タンパク質に富む負荷電外被（またはグリコカリックス）に覆われている。この多機能性の細胞外構造は、不浸透性の高いバリアとなってセンチュウを乾燥および病原性感染から保護するほか、構造的枠組みとなってセンチュウの体の形態および完全性を維持し、環境からの侵襲による機械的損傷を防ぎ、体壁筋への付着を介して移動運動を可能にする。したがって、センチュウのクチクラは、センチュウの完全性および環境との相互作用を保持するのに不可欠かつ極めて重要な役割を担っている。
【００１９】
このように、植物病害の一次病原体、例えばウイルス、細菌、真菌およびセンチュウなどにみられる防御構造は、これらの病原体の生存に不可欠なものであるばかりでなく、環境から病原体を保護するものでもある。したがって、植物病害の一次病原体の防御構造を妨害するか、または破壊する処置方法があれば極めて有益なものとなる。
【００２０】
植物または緑色植物は、植物界に属し緑色植物門を形成する多細胞真核生物である。緑色植物には、顕花植物、針葉樹および他の裸子植物、シダ植物、ヒカゲノカズラ類、ツノゴケ類、苔類、蘚類および緑藻類が含まれるが、紅藻類類、褐藻類、真菌、古細菌、細菌および動物は含まれない。植物は、そのエネルギーの大部分を葉緑体を用いる光合成により日光から得ることを特徴とする。葉緑体にはクロロフィルａおよびクロロフィルｂが含まれており、このため緑色を呈する。植物はほかにも、セルロースの厚い細胞壁、貯蔵のための中心液胞、色素を貯蔵する色素体、有性生殖、モジュールおよび無限成長ならびに世代交代がみられることを特徴とするが、無性生殖もよくみられる。
【００２１】
典型的な植物は構造上、根系およびシュート系の２つの主要な区画で構成されている。根系は通常、地中にあり、主根と側根のほか、茎の構造が変形してできた塊茎および根茎などがこれに含まれる。この系は、植物を土壌に固定し、地中から水および栄養素を吸収し、植物体全体に水および栄養素を輸送し、食物を貯蔵し、特定のホルモンを分泌するよう機能する。シュート系は通常、地上にあり、茎、葉および生殖器官がこれに含まれる。この系は、植物を土壌よりも高い位置に持ち上げ、光合成を行い、繁殖を行い、植物体全体に水および栄養素を輸送し、食物を貯蔵し、特定のホルモンを分泌するよう機能する。
【００２２】
植物体全体に資源を分配する維管束組織を持つ植物は維管束植物と呼ばれる。維管束植物は管束植物としても知られ、植物体全体に水およびミネラルを通導するリグニン化した維管束組織（木部）と光合成産物を通導する特殊なリグニン化していない維管束組織（師部）とを有する陸生植物と定義される。維管束植物には、ヒカゲノカズラ類、トクサ類、シダ植物、裸子植物（針葉樹を含む）および被子植物（顕花植物）が含まれる。このグループの学名にはＴｒａｃｈｅｏｐｈｙｔａおよびＴｒａｃｈｅｏｂｉｏｎｔａがある。
【００２３】
木部は、成熟時に死細胞からなる維管束組織である。木部は、根から植物体全体に木部樹液を一方向に輸送する。木部樹液には水、可溶性無機栄養素および無機イオンが含まれているが、ほかにも数種類の有機化学物質が含まれていることがある。木部内での木部樹液の移動は受動的なものであり、重力に対抗する平衡配置を確立する力を生じる毛管作用に依存する。この毛管作用は主に、蒸散作用による吸引力および根圧という２つの機序を介して起こる。蒸散作用による吸引力は、葉の細胞表面から水が蒸発することによって表面張力が発生して木部内に陰圧が生じ、この陰圧が根および土壌から木部樹液を吸い上げるのに十分な力を発生させることによるものである。根圧は、土壌よりも根細胞の方が溶質濃度が高く負の水ポテンシャルが高いことによって浸透作用が生じて陽圧が発生することによるものであり、この陽圧により、木部樹液が葉に向かって木部を昇る。
【００２４】
師部には、１）管を形成し師要素と呼ばれる通導細胞；２）特殊化した伴細胞またはタンパク細胞および非特殊化細胞の両方を含む実質細胞；ならびに３）機械的な支持を担う繊維および厚膜細胞などの支持細胞からなる、生きた維管束組織が含まれる。師要素には核がなく、細胞小器官もほとんどないため、代謝に必要なものの大部分を伴細胞またはタンパク細胞に依存する。師部は、植物の光合成領域（主として葉）で作られた光合成産物（または樹液）を、それを必要とする他のあらゆる植物体部位、特に植物体の根などの非光合成部位または塊茎もしくは球根などの貯蔵構造物に多方向に輸送する。光合成産物は、光合成過程で作られた糖および他の可溶性有機栄養素に富む水溶液である。師部内での光合成産物の移動は、正の静水圧を原動力とするものである。この過程は転流と呼ばれ、師部積み降ろしと呼ばれる過程によって行われる。糖源中の細胞が、溶質分子を師管要素内に能動的に輸送することによって師管要素に「荷を積み込む」。これにより水が浸透作用によって師管要素内に移動し、管内の樹液を押し下げる圧力が生じる。糖受容部では、細胞が師管要素から溶質を能動的に輸送して逆の作用を生じさせる。
【００２５】
根系は植物の器官であり、通常、土壌の表面よりも下にある。構造的には、根は表皮、皮層、内皮、内鞘および維管束系で構成されている。表皮は外側の細胞層である。皮層は根の主要な構造組織であり、外側に表皮が隣接し内側に内皮が隣接している。内皮は皮層と内鞘とを隔てる組織であり、ここから側根（または岐根）が生じる。根の中心部は、木部と師部とからなる維管束組織である。根系は主根、側根および根毛を含み、３つの成長領域に分けられる。成熟帯は根系の一部分であり、土壌から水および栄養素を吸収し木部を通してシュート系内に輸送する主根、側根および根毛の成熟部分を含む。伸長帯は、新たに分裂した細胞が大きくなる場所である。分裂帯は、根端分裂組織と根冠とからなり、細胞分裂および新たな細胞増殖が起こる領域である。
【００２６】
根毛は、根の表皮細胞が伸長した吸収能をもつ単一の細胞である。この極めて小さい毛様構造物は、水およびミネラルを取り込む主要な部位として機能する。根毛に付随し植物と有益な共生関係を築く有益な微生物が存在する。菌根は土壌真菌であり、根と土壌面との接触面積を大きくして水および栄養素の取込みを増大させると考えられる。根粒菌は土壌細菌の一種であり、通常、植物の根に根粒を形成することにより、大気中の窒素を植物が利用できる形にする。
【００２７】
木部樹液と光合成産物がともに適切に輸送されることは、植物の生存に不可欠なものである。したがって、この輸送過程の促進が植物の健康に利益をもたらすことになる。例えば、根毛での吸収が向上すると、植物の成長に必要な水、ミネラルおよびその他の栄養素の量が増大する。これと同じように、維管束組織内での木部樹液および光合成産物の流れが改善されると、植物の成長の維持および継続に必要な化合物およびエネルギーの合成が効果的かつ効率的になる。
【００２８】
それに対し、木部樹液および光合成産物の移動を妨害したり中断させたりする障害があると、植物の健康状態に影響を及ぼす。例えば、高温、高湿度、暗黒または渇水によって蒸散作用による吸引が妨害されると、木部の負の水圧が大幅に低下し、木部樹液の流れに支障を来たす。これと同じように、好ましくない環境条件によって根毛による水および栄養素の吸収に支障を来たし根圧が妨害されると、木部の正の水圧が大幅に低下し、木部樹液の流れに支障を来たし得る。また別の例として、師部での光合成産物流が妨害されると、栄養素の分配に支障を来たす。上記のいずれの場合も、そのような流れの妨害が原因となって、萎れ、枯れ、成長不全および繁殖力低下につながるほか、植物病害および好ましくない環境条件に対する感受性が高くなることがある。農業に関して言えば、そのような流れの妨害が最終的には作物の収量低下につながる。したがって、木部および師部のそれぞれ木部樹液および光合成産物流を促進、維持または増進する処置方法があれば極めて有益なものとなる。
【００２９】
灌漑とは、土地または土壌に人為的に水を散布することである。灌漑は、乾燥地域で降水量が不十分な時期に農作物の栽培、景観の維持および荒れた土壌の植生回復を促すために用いられる。このほか作物生産への用途もいくつかあり、このようなものとして、植物の霜からの保護、雑草成長の抑制および土壌固化の防止が挙げられる。これに対し、直接的な降雨にのみ依存する農業は天水栽培または乾燥地農業と呼ばれる。
【００３０】
灌漑の目的は、それぞれの植物に水が多過ぎず少な過ぎず必要な量だけ行き渡るよう田畑全体に水を均一に供給することである。頭上灌漑またはスプリンクラー灌漑は、水を高圧下で配管網を通して田畑内の１つまたは複数の中心部まで分配し、オーバーヘッドスプリンクラーまたはスプレーガンによって散布する方式である。このほか、手動または自動で田畑の異なる領域まで移動させることが可能なプラットフォームにスプリンクラーを取り付けることができる。頭上灌漑法の種類としては、センターピボット灌漑、移動式スプリンクラー灌漑、側方移動灌漑およびホイールライン灌漑がある。局所灌漑は、水を低圧下で配管網を通して所定のパターンで分配し、それぞれの植物またはそれに隣接する植物に少量放出する形で散布する方式である。局所灌漑法の種類としては、点滴灌漑、スプレーまたはマイクロスプリンクラーによる灌漑およびバブラー灌漑がある。局所灌漑法は、水を必要量のみ供給し、蒸発および流出が最小限に抑えられることから、水を最も効率的に利用できる灌漑法であると言える。
【００３１】
市販されている住宅用の灌漑システムは、大部分が「地中式」のシステム、つまり、あらゆるものが地中に埋まっているものである。パイプ、スプリンクラー、エミッタ（ドリッパ）および灌水バルブが隠れているため、手で移動させなければならない水撒き用ホースまたは他の道具がなくなり、景観がすっきりした体裁の良いものとなる。しかし、これにより、完全に埋まったシステムを管理するうえで不利な点がいくつか生じる。
【００３２】
灌漑ではいくつか問題が起こり得る。例えば、オーバーヘッド灌漑システムおよび局所灌漑システムの配管網は、藻および他の微生物が増殖してバイオフィルムを形成することによって詰まりを起こし、配水に異常を来たす。このような配水不良により、好ましくない成長条件が生じ、植物の健康および活力に悪影響を及ぼすことがある。例えば、配水に一貫性がなくなると、均一であった分配に不均衡が生じることにより田畑の一部に灌漑不足または過剰灌漑が起こり、灌漑不足により土壌塩度が増大して土壌表面に有害な塩が堆積し、灌漑不足または過剰灌漑による作物の不作が起こり、植物病害が蔓延する。したがって、局所灌漑システムおよび頭上灌漑システムの水の流れを促進、維持または増進する処置方法があれば極めて有益なものとなる。
【００３３】
理論に制約されるのを望むわけではないが、本開示の植物用薬剤組成物は、ウイルス、細菌、真菌およびセンチュウなどの植物病害の病原体に存在する防御構造の１つまたは複数の成分を溶解させるか、分散させるか、または別の方法で破壊し、それにより１つまたは複数の不可欠な生理的過程が破壊されることによって病原体の死滅がもたらされる。この作用機序は、本明細書に開示される植物用薬剤組成物がウイルスのキャプシド、微生物のバイオフィルムおよびセンチュウのクチクラの脂質系膜エピクチクラ層を破るなどして破裂させることが可能であることと関係がある。開示される植物用薬剤組成物を適用する方法は、病原体に存在する防御構造の１つまたは複数の成分が十分に破壊され、次いで、不可欠な生理的過程の破壊によって病原体が死滅するように、病原体への直接的適用によって、病原体が開示の植物用薬剤組成物に曝露される場所を処置することによって間接的に、あるいは病原体を本開示の植物用薬剤組成物に曝露する他の任意の方法によって、外部曝露により実施される。
【００３４】
さらに、理論に制約されるのを望むわけではないが、本開示の植物用薬剤組成物は、根毛による吸収を改善し、木部を通る木部樹液流を改善し、師部での光合成産物流を改善し、それにより植物の健康および活力を維持および／または増進する水および栄養素の輸送の改善がもたらされる。この作用機序は、本明細書に開示される植物用薬剤組成物が土壌からの水、ミネラルおよびその他の栄養素の吸収を増大させ、木部での毛管作用および／または静水圧を増大させ、かつ／あるいは化合物およびエネルギーの合成を増大させ、それにより植物の成長を維持および継続させ、かつ／あるいは植物の健康および活力を増進することが可能であることと関係がある。開示される植物用薬剤組成物を適用する方法は、水、ミネラルおよびその他の栄養素の吸収が改善され、植物体全体の上記原料の輸送が改善され、かつ／または植物の成長の維持および継続に必要な化合物およびエネルギーの合成が改善されるように、植物への直接的適用によって、植物が開示の植物用薬剤組成物に曝露される場所を処置することによって間接的に、あるいは植物を本開示の植物用薬剤組成物に曝露する他の任意の方法によって、外部曝露により実施される。
【００３５】
同様に、理論に制約されるのを望むわけではないが、本開示の植物用薬剤組成物は、木部での木部樹液流および／または師部での光合成産物流を阻害する１つまたは複数の成分を溶解させるか、分散させるか、または別の方法で除去し、それにより植物の健康および活力を維持および／または増進する水および栄養素の輸送の改善がもたらされる。この作用機序は、本明細書に開示される植物用薬剤組成物が、木部および師部の流路を阻害する１つまたは複数の成分を溶解させるか、または別の方法で除去することが可能であることと関係がある。開示される植物用薬剤組成物を適用する方法は、木部樹液流および／または光合成産物流を阻害する１つまたは複数の成分が十分に破壊され、次いで植物体全体の水および栄養素の輸送が改善されるように、植物への直接的適用によって、植物が開示の植物用薬剤組成物に曝露される場所を処置することによって間接的に、あるいは植物を本開示の植物用薬剤組成物に曝露する他の任意の方法によって、外部曝露により実施される。一実施形態では、木部樹液流および／または光合成産物流を阻害する１つまたは複数の成分にはバイオフィルムが含まれる。
【００３６】
さらに、理論に制約されるのを望むわけではないが、本開示の植物用薬剤組成物は、灌流システムのパイプライン網内の水流を阻害する１つまたは複数の成分を溶解させるか、分散させるか、または別の方法で除去し、それにより植物の健康および活力を維持および／または増進する配水の改善がもたらされる。この作用機序は、本明細書に開示される植物用薬剤組成物が、パイプライン網を阻害する１つまたは複数の成分を溶解させるか、または別の方法で除去することが可能であることと関係がある。開示される植物用薬剤組成物を適用する方法は、パイプライン網を阻害する１つまたは複数の成分が十分に除去され、次いでパイプライン網全体の水輸送が改善されるように、灌漑システムのパイプライン網への直接的適用によって、あるいはパイプライン網を本開示の植物用薬剤組成物に曝露する他の任意の方法によって、外部曝露により実施される。一実施形態では、パイプライン網を阻害する１つまたは複数の成分にはバイオフィルムが含まれる。
【００３７】
動作理論に関係なく、本開示の植物用薬剤組成物ならびに方法および使用は、ヒトや環境に有毒な化学薬品に依存しない代替手段となる。それどころか、本明細書に開示される植物用薬剤組成物ならびに方法および使用は、生得的な過程を利用することによって、原料の吸収および輸送を改善するほか、成長を維持するための化合物およびエネルギーの合成を改善するように作用する。これと同様に、本明細書に開示される植物用薬剤組成物ならびに方法および使用は、病原体そのものの脆弱性を利用することによって、その環境、植物の木部樹液流および／または光合成産物流を阻害する１つまたは複数の成分あるいは灌漑システムの水流を阻害する１つまたは複数の成分に作用する。さらに、本開示の植物用薬剤組成物の成分は、ヒトおよび家畜に対して実質的に無毒性であり、野生動物および環境に対する有害作用が最小限のものであることが明らかになっている。
【００３８】
本明細書の諸態様は、部分的には植物用薬剤組成物を開示する。本明細書に開示される植物用薬剤組成物は、処理済み発酵微生物上清と１つまたは複数の非イオン界面活性剤とを含む。処理済み発酵微生物上清中には、酵母または細菌などの生きた微生物が一切存在せず、さらには、活性な酵素も活性化可能なプロ酵素も一切存在せず、酵素活性も一切みられない。さらに、植物用薬剤組成物そのものには、酵母または細菌などの生きた微生物が一切存在せず、さらには、活性な酵素も活性化可能なプロ酵素も一切存在せず、酵素活性も一切みられない。
【００３９】
この実施形態の一態様では、本明細書に開示される植物用薬剤組成物は、例えば、約７５％〜約９９％の処理済み発酵微生物上清と、約１％〜２５％の１つまたは複数の非イオン界面活性剤とを含む。この実施形態の別の態様では、本明細書に開示される植物用薬剤組成物は、例えば、約８０％〜約９７％の処理済み発酵微生物上清と、約３％〜２０％の１つまたは複数の非イオン界面活性剤とを含む。この実施形態のさらに別の態様では、本明細書に開示される植物用薬剤組成物は、例えば、約８５％〜約９５％の処理済み発酵微生物上清と、約５％〜１５％の１つまたは複数の非イオン界面活性剤とを含む。この実施形態のさらに別の態様では、本明細書に開示される植物用薬剤組成物は、例えば、約８７％〜約９３％の処理済み発酵微生物上清と、約７％〜１３％の１つまたは複数の非イオン界面活性剤とを含む。この実施形態の別の態様では、本明細書に開示される植物用薬剤組成物は、例えば、約８８％〜約９２％の処理済み発酵微生物上清と、約８％〜１２％の１つまたは複数の非イオン界面活性剤とを含む。この実施形態の別の態様では、本明細書に開示される植物用薬剤組成物は、例えば、約８９％〜約９１％の処理済み発酵微生物上清と、約９％〜１１％の１つまたは複数の非イオン界面活性剤とを含む。
【００４０】
本明細書の諸態様は、部分的には発酵微生物上清を開示する。本明細書に開示される発酵微生物上清は、糖供給源と麦芽とマグネシウム塩とを含む発酵培地で酵母菌株、細菌株または酵母菌株と細菌株の両方の組合せを培養することによって調製することができる。この実施形態の一態様では、発酵培地で単一の酵母菌株のみを用いる。この実施形態の別の態様では、発酵培地で２種類以上の異なる酵母菌株を用いる。この実施形態のさらに別の態様では、発酵培地で単一の細菌株のみを用いる。この実施形態のさらに別の態様では、発酵培地で２種類以上の異なる細菌株を用いる。この実施形態の別の態様では、発酵培地で１種または複数種の異なる酵母菌株を１種または複数種の異なる細菌とともに用いる。この実施形態のさらに別の態様では、発酵培地で２種類、３種類、４種類、５種類またはそれ以上の異なる酵母菌株を２種類、３種類、４種類、５種類またはそれ以上の異なる細菌とともに用いる。
【００４１】
糖供給源としては、特に限定されないが、糖蜜由来のスクロース、甘蔗原料糖、ダイズまたはその混合物が挙げられる。糖蜜には一般に、グルコースなどの還元糖に加えて、最大約５０％のスクロースのほか、マルターゼならびに灰分、有機非糖類および少量の水が含まれる。糖蜜中に存在する種類の糖の存在は、酵素およびそれを産生する酵母菌の活性を促進するのに重要である。酵素発酵に必要な原料の天然源としては未処理の甘蔗廃糖蜜が好ましいが、これ以外にテンサイ糖蜜、バレルモラセス（ｂａｒｒｅｌ  ｍｏｌａｓｓｅｓ）などの糖蜜を用いてもよい。本明細書に開示される発酵培地の調製に有用な糖蜜の量は、約４０重量％〜約８０重量％、好ましくは約５５重量％〜約７５重量％である。所望の最適な組成物を得るため、用いる糖蜜の具体的な量を変化させ得ることが理解されよう。
【００４２】
甘蔗原料糖とは、精製されておらず、残留糖蜜ならびに他の天然の不純物を含有する糖製品のことである。明確に理解されているわけではないが、発酵反応物中に原料糖が存在すると、脱色ならびに最後の純化および精製に使用され酵母酵素および麦芽酵素に何らかの悪影響を及ぼし得る残留化学薬品を含有する精製糖を使用した場合と比較して、諸特性が大幅に向上することがわかっている。混合物中に存在する発酵原料の一部に原料糖が含まれる場合、本開示の発酵培地の最適な生物学的特性および酵素的特性が向上することがわかっている。本明細書に開示される発酵培地の調製に有用な甘蔗原料糖の量は、約１０重量％〜約４０重量％、好ましくは約１０重量％〜約３０重量％であり得る。所望の最適な組成物を得るため、用いる甘蔗原料糖の具体的な量を変化させ得ることが理解されよう。
【００４３】
発酵反応に有利に寄与する不可欠な酵素は、麦芽ならびに酵母および／または細菌によって得られる。用いる具体的な麦芽は、好ましくは、ジアスターゼ、マルターゼおよびアミラーゼを含めた酵素を含有する糖化性麦芽である。麦芽はほかにも、最終産物混合物中の酵素組成物全体の効力および活性に寄与することに加えて、酵母および／または細菌の活性を向上させると考えられる。本明細書に開示される発酵培地の調製に有用な麦芽の量は、約３重量％〜約１５重量％、好ましくは約７重量％〜約１２重量％であり得る。所望の最適な組成物を得るため、用いる麦芽の具体的な量を変化させ得ることが理解されよう。
【００４４】
発酵とは、炭水化物および他の複雑な有機物質を糖、酸、気体またはアルコールなどの単純な物質に分解する代謝過程のことである。発酵は酵母、細菌およびカビにみられる。発酵にはエタノール発酵および乳酸発酵がある。乳酸発酵にはホモ乳酸発酵とヘテロ乳酸発酵がある。
【００４５】
酵母は、例えば炭水化物を二酸化炭素とアルコールに変換する発酵反応に必要な酵素を産生することが可能なあらゆる発酵真菌を指す。発酵反応の過程で活性酵母が産生する酵素にはいくつかあり、加水分解酵素および酸化酵素の両方、例えばインベルターゼ、カタラーゼ、ラクターゼ、マルターゼ、カルボキシラーゼなどがこれに含まれる。酵母には、食物加工の発酵、例えば、大豆の発酵、生地の発酵、穀物の発酵、野菜の発酵、果物の発酵、蜂蜜の発酵、乳製品の発酵、魚の発酵、肉の発酵および茶の発酵などに有用な酵母菌株がある。本明細書に開示される発酵反応に有用な特定の酵母属の非網羅的リストには、特に限定されないが、ブレタノミセス属（Ｂｒｅｔｔａｎｏｍｙｃｅｓ）、カンジダ属（Ｃａｎｄｉｄａ）、シバーリンドネラ属（Ｃｙｂｅｒｌｉｎｄｎｅｒａ）、シストフィロバシディウム属（Ｃｙｓｔｏｆｉｌｏｂａｓｉｄｉｕｍ）、デバリオミセス属（Ｄｅｂａｒｙｏｍｙｃｅｓ）、デッケラ属（Ｄｅｋｋｅｒａ）、フサリウム属（Ｆｕｓａｒｉｕｍ）、ゲオトリクム属（Ｇｅｏｔｒｉｃｈｕｍ）、イサチェンキア属（Ｉｓｓａｔｃｈｅｎｋｉａ）、カザクスタニア属（Ｋａｚａｃｈｓｔａｎｉａ）、クロエケラ属（Ｋｌｏｅｃｋｅｒａ）、クリベロミセス属（Ｋｌｕｙｖｅｒｏｍｙｃｅｓ）、レカニシリウム属（Ｌｅｃａｎｉｃｉｌｌｉｕｍ）、ムコール属（Ｍｕｃｏｒ）、ニューロスポラ属（Ｎｅｕｒｏｓｐｏｒａ）、ペディオコッカス属（Ｐｅｄｉｏｃｏｃｃｕｓ）、ペニシリウム属（Ｐｅｎｉｃｉｌｌｉｕｍ）、ピキア属（Ｐｉｃｈｉａ）、リゾプス属（Ｒｈｉｚｏｐｕｓ）、ロドスポリディウム属（Ｒｈｏｄｏｓｐｏｒｉｄｉｕｍ）、ロドトルラ属（Ｒｈｏｄｏｔｏｒｕｌａ）、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、スリコスポロン属（Ｔｈｒｉｃｈｏｓｐｏｒｏｎ）、トルラスポラ属（Ｔｏｒｕｌａｓｐｏｒａ）、トルロプシス属（Ｔｏｒｕｌｏｐｓｉｓ）、バーティシリウム属（Ｖｅｒｔｉｃｉｌｌｉｕｍ）、ヤロウイア属（Ｙａｒｒｏｗｉａ）、ザイゴサッカロミセス属（Ｚｙｇｏｓａｃｃｈａｒｏｍｙｃｅｓ）およびジゴサッカロミセス属（Ｚｙｇｏｔｏｒｕｌａｓｐｏｒａ）が含まれる。本明細書に開示される発酵反応に有用な特定の酵母種の非網羅的リストには、特に限定されないが、Ｂ．アノマルス（Ｂ．ａｎｏｍａｌｕｓ）、Ｂ．ブルクセレンシス（Ｂ．ｂｒｕｘｅｌｌｅｎｓｉｓ）、Ｂ．クラウセニイ（Ｂ．ｃｌａｕｓｓｅｎｉｉ）、Ｂ．クステルシアヌス（Ｂ．ｃｕｓｔｅｒｓｉａｎｕｓ）、Ｂ．ナールデネンシス（Ｂ．ｎａａｒｄｅｎｅｎｓｉｓ）、Ｂ．ナヌス（Ｂ．ｎａｎｕｓ）、Ｃ．コリクローサ（Ｃ．ｃｏｌｌｉｃｕｌｏｓａ）、Ｃ．エキシグアス（Ｃ．ｅｘｉｇｕｏｕｓ）、Ｃ．フミコラ（Ｃ．ｈｕｍｉｃｏｌａ）、Ｃ．ケフィール（Ｃ．ｋｅｆｙｒ）、Ｃ．クルセイ（Ｃ．ｋｒｕｓｅｉ）、Ｃ．ミレリ（Ｃ．ｍｉｌｌｅｒｉ）、Ｃ．ミコデルマ（Ｃ．ｍｙｃｏｄｅｒｍａ）、Ｃ．ペリクロサ（Ｃ．ｐｅｌｌｉｃｕｌｏｓａ）、Ｃ．ルゴセ（Ｃ．ｒｕｇｏｓｅ）、Ｃ．ステラーテ（Ｃ．ｓｔｅｌｌａｔｅ）、Ｃ．トロピカリス（Ｃ．ｔｒｏｐｉｃａｌｉｓ）、Ｃ．ユチリス（Ｃ．ｕｔｉｌｉｓ）、Ｃ．バリダ（Ｃ．ｖａｌｉｄａ）、Ｃ．ビニ（Ｃ．ｖｉｎｉ）、Ｃ．ゼイラノイデス（Ｃ．ｚｅｙｌａｎｏｉｄｅｓ）、Ｃｂ．ムラキィ（Ｃｂ．ｍｒａｋｉｉ）、Ｃｓ．インフィルモミニアタム（Ｃｓ．ｉｎｆｉｒｍｏｍｉｎｉａｔｕｍ）、Ｄ．ハンセニイ（Ｄ．ｈａｎｓｅｎｉｉ）、Ｄ．クロエケリ（Ｄ．ｋｌｏｅｃｋｅｒｉ）、Ｄｋ．アノマラ（Ｄｋ．ａｎｏｍａｌａ）、Ｄｋ．ブルクセレンシス（Ｄｋ．ｂｒｕｘｅｌｌｅｎｓｉｓ）、Ｆ．ドメスティカム（Ｆ．ｄｏｍｅｓｔｉｃｕｍ）、Ｇ．カンジドゥム（Ｇ．ｃａｎｄｉｄｕｍ）、Ｉ．オリエンタリス（Ｉ．ｏｒｉｅｎｔａｌｉｓ）、Ｋ．エクシグア（Ｋ．ｅｘｉｇｕａ）、Ｋ．ユニスポラ（Ｋ．ｕｎｉｓｐｏｒａ）、Ｋｌ．アフリカナ（Ｋｌ．ａｆｒｉｃａｎａ）、Ｋｌ．アピス（Ｋｌ．ａｐｉｓ）、Ｋｌ．ジャバニカ（Ｋｌ．ｊａｖａｎｉｃａ）、Ｋｕ．ラクティス（Ｋｕ．ｌａｃｔｉｓ）、Ｋｕ．マルキシアヌス（Ｋｕ．ｍａｒｘｉａｎｕｓ）、Ｋｕ．マルキシアヌス（Ｋｕ．ｍａｒｘｉａｎｕｓ）、Ｌ．レカニイ（Ｌ．ｌｅｃａｎｉｉ）、Ｍ．ヒエマリス（Ｍ．ｈｉｅｍａｌｉｓ）、Ｍ．プルムベウス（Ｍ．ｐｌｕｍｂｅｕｓ）、Ｍ．ラセモサス（Ｍ．ｒａｃｅｍｏｓｕｓ）、Ｍ．ラセモサス（Ｍ．ｒａｃｅｍｏｓｕｓ）、Ｎ．インテルメディア（Ｎ．ｉｎｔｅｒｍｅｄｉａ）、Ｐ．セレビシエ（Ｐ．ｃｅｒｅｖｉｓｉａｅ）、Ｐｎ．アルブム（Ｐｎ．ａｌｂｕｍ）、Ｐｎ．カメンベルティ（Ｐｎ．ｃａｍｅｍｂｅｒｔｉ）、Ｐｎ．カゼイフルバム（Ｐｎ．ｃａｓｅｉｆｕｌｖｕｍ）、Ｐｎ．クリソゲナム（Ｐｎ．ｃｈｒｙｓｏｇｅｎｕｍ）、Ｐｎ．コムーネ（Ｐｎ．ｃｏｍｍｕｎｅ）、Ｐｎ．ナルギオベンス（Ｐｎ．ｎａｌｇｉｏｖｅｎｓｅ）、Ｐｎ．ロッケフォルティ（Ｐｎ．ｒｏｑｕｅｆｏｒｔｉ）、Ｐｎ．ソリタム（Ｐｎ．ｓｏｌｉｔｕｍ）、Ｐｉ．ファーメンタンス（Ｐｉ．ｆｅｒｍｅｎｔａｎｓ）、Ｒ．ミクロスポレス（Ｒ．ｍｉｃｒｏｓｐｏｒｅｓ）、Ｒｓ．インフィルモミニアタム（Ｒｓ．ｉｎｆｉｒｍｏｍｉｎｉａｔｕｍ）、Ｒｔ．グルチニス（Ｒｔ．ｇｌｕｔｉｎｉｓ）、Ｒｔ．ミヌータ（Ｒｔ．ｍｉｎｕｔａ）、Ｒｔ．ルブラ（Ｒｔ．ｒｕｂｒａ）、Ｓ．バヤヌス（Ｓ．ｂａｙａｎｕｓ）、Ｓ．ブラウディ（Ｓ．ｂｏｕｌａｒｄｉｉ）、Ｓ．カールスベルゲンシス（Ｓ．ｃａｒｌｓｂｅｒｇｅｎｓｉｓ）、Ｓ．セレビシエ（Ｓ．ｃｅｒｅｖｉｓｉａｅ）、Ｓ．ユーバヤヌス（Ｓ．ｅｕｂａｙａｎｕｓ）、Ｓ．パラドクサス（Ｓ．ｐａｒａｄｏｘｕｓ）、Ｓ．パストリアヌス（Ｓ．ｐａｓｔｏｒｉａｎｕｓ）、Ｓ．ロウジィ（Ｓ．ｒｏｕｚｉｉ）、Ｓ．ウバルム（Ｓ．ｕｖａｒｕｍ）、Ｓｃ．ポンベ（Ｓｃ．ｐｏｍｂｅ）、Ｔｈ．ベイゲリィ（Ｔｈ．ｂｅｉｇｅｌｉｉ）、Ｔ．デルブリュッキィ（Ｔ．ｄｅｌｂｒｕｅｃｋｉｉ）、Ｔ．フランシスカ（Ｔ．ｆｒａｎｃｉｓｃａｅ）、Ｔ．プレトリエンシス（Ｔ．ｐｒｅｔｏｒｉｅｎｓｉｓ）、Ｔ．ミクロエリプソイデス（Ｔ．ｍｉｃｒｏｅｌｌｉｐｓｏｉｄｅｓ）、Ｔ．グロボーサ（Ｔ．ｇｌｏｂｏｓａ）、Ｔ．インディカ（Ｔ．ｉｎｄｉｃａ）、Ｔ．メライーア（Ｔ．ｍａｌｅｅａｅ）、Ｔ．クエルクーム（Ｔ．ｑｕｅｒｃｕｕｍ）、Ｔｏ．バーサチリス（Ｔｏ．ｖｅｒｓａｔｉｌｉｓ）、Ｖ．レカニイ（Ｖ．ｌｅｃａｎｉｉ）、Ｙ．リポリティカ（Ｙ．ｌｉｐｏｌｙｔｉｃａ）、Ｚ．バイリィ（Ｚ．ｂａｉｌｉｉ）、Ｚ．ビスポラス（Ｚ．ｂｉｓｐｏｒｕｓ）、Ｚ．シドリ（Ｚ．ｃｉｄｒｉ）、Ｚ．ファーメンタチ（Ｚ．ｆｅｒｍｅｎｔａｔｉ）、Ｚ．フロレンティヌス（Ｚ．ｆｌｏｒｅｎｔｉｎｕｓ）、Ｚ．コンブチャエンシス（Ｚ．ｋｏｍｂｕｃｈａｅｎｓｉｓ）、Ｚ．レンタス（Ｚ．ｌｅｎｔｕｓ）、Ｚ．メリス（Ｚ．ｍｅｌｌｉｓ）、Ｚ．ミクロエリプソイデス（Ｚ．ｍｉｃｒｏｅｌｌｉｐｓｏｉｄｅｓ）、Ｚ．ムラキィ（Ｚ．ｍｒａｋｉｉ）、Ｚ．シュードルーキシィ（Ｚ．ｐｓｅｕｄｏｒｏｕｘｉｉ）およびＺ．ルーキシィ（Ｚ．ｒｏｕｘｉｉ）およびＺｔ．フロレンティナ（Ｚｔ．ｆｌｏｒｅｎｔｉｎａ）が含まれる。好ましい酵母は、パン酵母として一般に入手可能なサッカロミセス・セレビシエ（Ｓａｃｃｈａｒｏｍｙｃｅｓ  ｃｅｒｅｖｉｓｉａｅ）である。
【００４６】
細菌は、例えばエタノールなどのアルコールあるいは酢酸、乳酸および／またはコハク酸などの酸が産生される発酵反応に必要な酵素を産生することが可能なあらゆる発酵細菌を指す。本明細書に開示される発酵反応に有用な特定の細菌属の非網羅的リストには、特に限定されないが、アセトバクター属（Ａｃｅｔｏｂａｃｔｅｒ）、アルスロバクター属（Ａｒｔｈｒｏｂａｃｔｅｒ）、アエロコッカス属（Ａｅｒｏｃｏｃｃｕｓ）、バチルス属（Ｂａｃｉｌｌｕｓ）、ビフィドバクテリウム属（Ｂｉｆｉｄｏｂａｃｔｅｒｉｕｍ）、ブラキバクテリウム属（Ｂｒａｃｈｙｂａｃｔｅｒｉｕｍ）、ブレビバクテリウム属（Ｂｒｅｖｉｂａｃｔｅｒｉｕｍ）、バルノバクテリウム属（Ｂａｒｎｏｂａｃｔｅｒｉｕｍ）、カルノバクテリウム属（Ｃａｒｎｏｂａｃｔｅｒｉｕｍ）、コリネバクテリウム属（Ｃｏｒｙｎｅｂａｃｔｅｒｉｕｍ）、エンテロコッカス属（Ｅｎｔｅｒｏｃｏｃｃｕｓ）、エシェリキア属（Ｅｓｃｈｅｒｉｃｈｉａ）、グルコンアセトバクター属（Ｇｌｕｃｏｎａｃｅｔｏｂａｃｔｅｒ）、グルコノバクター属（Ｇｌｕｃｏｎｏｂａｃｔｅｒ）、ハフニア属（Ｈａｆｎｉａ）、ハロモナス属（Ｈａｌｏｍｏｎａｓ）、コクリア属（Ｋｏｃｕｒｉａ）、ラクトバチルス属（Ｌａｃｔｏｂａｃｉｌｌｕｓ）、ラクトコッカス属（Ｌａｃｔｏｃｏｃｃｕｓ）、ロイコノストック属（Ｌｅｕｃｏｎｏｓｔｏｃ）、マクロコッカス属（Ｍａｃｒｏｃｏｃｃｕｓ）、ミクロバクテリウム属（Ｍｉｃｒｏｂａｃｔｅｒｉｕｍ）、ミクロコッカス属（Ｍｉｃｒｏｃｏｃｃｕｓ）、ナイセリア属（Ｎｅｉｓｓｅｒｉａ）、オエノコッカス属（Ｏｅｎｏｃｏｃｃｕｓ）、ペディオコッカス属（Ｐｅｄｉｏｃｏｃｃｕｓ）、プロピオニバクテリウム属（Ｐｒｏｐｉｏｎｉｂａｃｔｅｒｉｕｍ）、プロテウス属（Ｐｒｏｔｅｕｓ）、シュードモナス属（Ｐｓｅｕｄｏｍｏｎａｓ）、サイクロバクター属（Ｐｓｙｃｈｒｏｂａｃｔｅｒ）、サルモネラ属（Ｓａｌｍｏｎｅｌｌａ）、スポロラクトバチルス属（Ｓｐｏｒｏｌａｃｔｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）、ストレプトミセス属（Ｓｔｒｅｐｔｏｍｙｃｅｓ）、テトラジェノコッカス属（Ｔｅｔｒａｇｅｎｏｃｏｃｃｕｓ）、バゴコッカス属（Ｖａｇｏｃｏｃｃｕｓ）、ワイセルス属（Ｗｅｉｓｓｅｌｌｓ）およびザイモモナス属（Ｚｙｍｏｍｏｎａｓ）が含まれる。本明細書に開示される発酵反応に有用な特定の細菌種の非網羅的リストには、特に限定されないが、Ａ．アセチ（Ａ．ａｃｅｔｉ）、Ａ．ファバルム（Ａ．ｆａｂａｒｕｍ）、Ａ．ロバニエンシス（Ａ．ｌｏｖａｎｉｅｎｓｉｓ）、Ａ．マロールム（Ａ．ｍａｌｏｒｕｍ）、Ａ．オリエンタリス（Ａ．ｏｒｉｅｎｔａｌｉｓ）、Ａ．パスツーリアヌス（Ａ．ｐａｓｔｅｕｒｉａｎｕｓ）、Ａ．パスツーリアヌス（Ａ．ｐａｓｔｅｕｒｉａｎｕｓ）、Ａ．ポモルム（Ａ．ｐｏｍｏｒｕｍ）、Ａ．シジギィ（Ａ．ｓｙｚｙｇｉｉ）、Ａ．トリピカリス（Ａ．ｔｒｏｐｉｃａｌｉｓ）、Ａｒ．アリライテンシス（Ａｒ．ａｒｉｌａｉｔｅｎｓｉｓ）、Ａｒ．ベルゲレイ（Ａｒ．ｂｅｒｇｅｒｅｉ）、Ａｒ．グロビフォルミス（Ａｒ．ｇｌｏｂｉｆｏｒｍｉｓ）、Ａｒ．ニコチアナエ（Ａｒ．ｎｉｃｏｔｉａｎａｅ）、Ａｒ．バリアビリス（Ａｒ．ｖａｒｉａｂｉｌｉｓ）、Ｂ．セレウス（Ｂ．ｃｅｒｅｕｓ）、Ｂ．コアグランス（Ｂ．ｃｏａｇｕｌａｎｓ）、Ｂ．ｌｉｃｈｅｎｉｆｏｒｍｉｓ（Ｂ．ｌｉｃｈｅｎｉｆｏｒｍｉｓ）、Ｂ．プミルス（Ｂ．ｐｕｍｉｌｕｓ）、Ｂ．スファエリカス（Ｂ．ｓｐｈａｅｒｉｃｕｓ）、Ｂ．ステアロサーモフィラス（Ｂ．ｓｔｅａｒｏｔｈｅｒｍｏｐｈｉｌｕｓ）、Ｂ．スブチリス（Ｂ．ｓｕｂｔｉｌｉｓ）、Ｂ．アドレスセンティス（Ｂ．ａｄｏｌｅｓｃｅｎｔｉｓ）、Ｂ．アニマリス（Ｂ．ａｎｉｍａｌｉｓ）、Ｂ．ビフィダム（Ｂ．ｂｉｆｉｄｕｍ）、Ｂ．ブレーベ（Ｂ．ｂｒｅｖｅ）、Ｂ．インファンティス（Ｂ．ｉｎｆａｎｔｉｓ）、Ｂ．ラクティス（Ｂ．ｌａｃｔｉｓ）、Ｂ．ロングム（Ｂ．ｌｏｎｇｕｍ）、Ｂ．シュードロングム（Ｂ．ｐｓｅｕｄｏｌｏｎｇｕｍ）、Ｂ．サーモフィラム（Ｂ．ｔｈｅｒｍｏｐｈｉｌｕｍ）、Ｂｒ．アリメンタリウム（Ｂｒ．ａｌｉｍｅｎｔａｒｉｕｍ）、Ｂｒ．アリメンタリウム（Ｂｒ．ａｌｉｍｅｎｔａｒｉｕｍ）、Ｂｒ．チロフェルメンタンス（Ｂｒ．ｔｙｒｏｆｅｒｍｅｎｔａｎｓ）、Ｂｒ．チロフェルメンタンス（Ｂｒ．ｔｙｒｏｆｅｒｍｅｎｔａｎｓ）、Ｂｖ．アウランティアカム（Ｂｖ．ａｕｒａｎｔｉａｃｕｍ）、Ｂｖ．カゼイ（Ｂｖ．ｃａｓｅｉ）、Ｂｖ．リネンス（Ｂｖ．ｌｉｎｅｎｓ）、Ｃ．ディバーゲンス（Ｃ．ｄｉｖｅｒｇｅｎｓ）、Ｃ．マルタロマティカム（Ｃ．ｍａｌｔａｒｏｍａｔｉｃｕｍ）、Ｃ．ピスチコラ（Ｃ．ｐｉｓｃｉｃｏｌａ）、Ｃ．アンモニアゲネス（Ｃ．ａｍｍｏｎｉａｇｅｎｅｓ）、Ｃｏ．カゼイ（Ｃｏ．ｃａｓｅｉ）、Ｃｏ．フラベッセンス（Ｃｏ．ｆｌａｖｅｓｃｅｎｓ）、Ｃｏ．ムーアパルケンス（Ｃｏ．ｍｏｏｒｅｐａｒｋｅｎｓｅ）、Ｃｏ．バリアビレ（Ｃｏ．ｖａｒｉａｂｉｌｅ）、Ｅ．フェカリス（Ｅ．ｆａｅｃａｌｉｓ）、Ｅ．フェシウム（Ｅ．ｆａｅｃｉｕｍ）、Ｇ．アゾトカプタンス（Ｇ．ａｚｏｔｏｃａｐｔａｎｓ）、Ｇ．ディアゾトロフィカス（Ｇ．ｄｉａｚｏｔｒｏｐｈｉｃｕｓ）、Ｇ．エンタニイ（Ｇ．ｅｎｔａｎｉｉ）、Ｇ．ユーロパエウス（Ｇ．ｅｕｒｏｐａｅｕｓ）、Ｇ．ハンセニイ（Ｇ．ｈａｎｓｅｎｉｉ）、Ｇ．ジョハンナエ（Ｇ．ｊｏｈａｎｎａｅ）、Ｇ．オボエディエンス（Ｇ．ｏｂｏｅｄｉｅｎｓ）、Ｇ．キシリヌス（Ｇ．ｘｙｌｉｎｕｓ）、Ｇｌ．オキシダンス（Ｇｌ．ｏｘｙｄａｎｓ）、Ｈ．アルベイ（Ｈ．ａｌｖｅｉ）、Ｈｌ．エロンガーテ（Ｈｌ．ｅｌｏｎｇａｔｅ）、Ｋ．リゾフィラ（Ｋ．ｒｈｉｚｏｐｈｉｌａ）、Ｋ．リゾフィラ（Ｋ．ｒｈｉｚｏｐｈｉｌａ）、Ｋ．バリアンス（Ｋ．ｖａｒｉａｎｓ）、Ｋ．バリアンス（Ｋ．ｖａｒｉａｎｓ）、Ｌ．アセトトレランス（Ｌ．ａｃｅｔｏｔｏｌｅｒａｎｓ）、Ｌ．アシディファリナエ（Ｌ．ａｃｉｄｉｆａｒｉｎａｅ）、Ｌ．アシディピスチス（Ｌ．ａｃｉｄｉｐｉｓｃｉｓ）、Ｌ．アリメンタリウス（Ｌ．ａｌｉｍｅｎｔａｒｉｕｓ）、Ｌ．ブレビス（Ｌ．ｂｒｅｖｉｓ）、Ｌ．ブケリ（Ｌ．ｂｕｃｈｅｒｉ）、Ｌ．カカオヌム（Ｌ．ｃａｃａｏｎｕｍ）、Ｌ．カゼイ（Ｌ．ｃａｓｅｉ）、Ｌ．セロビオスス（Ｌ．ｃｅｌｌｏｂｉｏｓｕｓ）、Ｌ．コリノイデス（Ｌ．ｃｏｌｌｉｎｏｉｄｅｓ）、Ｌ．コンポスチ（Ｌ．ｃｏｍｐｏｓｔｉ）、Ｌ．コリニフォルミス（Ｌ．ｃｏｒｙｎｉｆｏｒｍｉｓ）、Ｌ．クリスパータス（Ｌ．ｃｒｉｓｐａｔｕｓ）、Ｌ．クルバタス（Ｌ．ｃｕｒｖａｔｕｓ）、Ｌ．デルブレッキイ（Ｌ．ｄｅｌｂｒｕｅｃｋｉｉ）、Ｌ．デキストリニカス（Ｌ．ｄｅｘｔｒｉｎｉｃｕｓ）、Ｌ．ディオリボランス（Ｌ．ｄｉｏｌｉｖｏｒａｎｓ）、Ｌ．ファビファーメンタンス（Ｌ．ｆａｂｉｆｅｒｍｅｎｔａｎｓ）、Ｌ．ファルシミニス（Ｌ．ｆａｒｃｉｍｉｎｉｓ）、Ｌ．ファーメンタム（Ｌ．ｆｅｒｍｅｎｔｕｍ）、Ｌ．ガセリ（Ｌ．ｇａｓｓｅｒｉ）、Ｌ．ガーネンシス（Ｌ．ｇｈａｎｅｎｓｉｓ）、Ｌ．ハメシイ（Ｌ．ｈａｍｍｅｓｉｉ）、Ｌ．ハービネンシス（Ｌ．ｈａｒｂｉｎｅｎｓｉｓ）、Ｌ．ヘルベティカス（Ｌ．ｈｅｌｖｅｔｉｃｕｓ）、Ｌ．ヒルガルディイ（Ｌ．ｈｉｌｇａｒｄｉｉ）、Ｌ．ホモヒオチイ（Ｌ．ｈｏｍｏｈｉｏｃｈｉｉ）、Ｌ．ジェンセニイ（Ｌ．ｊｅｎｓｅｎｉｉ）、Ｌ．ジョンソニイ（Ｌ．ｊｏｈｎｓｏｎｉｉ）、Ｌ．ケフィラノファシエンス（Ｌ．ｋｅｆｉｒａｎｏｆａｃｉｅｎｓ）、Ｌ．ケフィリ（Ｌ．ｋｅｆｉｒｉ）、Ｌ．キムチイ（Ｌ．ｋｉｍｃｈｉ）、Ｌ．キソネンシス（Ｌ．ｋｉｓｏｎｅｎｓｉｓ）、Ｌ．クンケエイ属（Ｌ．ｋｕｎｋｅｅｉ）、Ｌ．マリ（Ｌ．ｍａｌｉ）、Ｌ．マニホティボランス（Ｌ．ｍａｎｉｈｏｔｉｖｏｒａｎｓ）、Ｌ．ミンデンシス（Ｌ．ｍｉｎｄｅｎｓｉｓ）、Ｌ．ムコーサエ（Ｌ．ｍｕｃｏｓａｅ）、Ｌ．ナジェリイ（Ｌ．ｎａｇｅｌｉｉ）、Ｌ．ナムレシス（Ｌ．ｎａｍｕｒｅｓｉｓ）、Ｌ．ナンテシス（Ｌ．ｎａｎｔｅｓｉｓ）、Ｌ．ノデンシス（Ｌ．ｎｏｄｅｎｓｉｓ）、Ｌ．オエニー（Ｌ．ｏｅｎｉ）、Ｌ．オータキエンシス（Ｌ．ｏｔａｋｉｅｎｓｉｓ）、Ｌ．パニス（Ｌ．ｐａｎｉｓ）、Ｌ．パラブレービス（Ｌ．ｐａｒａｂｒｅｖｉｓ）、Ｌ．パラブフネリー（Ｌ．ｐａｒａｂｕｃｈｎｅｒｉ）、Ｌ．パラカゼイ（Ｌ．ｐａｒａｃａｓｅｉ）、Ｌ．パラケフィリー（Ｌ．ｐａｒａｋｅｆｉｒｉ）、Ｌ．パラリメンタリウス（Ｌ．ｐａｒａｌｉｍｅｎｔａｒｉｕｓ）、Ｌ．パラプランタラム（Ｌ．ｐａｒａｐｌａｎｔａｒｕｍ）、Ｌ．ペントーサス（Ｌ．ｐｅｎｔｏｓｕｓ）、Ｌ．ペロレンス（Ｌ．ｐｅｒｏｌｅｎｓ）、Ｌ．プランタルム（Ｌ．ｐｌａｎｔａｒｕｍ）、Ｌ．ポブジヒイ（Ｌ．ｐｏｂｕｚｉｈｉｉ）、Ｌ．ポンティス（Ｌ．ｐｏｎｔｉｓ）、Ｌ．ラピ（Ｌ．ｒａｐｉ）、Ｌ．ロイテリー（Ｌ．ｒｅｕｔｅｒｉ）、Ｌ．ラムノーサス（Ｌ．ｒｈａｍｎｏｓｕｓ）、Ｌ．ロシアエ（Ｌ．ｒｏｓｓｉａｅ）、Ｌ．サケイ（Ｌ．ｓａｋｅｉ）、Ｌ．サリバリウス（Ｌ．ｓａｌｉｖａｒｉｕｓ）、Ｌ．サンフランシセンシス（Ｌ．ｓａｎｆｒａｎｃｉｓｃｅｎｓｉｓ）、Ｌ．サツメンシス（Ｌ．ｓａｔｓｕｍｅｎｓｉｓ）、Ｌ．セカリフィラス（Ｌ．ｓｅｃａｌｉｐｈｉｌｕｓ）、Ｌ．センマイズケイ（Ｌ．ｓｅｎｍａｉｚｕｋｅｉ）、Ｌ．シリギニス（Ｌ．ｓｉｌｉｇｉｎｉｓ）、Ｌ．シミリス（Ｌ．ｓｉｍｉｌｉｓ）、Ｌ．スピチェリー（Ｌ．ｓｐｉｃｈｅｒｉ）、Ｌ．スエビカス（Ｌ．ｓｕｅｂｉｃｕｓ）、Ｌ．スンキイ（ｓｕｎｋｉｉ）、Ｌ．ツケチー（Ｌ．ｔｕｃｃｅｔｉ）、Ｌ．ワクチノステルカス（Ｌ．ｖａｃｃｉｎｏｓｔｅｒｃｕｓ）、Ｌ．バースモルデシス（Ｌ．ｖｅｒｓｍｏｌｄｅｓｉｓ）、Ｌ．ヤマナシエンシス（Ｌ．ｙａｍａｎａｓｈｉｅｎｓｉｓ）、Ｌｃ．ラクティス（Ｌｃ．ｌａｃｔｉｓ）、Ｌｃ．ラフィノラクティス（Ｌｃ．ｒａｆｆｉｎｏｌａｃｔｉｓ）、Ｌｅ．カーノサム（Ｌｅ．ｃａｒｎｏｓｕｍ）、Ｌｅ．シトレウム（Ｌｅ．ｃｉｔｒｅｕｍ）、Ｌｅ．ファラクス（Ｌｅ．ｆａｌｌａｘ）、Ｌｅ．ホルザプフェリイ（Ｌｅ．ｈｏｌｚａｐｆｅｌｉｉ）、Ｌｅ．インハーエ（Ｌｅ．ｉｎｈａｅ）、Ｌｅ．キムチイ（Ｌｅ．ｋｉｍｃｈｉ）、Ｌｅ．ラクティス（Ｌｅ．ｌａｃｔｉｓ）、Ｌｅ．メセンテロイデス（Ｌｅ．ｍｅｓｅｎｔｅｒｏｉｄｅｓ）、Ｌｅ．パルマエ（Ｌｅ．ｐａｌｍａｅ）、Ｌｅ．シュードメセンテロイデス（Ｌｅ．ｐｓｅｕｄｏｍｅｓｅｎｔｅｒｏｉｄｅｓ）、Ｍ．カセオリティカス（Ｍ．ｃａｓｅｏｌｙｔｉｃｕｓ）、Ｍｂ．フォリオーラム（Ｍｂ．ｆｏｌｉｏｒｕｍ）、Ｍｂ．グビーネンス（Ｍｂ．ｇｕｂｂｅｅｎｅｎｓｅ）、Ｍｃ．ルテウス（Ｍｃ．ｌｕｔｅｕｓ）、Ｍｃ．ライラエ（Ｍｃ．ｌｙｌａｅ）、Ｐ．アシディラクティシ（Ｐ．ａｃｉｄｉｌａｃｔｉｃｉ）、Ｐ．ペントサセウス（Ｐ．ｐｅｎｔｏｓａｃｅｕｓ）、Ｐ．アシディプロピオニッチ（Ｐ．ａｃｉｄｉｐｒｏｐｉｏｎｉｃｉ）、Ｐ．フリューデンレイッヒイ（ｆｒｅｕｄｅｎｒｅｉｃｈｉｉ）、Ｐ．ジェンセニイ（Ｐ．ｊｅｎｓｅｎｉｉ）、Ｐ．ソエニイ（Ｐ．ｔｈｏｅｎｉｉ）、Ｐｒ．ブルガリス（Ｐｒ．ｖｕｌｇａｒｉｓ）、Ｐｓ．フルオレッセンス（Ｐｓ．ｆｌｕｏｒｅｓｃｅｎｓ）、Ｐｙ．セレー（Ｐｙ．ｃｅｌｅｒ）、Ｓ．カルノーサス（Ｓ．ｃａｒｎｏｓｕｓ）、Ｓ．コンディメント（Ｓ．ｃｏｎｄｉｍｅｎｔ）、Ｓ．エクオルム（Ｓ．ｅｑｕｏｒｕｍ）、Ｓ．フレウレッティイ（Ｓ．ｆｌｅｕｒｅｔｔｉｉ）、Ｓ．ピスシフェルメンタンス（Ｓ．ｐｉｓｃｉｆｅｒｍｅｎｔａｎｓ）、Ｓ．サフロフィティカス（Ｓ．ｓａｐｈｒｏｐｈｙｔｉｃｕｓ）、Ｓ．シウリ（Ｓ．ｓｃｉｕｒｉ）、Ｓ．シミュランス（Ｓ．ｓｉｍｕｌａｎｓ）、Ｓ．サクシヌス（Ｓ．ｓｕｃｃｉｎｕｓ）、Ｓ．ビツリヌス（Ｓ．ｖｉｔｕｌｉｎｕｓ）、Ｓ．ワーネリ（Ｓ．ｗａｒｎｅｒｉ）、Ｓ．キシローサス（Ｓ．ｘｙｌｏｓｕｓ）、Ｓｔ．クレモリス
（Ｓｔ．ｃｒｅｍｏｒｉｓ）、Ｓｔ．ガロリティカス（Ｓｔ．ｇａｌｌｏｌｙｔｉｃｕｓ）、Ｓｔ．サリバリウス（Ｓｔ．ｓａｌｉｖａｒｉｕｓ）、Ｓｔ．サーモフィルス（Ｓｔ．ｔｈｅｒｍｏｐｈｉｌｅｓ）、Ｓｔ．グリセウス（Ｓｔ．ｇｒｉｓｅｕｓ）、Ｔ．ハロフィルス（Ｔ．ｈａｌｏｐｈｉｌｕｓ）、Ｔ．コーリエンシス（Ｔ．ｋｏｒｅｅｎｓｉｓ）、Ｗ．ベニネンシス（Ｗ．ｂｅｎｉｎｅｎｓｉｓ）、Ｗ．シバリア（Ｗ．ｃｉｂａｒｉａ）、Ｗ．ファバリア（Ｗ．ｆａｂａｒｉａ）、Ｗ．ガーネシス（Ｗ．ｇｈａｎｅｓｉｓ）、Ｗ．コーリエンシス（Ｗ．ｋｏｒｅｅｎｓｉｓ）、Ｗ．パラメセンテロイデス（Ｗ．ｐａｒａｍｅｓｅｎｔｅｒｏｉｄｅｓ）、Ｗ．タイランデンシス（Ｗ．ｔｈａｉｌａｎｄｅｎｓｉｓ）およびＺ．モビリス（Ｚ．ｍｏｂｉｌｉｓ）が含まれる。
【００４７】
カビは、例えばエタノールなどのアルコールあるいは酢酸、乳酸および／またはコハク酸などの酸が産生される発酵反応に必要な酵素を産生することが可能なあらゆる発酵カビを指す。本明細書に開示される発酵反応に有用な特定のカビ属の非網羅的リストには、特に限定されないが、アスペルギルス属（Ａｓｐｅｒｇｉｌｌｕｓ）が含まれる。本明細書に開示される発酵反応に有用な特定のカビ種の非網羅的リストには、特に限定されないが、Ａ．アシダス（Ａ．ａｃｉｄｕｓ）、Ａ．フミガーツス（Ａ．ｆｕｍｉｇａｔｕｓ）、Ａ．ニガー（Ａ．ｎｉｇｅｒ）、Ａ．オリザエ（Ａ．ｏｒｙｚａｅ）およびＡ．ソーヤ（Ａ．ｓｏｊａｅ）が含まれる。
【００４８】
産生される様々な種類の酵素の実際の量は、発酵混合物の調製に使用する糖蜜および糖の種類を含めたいくつかの因子に左右されることが理解されよう。しかし、ここでも同じく、糖蜜および原料糖を用いると最適な酵素の産生量および活性が得られると考えられる。一実施形態では、本明細書に開示される発酵培地の調製に有用な酵母の量は、約０．２重量％〜約５重量％、好ましくは約１重量％〜約３重量％であり得る。所望の最適な組成物を得るため、用いる酵母の具体的な量を変化させ得ることが理解されよう。
【００４９】
マグネシウム塩などの無機触媒が少量存在すると、発酵反応中のみならず、その後の生成組成物中で酵素が有機廃棄物を攻撃および分解する活性が増強される。好ましいマグネシウ塩は硫酸マグネシウムである。本明細書に開示される発酵培地の調製に有用なマグネシウム塩の量は、約０．１重量％〜約５重量％、好ましくは約１重量％〜約３重量％であり得る。所望の最適な組成物を得るため、用いるマグネシウム塩の具体的な量を変化させ得ることが理解されよう。
【００５０】
発酵微生物上清の調製には、適切な量の温水に糖蜜、スクロースおよびマグネシウム塩を加える。使用する水の具体的な量は特に重要なものではないが、適切な水の量は通常、発酵反応に使用する発酵培地の他の成分の総重量の約２倍〜約２０倍である。混合を容易にし、酵母、細菌および／またはカビを活性化させ、他の原料を溶解させるには、この水量で十分である。さらに、熱は発酵に必要な麦芽酵素および酵母酵素を不活化するため、水温が高過ぎてはいけない。このため、例えば約６５℃を超える水温は避けなければならず、好ましい温度は約２５℃〜約４５℃である。冷水の使用は発酵反応速度を過度に低下させ得るため、速い反応速度を望む場合は避けるべきである。糖蜜、糖およびマグネシウム塩を効率的に混合し溶解させた後、麦芽および酵母を加え、混合物を攪拌し、発酵が実質的に完了するまでねかせる。反応時間は、約２０℃〜約４５℃の温度で約２日〜約５日であり得る。反応混合物の発泡が実質的になくなったことを確認することにより、完了を容易に確認し得る。発酵反応終了時、発酵微生物培養物を遠心分離して、発酵過程で形成された「スラッジ」を除去する。得られた発酵上清（通常、約９０重量％〜約９８重量％）を収集し、次の処理に供する。
【００５１】
発酵微生物上清には生物栄養素、ミネラルおよびアミノ酸が含まれている。生物栄養素は通常、発酵微生物上清の総重量の約０．０１％〜約１％の量で存在する。個々の生物栄養素は通常、発酵微生物上清の総重量の約０．００００１％〜約０．０１％の量で存在する。生物栄養素の例としては、特に限定されないが、ビオチン、葉酸、α−グルカンおよびβ−グルカンなどのグルカン、ナイアシン、インソチル（ｉｎｓｏｔｉｌ）、パントテン酸、ピリドキシン、リボフラビンおよびチアミンが挙げられる。この実施形態の諸態様では、本明細書に開示される発酵微生物上清は、例えば、約０．００００１％〜約０．００１１％のビオチン、約０．０００６％〜約０．０１６％の葉酸、約０．００５％〜約１５％のナイアシン、約０．０１％〜約１％のインソチル（ｉｎｓｏｔｉｌ）、約０．０００１７％〜約０．０１７％のパントテン酸、約０．０００６％〜約０．０１６％のピロドキシン（ｐｙｒｏｄｏｘｉｎｅ）、約０．００２％〜約０．０２３％のリボフラビンおよび約０．００１％〜約０．０２％のチアミンを含む。この実施形態の他の態様では、本明細書に開示される発酵微生物上清は、例えば、約０．００００６％〜約０．０００６％のビオチン、約０．００１％〜約０．０１１％の葉酸、約０．０１％〜約０．１％のナイアシン、約０．０８％〜約０．１８％のインソチル（ｉｎｓｏｔｉｌ）、約０．００２％〜約０．０１２％のパントテン酸、約０．００１％〜約０．０１１％のピロドキシン（ｐｙｒｏｄｏｘｉｎｅ）、約０．００７％〜約０．０１７％のリボフラビン、約０．００３％〜約０．０１３％のチアミンを含む。この実施形態のまた別の態様では、本明細書に開示される発酵微生物上清は、例えば、約０．０００１２％〜約０．０００６％のビオチン、約０．００１％〜約０．０１１％の葉酸、約０．０１％〜約０．１％のナイアシン、約０．０８％〜約０．１８％のインソチル（ｉｎｓｏｔｉｌ）、約０．００３％〜約０．０１３％のパントテン酸、約０．００１％〜約０．０１１％のピロドキシン（ｐｙｒｏｄｏｘｉｎｅ）、約０．００８％〜約０．０１７％のリボフラビン、約０．００３％〜約０．０１３％のチアミンを含む。この実施形態のさらに別の態様では、本明細書に開示される発酵微生物上清は、例えば、約０．００００９％〜約０．０００３％のビオチン、約０．００４％〜約０．００８％の葉酸、約０．０３％〜約０．０７％のナイアシン、約０．１１％〜約０．１５％のインソチル（ｉｎｓｏｔｉｌ）、約０．００６％〜約０．０１％のパントテン酸、約０．００４％〜約０．００８％のピロドキシン（ｐｙｒｏｄｏｘｉｎｅ）、約０．０１％〜約０．０１４％のリボフラビン、約０．００６％〜約０．０１０％のチアミンを含む。
【００５２】
ミネラルは通常、発酵微生物上清の総重量の約０．１％〜約２０％の量で存在する。個々のミネラルは通常、発酵微生物上清の総重量の約０．０００１％〜約５％の量で存在する。ミネラルの例としては、特に限定されないが、カルシウム、クロム、銅、鉄、マグネシウム、リン酸塩、カリウム、ナトリウムおよび亜鉛が挙げられる。この実施形態の諸態様では、本明細書に開示される発酵微生物上清は、例えば、約０．０２％〜約０．３％のカルシウム、約０．０００００２％〜約０．００１６％のクロム、約０．０００００９％〜約０．００１４％の銅、約０．００００５％〜約０．０２％の鉄、約０．００１％〜約１．３％のマグネシウム、約０．２％〜約１４％のリン酸塩、約０．４％〜約１６％のカリウム、約０．２％〜約１５％のナトリウムおよび約０．０８％〜約１３％の亜鉛を含む。この実施形態の他の態様では、本明細書に開示される発酵微生物上清は、例えば、約０．０７％〜約０．２１％のカルシウム、約０．０００００７％〜約０．００１１％のクロム、約０．００００４％〜約０．０００９％の銅、約０．０００１％〜約０．０１５％の鉄、約０．００５％〜約０．９％のマグネシウム、約０．７％〜約９％のリン酸塩、約０．９％〜約１１％のカリウム、約０．７％〜約１０％のナトリウムおよび約０．３％〜約８％の亜鉛を含む。この実施形態のまた別の態様では、本明細書に開示される発酵微生物上清は、例えば、約０．０５％〜約１％のカルシウム、約０．０００１％〜約０．０００９％のクロム、約０．００００６％〜約０．０００７％の銅、約０．０００１％〜約０．０１３％の鉄、約０．００５％〜約１％のマグネシウム、約０．１％〜約７％のリン酸塩、約０．５％〜約９％のカリウム、約０．５％〜約８％のナトリウムおよび約０．５％〜約６％の亜鉛を含む。この実施形態のさらに別の態様では、本明細書に開示される発酵微生物上清は、例えば、約０．１２％〜約０．１６％のカルシウム、約０．０００２％〜約０．０００６％のクロム、約０．００００９％〜約０．０００４％の銅、約０．０００６％〜約０．０１％の鉄、約０．０１％〜約０．４％のマグネシウム、約１％〜約４％のリン酸塩、約２％〜約６％のカリウム、約１％〜約５％のナトリウムおよび約０．８％〜約３％の亜鉛を含む。
【００５３】
アミノ酸は通常、発酵微生物上清の総重量の約２０％〜約６０％の量で存在する。個々のアミノ酸は通常、発酵微生物上清の総重量の約０．１％〜約１５％の量で存在する。ミネラルの例としては、特に限定されないが、アラニン、アルギニン、アスパラギン酸、システイン、グルタミン酸、グリシン、リジン、メチオニン、フェニルアラニン、プロリン、セリンおよびトレオニンが挙げられる。この実施形態の諸態様では、本明細書に開示される発酵微生物上清は、例えば、約０．２％〜約１６％のアラニン、約０．０９％〜約１５％のアルギニン、約０．４％〜約１８％のアスパラギン酸、約０．００３％〜約５％のシステイン、約０．５％〜約２０％のグルタミン酸、約０．０９％〜約１５％のグリシン、約０．０９％〜約１５％のリジン、約０．００２％〜約５％のメチオニン、約０．０９％〜約１５％のフェニルアラニン、約０．０９％〜約１５％のプロリン、約０．０９％〜約１５％のセリンおよび約０．０９％〜約１５％のトレオニンを含む。この実施形態の他の態様では、本明細書に開示される発酵微生物上清は、例えば、約０．７％〜約１１％のアラニン、約０．５％〜約１０％のアルギニン、約０．９％〜約１３％のアスパラギン酸、約０．００８％〜約１．２％のシステイン、約１％〜約１５％のグルタミン酸、約０．５％〜約１０％のグリシン、約０．８％〜約１２％のリジン、約０．２％〜約１．６％のメチオニン、約０．５％〜約１０％のフェニルアラニン、約０．５％〜約１０％のプロリン、約０．５％〜約１０％のセリンおよび約０．５％〜約１０％のトレオニンを含む。この実施形態のまた別の態様では、本明細書に開示される発酵微生物上清は、例えば、約０．５％〜約９％のアラニン、約０．５％〜約８％のアルギニン、約１％〜約１１％のアスパラギン酸、約０．０１％〜約２％のシステイン、約３％〜約１３％のグルタミン酸、約０．５％〜約８％のグリシン、約１％〜約１０％のリジン、約０．３％〜約３％のメチオニン、約０．５％〜約７％のフェニルアラニン、約０．５％〜約７％のプロリン、約０．５％〜約７％のセリンおよび約０．５％〜約７％のトレオニンを含む。この実施形態のさらに別の態様では、本明細書に開示される発酵微生物上清は、例えば、約２％〜約６％のアラニン、約１％〜約５％のアルギニン、約４％〜約８％のアスパラギン酸、約０．０３％〜約０．７％のシステイン、約６％〜約１０％のグルタミン酸、約１％〜約５％のグリシン、約３％〜約７％のリジン、約０．７％〜約１．１％のメチオニン、約１％〜約５％のフェニルアラニン、約１％〜約５％のプロリン、約１％〜約５％のセリンおよび約１％〜約５％のトレオニンを含む。
【００５４】
本明細書の諸態様は、部分的には処理済み発酵微生物上清を開示する。処理済み発酵微生物上清とは、本明細書に開示される発酵微生物上清中に存在する、残存する生存酵母、酵母および麦芽ならびに他の任意の微生物による活性酵素あるいは別の供給源による酵素を変性させたり、死滅させたり、あるいは別の方法で破壊したりするよう処理した発酵微生物上清のことである。有用な処理方法の非限定的な例としては、高温を用いる煮沸工程、高温および高圧を用いるオートクレーブ工程、上清を電離放射線に曝露することによる照射工程、あるいは本明細書に開示される発酵微生物上清中に存在する、残存する生存酵母、酵母および麦芽ならびに他の任意の微生物による活性酵素あるいは別の供給源による酵素を変性させたり、死滅させたり、あるいは別の方法で破壊したりする他の任意の滅菌工程が挙げられる。さらに、上記の処理工程は、単独で、または互いに組み合わせて用いることも、あるいは低温殺菌工程、化学滅菌工程のほか、本明細書に開示される発酵上清中に存在する酵素などのタンパク質ならびに酵母、細菌および／またはカビなどの微生物を変性させたり、死滅させたり、あるいは別の方法で破壊する滅菌ろ過工程と組み合わせて用いることも可能である。上記の方法はいずれも、食品調製および／または滅菌の分野で日常的に用いられているため、当業者には公知の工程である。
【００５５】
次いで、処理済み発酵微生物上清を液体形態で保管して、のちに使用することができる。あるいは、処理済み発酵微生物上清を当該技術分野で公知の方法により噴霧乾燥させて乾燥粉末を作製することができる。乾燥粉末形態も、保管してのちに使用することができる。
【００５６】
本明細書に開示される処理済み発酵微生物上清の量については、それが本明細書に開示される方法および使用を実施するのに有用なものである限り、任意の量を開示の植物用薬剤組成物に用い得る。しかるべき量を決定するのに用いる因子としては、例えば、処理済み発酵微生物上清が液体形態であるのか粉末形態であるのかということ、処理済み発酵微生物上清の具体的な商業的供給源、処理済み発酵微生物上清の作製に用いる具体的な方法、植物用薬剤組成物を濃縮物として製造するのか、そのまま使用可能な製品として製造するのかということのほか、植物用薬剤組成物を濃縮物から調製する場合に所望する希釈倍数が挙げられる。通常、乾燥粉末形態よりも液体形態の処理済み発酵微生物上清の方が必要量が多くなる。
【００５７】
この実施形態の諸態様では、使用する処理済み発酵微生物上清の量は、例えば、約０．５重量％、約１．０重量％、約１．５重量％、約２．０重量％、約２．５重量％、約３．０重量％、約３．５重量％、約４．０重量％、約４．５重量％、約５．０重量％、約６．０重量％、約７．０重量％、約７．５重量％、約８．０重量％、約９．０重量％または約１０．０重量％である。この実施形態の他の態様では、使用する処理済み発酵微生物上清の量は、例えば、少なくとも０．５重量％、少なくとも１．０重量％、少なくとも１．５重量％、少なくとも２．０重量％、少なくとも２．５重量％、少なくとも３．０重量％、少なくとも３．５重量％、少なくとも４．０重量％、少なくとも４．５重量％、少なくとも５．０重量％、少なくとも６．０重量％、少なくとも７．０重量％、少なくとも７．５重量％、少なくとも８．０重量％、少なくとも９．０重量％または少なくとも１０．０重量％である。この実施形態のまた別の態様では、使用する処理済み発酵微生物上清の量は、例えば、最大０．５重量％、最大１．０重量％、最大１．５重量％、最大２．０重量％、最大２．５重量％、最大３．０重量％、最大３．５重量％、最大４．０重量％、最大４．５重量％、最大５．０重量％、最大６．０重量％、最大７．０重量％、最大７．５重量％、最大８．０重量％、最大９．０重量％または最大１０．０重量％である。この実施形態のさらに別の態様では、使用する処理済み発酵微生物上清の量は、例えば、約０．１重量％〜約２．５重量％、約０．１重量％〜約３．０重量％、約０．１重量％〜約３．５重量％、約０．１重量％〜約４．０重量％、約０．１重量％〜約５．０重量％、約０．５重量％〜約２．５重量％、約０．５重量％〜約３．０重量％、約０．５重量％〜約３．５重量％、約０．５重量％〜約４．０重量％、約０．５重量％〜約５．０重量％、約１重量％〜約２．５重量％、約１重量％〜約３．０重量％、約１重量％〜約３．５重量％、約１重量％〜約４．０重量％、約１重量％〜約５．０重量％、約１重量％〜約６．０重量％、約１重量％〜約７．０重量％、約１重量％〜約８．０重量％、約１重量％〜約９．０重量％または約１重量％〜約１０．０重量％である。
【００５８】
この実施形態の他の態様では、使用する処理済み発酵微生物上清の量は、例えば、約１５．０重量％、約２０．０重量％、約２５．０重量％、約３０．０重量％、約３５．０重量％、約４０．０重量％、約４５．０重量％、約５０．０重量％、約５５．０重量％、約６０．０重量％、約６５．０重量％、約７０．０重量％、約７５．０重量％、約８０．０重量％、約８５．０重量％または約９０．０重量％である。この実施形態のまた別の態様では、使用する処理済み発酵微生物上清の量は、例えば、少なくとも１５．０重量％、少なくとも２０．０重量％、少なくとも２５．０重量％、少なくとも３０．０重量％、少なくとも３５．０重量％、少なくとも４０．０重量％、少なくとも４５．０重量％、少なくとも５０．０重量％、少なくとも５５．０重量％、少なくとも６０．０重量％、少なくとも６５．０重量％、少なくとも７０．０重量％、少なくとも７５．０重量％、少なくとも８０．０重量％、少なくとも８５．０重量％または少なくとも９０．０重量％である。この実施形態のさらに別の態様では、使用する処理済み発酵微生物上清の量は、例えば、最大１５．０重量％、最大２０．０重量％、最大２５．０重量％、最大３０．０重量％、最大３５．０重量％、最大４０．０重量％、最大４５．０重量％、最大５０．０重量％、最大５５．０重量％、最大６０．０重量％、最大６５．０重量％、最大７０．０重量％、最大７５．０重量％、最大８０．０重量％、最大８５．０重量％または最大９０．０重量％である。
【００５９】
この実施形態の他の態様では、使用する処理済み発酵微生物上清の量は、例えば、約５重量％〜約７．５重量％、約５重量％〜約１０重量％、約５重量％〜約１５重量％、約５重量％〜約２０重量％、約５重量％〜約２５重量％、約５重量％〜約３０重量％、約５重量％〜約３５重量％、約５重量％〜約４０重量％、約５重量％〜約４５重量％、約５重量％〜約５０重量％、約５重量％〜約５５重量％、約５重量％〜約６０重量％、約５重量％〜約６５重量％、約５重量％〜約７０重量％、約５重量％〜約７５重量％、約５重量％〜約８０重量％、約５重量％〜約８５重量％、約５重量％〜約９０重量％、約５重量％〜約９５重量％、約１０重量％〜約１５重量％、約１０重量％〜約２０重量％、約１０重量％〜約２５重量％、約１０重量％〜約３０重量％、約１０重量％〜約３５重量％、約１０重量％〜約４０重量％、約１０重量％〜約４５重量％、約１０重量％〜約５０重量％、約１０重量％〜約５５重量％、約１０重量％〜約６０重量％、約１０重量％〜約６５重量％、約１０重量％〜約７０重量％、約１０重量％〜約７５重量％、約１０重量％〜約８０重量％、約１０重量％〜約８５重量％、約１０重量％〜約９０重量％、約１０重量％〜約９５重量％、約１５重量％〜約２０重量％、約１５重量％〜約２５重量％、約１５重量％〜約３０重量％、約１５重量％〜約３５重量％、約１５重量％〜約４０重量％、約１５重量％〜約４５重量％、約１５重量％〜約５０重量％、約１５重量％〜約５５重量％、約１５重量％〜約６０重量％、約１５重量％〜約６５重量％、約１５重量％〜約７０重量％、約１５重量％〜約７５重量％、約１５重量％〜約８０重量％、約１５重量％〜約８５重量％、約１５重量％〜約９０重量％、約１５重量％〜約９５重量％、約２５重量％〜約２５重量％、約２５重量％〜約３０重量％、約２５重量％〜約３５重量％、約２５重量％〜約４０重量％、約２５重量％〜約４５重量％、約２５重量％〜約５０重量％、約２５重量％〜約５５重量％、約２５重量％〜約６０重量％、約２５重量％〜約６５重量％、約２５重量％〜約７０重量％、約２５重量％〜約７５重量％、約２５重量％〜約８０重量％、約２５重量％〜約８５重量％、約２５重量％〜約９０重量％、約２５重量％〜約９５重量％、約２５重量％〜約３０重量％、約２５重量％〜約３５重量％、約２５重量％〜約４０重量％、約２５重量％〜約４５重量％、約２５重量％〜約５０重量％、約２５重量％〜約５５重量％、約２５重量％〜約６０重量％、約２５重量％〜約６５重量％、約２５重量％〜約７０重量％、約２５重量％〜約７５重量％、約２５重量％〜約８０重量％、約２５重量％〜約８５重量％、約２５重量％〜約９０重量％、約２５重量％〜約９５重量％、約３０重量％〜約３５重量％、約３０重量％〜約４０重量％、約３０重量％〜約４５重量％、約３０重量％〜約５０重量％、約３０重量％〜約５５重量％、約３０重量％〜約６０重量％、約３０重量％〜約６５重量％、約３０重量％〜約７０重量％、約３０重量％〜約７５重量％、約３０重量％〜約８０重量％、約３０重量％〜約８５重量％、約３０重量％〜約９０重量％、約３０重量％〜約９５重量％、約３５重量％〜約４０重量％、約３５重量％〜約４５重量％、約３５重量％〜約５０重量％、約３５重量％〜約５５重量％、約３５重量％〜約６０重量％、約３５重量％〜約６５重量％、約３５重量％〜約７０重量％、約３５重量％〜約７５重量％、約３５重量％〜約８０重量％、約３５重量％〜約８５重量％、約３５重量％〜約９０重量％、約３５重量％〜約９５重量％、約４０重量％〜約４５重量％、約４０重量％〜約５０重量％、約４０重量％〜約５５重量％、約４０重量％〜約６０重量％、約４０重量％〜約６５重量％、約４０重量％〜約７０重量％、約４０重量％〜約７５重量％、約４０重量％〜約８０重量％、約４０重量％〜約８５重量％、約４０重量％〜約９０重量％、約４０重量％〜約９５重量％、約４５重量％〜約５０重量％、約４５重量％〜約５５重量％、約４５重量％〜約６０重量％、約４５重量％〜約６５重量％、約４５重量％〜約７０重量％、約４５重量％〜約７５重量％、約４５重量％〜約８０重量％、約４５重量％〜約８５重量％、約４５重量％〜約９０重量％、約４５重量％〜約９５重量％、約５０重量％〜約５５重量％、約５０重量％〜約６０重量％、約５０重量％〜約６５重量％、約５０重量％〜約７０重量％、約５０重量％〜約７５重量％、約５０重量％〜約８０重量％、約５０重量％〜約８５重量％、約５０重量％〜約９０重量％、約５０重量％〜約９５重量％、約５５重量％〜約６０重量％、約５５重量％〜約６５重量％、約５５重量％〜約７０重量％、約５５重量％〜約７５重量％、約５５重量％〜約８０重量％、約５５重量％〜約８５重量％、約５５重量％〜約９０重量％、約５５重量％〜約９５重量％、約６０重量％〜約６５重量％、約６０重量％〜約７０重量％、約６０重量％〜約７５重量％、約６０重量％〜約８０重量％、約６０重量％〜約８５重量％、約６０重量％〜約９０重量％、約６０重量％〜約９５重量％、約６５重量％〜約７０重量％、約６５重量％〜約７５重量％、約６５重量％〜約８０重量％、約６５重量％〜約８５重量％、約６５重量％〜約９０重量％、約６５重量％〜約９５重量％、約７０重量％〜約７５重量％、約７０重量％〜約８０重量％、約７０重量％〜約８５重量％、約７０重量％〜約９０重量％、約７０重量％〜約９５重量％、約７５重量％〜約８０重量％、約７５重量％〜約８５重量％、約７５重量％〜約９０重量％、約７５重量％〜約９５重量％、約８０重量％〜約８５重量％、約８０重量％〜約９０重量％、約８０重量％〜約９５重量％、約８５重量％〜約９０重量％、約８５重量％〜約９５重量％または約９０重量％〜約９５重量％である。
【００６０】
本明細書の諸態様は、部分的には界面活性剤を開示する。界面活性剤とは、液体の表面張力を低下させて拡散しやすくするほか、２液体間または液体と固体との間の界面張力を低下させる化合物のことである。単一の界面活性剤を本明細書に開示される緩衝溶液と混合してもよく、あるいは複数の界面活性剤を本明細書に開示される緩衝溶液と混合してもよい。有用な界面活性剤としては、特に限定されないが、イオン界面活性剤、双性イオン（両性）界面活性剤、非イオン界面活性剤またはその任意の組合せが挙げられる。本明細書に開示される方法に使用する界面活性剤は、当業者が必要に応じて変化させることができ、一般に、使用する具体的な緩衝液、溶離させるタンパク質および用いる伝導率の値に部分的に左右される。
【００６１】
イオン界面活性剤には陰イオン界面活性剤がある。陰イオン界面活性剤には、頭部に結合した耐久性官能基、例えば硫酸基、スルホン酸基、リン酸基、カルボン酸基などに基づくもの、またはｐＨ依存性陰イオン界面活性剤がある。陰イオン界面活性剤としては、特に限定されないが、ラウリル硫酸アンモニウムおよびラウリル硫酸ナトリウム（ＳＤＳ）などの硫酸アルキル；ラウレス硫酸ナトリウムおよびミレス硫酸ナトリウムなどの硫酸アルキルエーテル；スルホコハク酸ジオクチルナトリウムなどのドクサート；ペルフルオロオクタンスルホナート（ＰＦＯＳ）およびペルフルオロブタンスルホナートなどのスルホン酸フッ素系界面活性剤；ＤＯＷＦＡＸ（商標）２Ａ１（ラウリルフェニルエーテルジスルホン酸二ナトリウム）、ＤＯＷＦＡＸ（商標）３Ｂ２（デシルフェニルエーテルジスルホン酸二ナトリウム）、ＤＯＷＦＡＸ（商標）Ｃ１０Ｌ（デシルフェニルエーテルジスルホン酸二ナトリウム）、ＤＯＷＦＡＸ（商標）２ＥＰおよびＤＯＷＦＡＸ（商標）８３９０（セチルフェニルエーテルジスルホン酸二ナトリウム）などのアルキルジフェニルオキシドジスルホナート；ＴＲＩＴＯＮ（商標）Ｈ−５５およびＴＲＩＴＯＮ（商標）Ｈ−６６などのリン酸カリウムポリエーテルエステル；アルキルベンゼンスルホン酸塩；アルキルアリールエーテルリン酸塩；アルキルエーテルリン酸塩；脂肪酸塩およびステアリン酸ナトリウムなどのアルキルカルボン酸塩；ラウロイルサルコシンナトリウム；ペルフルオロノナノアートおよびペルフルオロオクタノアートなどのカルボン酸フッ素系界面活性剤；ならびにヘキシルジフェニルエーテルスルホン酸ナトリウム（ＤＯＷＦＡＸ（商標）Ｃ６Ｌ）が挙げられる。
【００６２】
イオン界面活性剤にはこのほか、陽イオン界面活性剤がある。陽イオン界面活性剤には、耐久性またはｐＨ依存性の陽イオン界面活性剤に基づくもの、例えば第一級アミン、第二級アミンまたは第三級アミンなどがある。陽イオン界面活性剤としては、特に限定されないが、セチルトリメチルアンモニウムブロミド（ＣＴＡＢ）およびセチルトリメチルアンモニウムクロリド（ＣＴＡＣ）などのアルキルトリメチルアンモニウム塩；塩化セチルピリジニウム（ＣＰＣ）；ポリエトキシ化牛脂アミン（ＰＯＥＡ）；塩化ベンザルコニウム（ＢＡＣ）；塩化ベンゼトニウム（ＢＺＴ）；５−ブロモ−５−ニトロ−１，３−ジオキサン；ジメチルジオクタデシルアンモニウムクロリド；ならびにジオクタデシルジメチルアンモニウムブロミド（ＤＯＤＡＢ）のほかにも、オクテニジンジヒドロクロリドなど、ｐＨ１０超で第一級アミンが正に帯電するかｐＨ４未満で第二級アミンが帯電する界面活性剤などのｐＨ依存性の第一級アミン、第二級アミンまたは第三級アミンが挙げられる。その他の有用な陰イオン界面活性剤としてはバイオ陰イオン界面活性剤が挙げられ、特に限定されないが、ラウリル硫酸アンモニウムのＳＴＥＰＯＮＯＬ（登録商標）ＡＭ３０−ＫＥおよび２−エチルヘキシル硫酸ナトリウムのＳＴＥＰＯＮＯＬ（登録商標）ＥＨＳがこれに含まれる。このようなバイオ界面活性剤は合成分子ではなく、植物などの有機物に由来する陰イオン界面活性剤である。
【００６３】
双性イオン界面活性剤は、スルホン酸塩、カルボン酸塩またはリン酸塩を有する第一級アミン、第二級アミンもしくは第三級アミンまたは第四級アンモニウム陽イオンに基づくものである。双性イオン界面活性剤としては、特に限定されないが、３−［（３−コラミドプロピル）ジメチルアンモニオ］−１−プロパンスルホナート（ＣＨＡＰＳ）；コカミドプロピルヒドロキシスルタインなどのスルタイン；コカミドプロピルベタインなどのベタイン；またはレシチンが挙げられる。
【００６４】
非イオン界面活性剤は他のものより変性作用が少ないため、タンパク質間相互作用を保持しながら膜タンパク質および脂質を可溶化するのに有用である。非イオン界面活性剤には、ポリエーテル系非イオン界面活性剤、ポリヒドロキシル系非イオン界面活性剤およびバイオ界面活性剤がある。非イオン界面活性剤としては、アルコールエトキシラート、アルキルフェノールエトキシラート、フェノールエトキシラート、アミドエトキシラート、グリセリドエトキシラート、脂肪酸エトキシラートおよび脂肪アミンエトキシラートが挙げられる。本明細書に開示される非イオン界面活性剤は、一般式Ｈ（ＯＣＨ２ＣＨ２）ｘＯＣ６Ｈ４Ｒ１、（ＯＣＨ２ＣＨ２）ｘＯＲ２またはＨ（ＯＣＨ２ＣＨ２）ｘＯＣ（Ｏ）Ｒ２を有し得るものであり、式中、ｘはアルキルフェノールおよび／または脂肪アルコールもしくは脂肪酸に付加したエチレンオキシドのモル数を表し、Ｒ１は長鎖アルキル基を表し、Ｒ２は長鎖脂肪族基を表す。この実施形態の諸態様では、Ｒ１がＣ７〜Ｃ１０アルキル基であり、かつ／またはＲ２がＣ１２〜Ｃ２０脂肪族基である。その他の有用な非イオン界面活性剤としては、特に限定されないが、ＳＴＥＰＯＳＯＬ（登録商標）ＭＥＴ−１０Ｕ、メタセシスによって得られ不飽和短鎖アミドである非イオン界面活性剤を含めたバイオ非イオン界面活性剤が挙げられる。このようなバイオ界面活性剤は合成分子ではなく、植物などの有機物に由来する非イオン性のバイオ界面活性剤である。
【００６５】
界面活性剤の非限定的な例としては、ポリソルベート２０ソルビタンモノオレアート（ＴＷＥＥＮ（登録商標）２０）、ポリソルベート４０ソルビタンモノオレアート（ＴＷＥＥＮ（登録商標）４０）、ポリソルベート６０ソルビタンモノオレアート（ＴＷＥＥＮ（登録商標）６０）、ポリソルベート６１ソルビタンモノオレアート（ＴＷＥＥＮ（登録商標）６１）、ポリソルベート６５ソルビタンモノオレアート（ＴＷＥＥＮ（登録商標）６５）、ポリソルベート８０ソルビタンモノオレアート（ＴＷＥＥＮ（登録商標）８０）、ポリソルベート８１ソルビタンモノオレアート（ＴＷＥＥＮ（登録商標）８１）およびポリソルベート８５ソルビタンモノオレアート（ＴＷＥＥＮ（登録商標）８５）などのポリオキシエチレングリコールソルビタンアルキルエステル（またはエトキシ化ソルビタールエステル）；ソルビタンモノオレアート、ソルビタンモノラウラート、ソルビタンモノパルミタート、モソルビタンモノステアラートおよびソルビタントリステアラートなどのソルビタールエステル；グリセロールモノオレアート、グリセロールモノラウラート、グリセロールモノパルミタート、グリセロールモノステアラート、グリセロールトリオレアート、グリセロールリシノレアート、グリセロールトリステアラート、モノジグリセリドおよびグリセロールトリアセタートなどのポリグリセロールエステル；エトキシ化ポリグリセロールエステル；アラキジルグルコシド、Ｃ１２〜２０アルキルグルコシド、カプリリル／カプリルグルコシド、セテアリルグルコシド、ココ−グルコシド、エチルグルコシドおよびラウリルグルコシド、デシルグルコシドなどのアルキルグルコシド；エトキシ化アルキルグルコシド；スクロースモノオレアート、スクロースモノラウラート、スクロースモノパルミタート、スクロースモノステアラート、スクローストリオレアート、スクロースリシノレアート、スクローストリステアラート、スクロースジグリセリドおよびスクローストリアセタートなどのスクロースエステル；エトキシ化スクロースエステル；アミンオキシド；エトキシ化アルコール；エトキシ化脂肪族アルコール；アルキルアミン；エトキシ化アルキルアミン；エトキシ化ノニルフェノールおよびエトキシ化オクチルフェノールなどのエトキシ化アルキルフェノール；アルキルポリサッカライド；エトキシ化アルキルポリサッカライド；エトキシ化ヒマシ油などのエトキシ化脂肪酸；エトキシ化セト−オレイルアルコール、エトキシ化セト−ステアリルアルコール、エトキシ化デシルアルコール、エトキシ化ドデシルアルコールおよびエトキシ化トリデシルアルコールなどのエトキシ化脂肪アルコール；エトキシ化脂肪アミン；ポロキサマー１２４（プルロニック（登録商標）Ｌ４４）、ポロキサマー１８１（プルロニック（登録商標）Ｌ６１）、ポロキサマー１８２（プルロニック（登録商標）Ｌ６２）、ポロキサマー１８４（プルロニック（登録商標）Ｌ６４）、ポロキサマー１８８（プルロニック（登録商標）Ｆ６８）、ポロキサマー２３７（プルロニック（登録商標）Ｆ８７）、ポロキサマー３３８（プルロニック（登録商標）Ｌ１０８）およびポロキサマー４０７（プルロニック（登録商標）Ｆ１２７）などのポロキサマー（ポリエチレン−ポリプロピレンコポリマー）；ＴＥＲＧＩＴＯＬ（商標）１５−Ｓ−５、ＴＥＲＧＩＴＯＬ（商標）１５−Ｓ−７、ＴＥＲＧＩＴＯＬ（商標）１５−Ｓ−９、ＴＥＲＧＩＴＯＬ（商標）１５−Ｓ−１２、ＴＥＲＧＩＴＯＬ（商標）１５−Ｓ−１５、ＴＥＲＧＩＴＯＬ（商標）１５−Ｓ−２０、ＴＥＲＧＩＴＯＬ（商標）１５−Ｓ−３０およびＴＥＲＧＩＴＯＬ（商標）１５−Ｓ−４０などの直鎖第二級アルコールエトキシラート；アルキルフェノールポリグリコールエーテル；ポリエチレングリコールアルキルアリールエーテル；オクタエチレングリコールモノドデシルエーテル、ペンタエチレングリコールモノドデシルエーテル、ＢＲＩＪ（登録商標）３０およびＢＲＩＪ（登録商標）３５などのポリオキシエチレングリコールアルキルエーテル；２−ドデコキシエタノール（ＬＵＢＲＯＬ（登録商標）−ＰＸ）；ポリオキシエチレン（４−５）ｐ−ｔ−オクチルフェノール（ＴＲＩＴＯＮ（登録商標）Ｘ−４５）およびポリオキシエチレンオクチルフェニルエーテル（ＴＲＩＴＯＮ（登録商標）Ｘ−１００）などのポリオキシエチレングリコールオクチルフェノールエーテル；ノノキシノール−９などのポリオキシエチレングリコールアルキルフェノールエーテル；ノニルフェノキシポリエトキシエタノールおよびオクチルフェノキシポリエトキシエタノール（ＩＧＥＰＡＬ（登録商標）ＣＡ−６３０またはＮＯＮＩＤＥＴ（商標）Ｐ−４０）などのフェノキシポリエトキシエタノール；オクチルグルコピラノシドなどのグルコシドアルキルエーテル；ドデシルマルトピラノシドなどのマルトシドアルキルエーテル；ヘプチルチオグルコピラノシドなどのチオグルコシドアルキルエーテル；ジギトニン；ラウリン酸グリセリルなどのグリセロールアルキルエステル；硫酸アルキルアリールポリエーテル；スルホン酸アルコール；ソルビタンアルキルエステル；コカミドモノエタノールアミンおよびコカミドジエタノールアミンなどのコカミドエタノールアミン；スクロースモノラウラート；ドデシルジメチルアミンオキシドならびにコール酸ナトリウムが挙げられる。本明細書に開示される方法に有用な界面活性剤の他の例は、例えば、Ｗｉｎｓｌｏｗら，Ｍｅｔｈｏｄｓ  ａｎｄ  Ｃｏｍｐｏｓｉｔｉｏｎｓ  ｆｏｒ  Ｓｉｍｕｌｔａｎｅｏｕｓｌｙ  Ｉｓｏｌａｔｉｎｇ  Ｈｅｍｏｇｌｏｂｉｎ  ｆｒｏｍ  Ｒｅｄ  Ｂｌｏｏｄ  Ｃｅｌｌｓ  ａｎｄ  Ｉｎａｃｔｉｖａｔｉｎｇ  Ｖｉｒｕｓｅｓ，米国特許出願公開第２００８／０１３８７９０号；Ｐｈａｒｍａｃｅｕｔｉｃａｌ  Ｄｏｓａｇｅ  Ｆｏｒｍｓ  ａｎｄ  Ｄｒｕｇ  Ｄｒｕｇ  Ｄｅｌｉｖｅｒｙ  Ｓｙｓｔｅｍｓ（Ｈｏｗａｒｄ  Ｃ．Ａｎｓｅｌら編，Ｌｉｐｐｉｎｃｏｔｔ  Ｗｉｌｌｉａｍｓ  ＆  Ｗｉｌｋｉｎｓ  Ｐｕｂｌｉｓｈｅｒｓ，第７版，１９９９）；Ｒｅｍｉｎｇｔｏｎ：Ｔｈｅ  Ｓｃｉｅｎｃｅ  ａｎｄ  Ｐｒａｃｔｉｃｅ  ｏｆ  Ｐｈａｒｍａｃｙ（Ａｌｆｏｎｓｏ  Ｒ．Ｇｅｎｎａｒｏら，Ｌｉｐｐｉｎｃｏｔｔ，Ｗｉｌｌｉａｍｓ  ＆  Ｗｉｌｋｉｎｓ，第２０版，２０００）；Ｇｏｏｄｍａｎ  ＆  Ｇｉｌｍａｎ’ｓ  Ｔｈｅ  Ｐｈａｒｍａｃｅｕｔｉｃａｌ  Ｂａｓｉｓ  ｏｆ  Ｔｈｅｒａｐｅｕｔｉｃｓ（Ｊｏｅｌ  Ｇ．Ｈａｒｄｍ��ｎら編，ＭｃＧｒａｗ−Ｈｉｌｌ  Ｐｒｏｆｅｓｓｉｏｎａｌ，第１０版，２００１）；およびＨａｎｄｂｏｏｋ  ｏｆ  Ｐｈａｒｍａｃｅｕｔｉｃａｌ  Ｅｘｃｅｐｉｅｎｔｓ（Ｒａｙｍｏｎｄ  Ｃ．Ｒｏｗｅら，ＡＰｈＡ  Ｐｕｂｌｉｃａｔｉｏｎｓ，第４版，２００３）（それぞれその全体が参照により本明細書に組み込まれる）にみることができる。
【００６６】
非イオン界面活性剤は、相乗的に作用して発酵微生物上清の作用を増強する。さらに、本明細書に開示される植物用薬剤組成物に使用する非イオン界面活性剤は、化学反応の促進に適合性があることが確認されている。したがって、一実施形態では、本明細書に開示される植物用薬剤組成物は、１つのみまたは複数の非イオン界面活性剤を含有する。別の実施形態では、本明細書に開示される植物用薬剤組成物は、１つのみまたは複数の非イオン界面活性剤と１つまたは複数の陰イオン界面活性剤とを含有する。別の実施形態では、本明細書に開示される植物用薬剤組成物は、陽イオン界面活性剤を一切含有しない。別の実施形態では、本明細書に開示される植物用薬剤組成物は、陽イオン界面活性剤も双性イオン界面活性剤も含有しない。別の実施形態では、本明細書に開示される植物用薬剤組成物は、イオン界面活性剤を一切含有しない。別の実施形態では、本明細書に開示される植物用薬剤組成物は、イオン界面活性剤も双性イオン界面活性剤も一切含有しない。
【００６７】
本明細書に開示される界面活性剤の量については、それが本明細書に開示される方法を実施するのに有用なものである限り、任意の量を用い得る。この実施形態の諸態様では、使用する界面活性剤の量は、例えば、約０．０１重量％、約０．０５重量％、約０．０７５重量％、約０．１重量％、約０．２重量％、約０．３重量％、約０．４重量％、約０．５重量％、約０．６重量％、約０．７重量％、約０．８重量％、約０．９重量％、約１．０重量％、約１．５重量％、約２．０重量％、約２．５重量％、約３．０重量％、約４．０重量％、約５．０重量％、約６．０重量％、約７．０重量％、約７．５重量％、約８．０重量％、約９．０重量％または約１０．０重量％である。この実施形態の他の態様では、使用する界面活性剤の量は、例えば、少なくとも０．０１重量％、少なくとも０．０５重量％、少なくとも０．０７５重量％、少なくとも０．１重量％、少なくとも０．２５重量％、少なくとも０．５重量％、少なくとも０．７５重量％、少なくとも１．０重量％、少なくとも１．５重量％、少なくとも２．０重量％、少なくとも２．５重量％、少なくとも３．０重量％、少なくとも４．０重量％、少なくとも５．０重量％、少なくとも６．０重量％、少なくとも７．０重量％、少なくとも７．５重量％、少なくとも８．０重量％、少なくとも９．０重量％または少なくとも１０．０重量％である。この実施形態のまた別の態様では、使用する界面活性剤の量は、例えば、最大０．０１重量％、最大０．０５重量％、最大０．０７５重量％、最大０．１重量％、最大０．２５重量％、最大０．５重量％、最大０．７５重量％、最大１．０重量％、最大１．５重量％、最大２．０重量％、最大２．５重量％、最大３．０重量％、最大４．０重量％、最大５．０重量％、最大６．０重量％、最大７．５重量％、最大８．０重量％、最大９．０重量％または最大１０．０重量％である。
【００６８】
この実施形態のさらに別の態様では、使用する界面活性剤の量は、例えば、約０．１重量％〜約０．５重量％、約０．１重量％〜約０．７５重量％、約０．１重量％〜約１．０重量％、約０．１重量％〜約１．５重量％、約０．１重量％〜約２．０重量％、約０．１重量％〜約２．５重量％、約０．２重量％〜約０．５重量％、約０．２重量％〜約０．７５重量％、約０．２重量％〜約１．０重量％、約０．２重量％〜約１．５重量％、約０．２重量％〜約２．０重量％、約０．２重量％〜約２．５重量％、約０．５重量％〜約１．０重量％、約０．５重量％〜約１．５重量％、約０．５重量％〜約２．０重量％、約０．５重量％〜約２．５重量％、約０．５重量％〜約３．０重量％、約０．５重量％〜約４．０重量％、約０．５重量％〜約５．０重量％、約１．０重量％〜約２．５重量％、約１．０重量％〜約３．０重量％、約１．０重量％〜約４．０重量％、約１．０重量％〜約５．０重量％、約１．０重量％〜約６．０重量％、約１．０重量％〜約７．０重量％、約１．０重量％〜約７．５重量％、約１．０重量％〜約８．０重量％、約１．０重量％〜約９．０重量％、約１．０重量％〜約１０．０重量％、約２．０重量％〜約２．５重量％、約２．０重量％〜約３．０重量％、約２．０重量％〜約４．０重量％、約２．０重量％〜約５．０重量％、約２．０重量％〜約６．０重量％、約２．０重量％〜約７．０重量％、約２．０重量％〜約７．５重量％、約２．０重量％〜約８．０重量％、約２．０重量％〜約９．０重量％、約２．０重量％〜約１０．０重量％、約５．０重量％〜約６．０重量％、約５．０重量％〜約７．０重量％、約５．０重量％〜約７．５重量％、約５．０重量％〜約８．０重量％、約５．０重量％〜約９．０重量％、約５．０重量％〜約１０．０重量％、約５．０重量％〜約１１．０重量％、約５．０重量％〜約１２．０重量％、約５．０重量％〜約１３．０重量％、約５．０重量％〜約１４．０重量％または約５．０重量％〜約１５．０重量％である。
【００６９】
本明細書の諸態様は、部分的には本明細書に開示される植物用薬剤組成物のｐＨを開示する。植物用薬剤組成物の最終ｐＨは通常、組成物の有効期間の延長に寄与することから酸性である。この実施形態の諸態様では、本明細書に開示される植物用薬剤組成物のｐＨは、例えば、約２、約２．５、約３、約３．５、約４、約４．５、約５、約５．５または約６である。この実施形態の他の態様では、本明細書に開示される植物用薬剤組成物のｐＨは、例えば、少なくとも２、少なくとも２．５、少なくとも３、少なくとも３．５、少なくとも４、少なくとも４．５、少なくとも５、少なくとも５．５または少なくとも６である。この実施形態のまた別の態様では、本明細書に開示される植物用薬剤組成物のｐＨは、例えば、最大２、最大２．５、最大３、最大３．５、最大４、最大４．５、最大５、最大５．５または最大６である。この実施形態のさらに別の態様では、本明細書に開示される植物用薬剤組成物のｐＨは、例えば、約２〜約３、約２〜約３．５、約２〜約４、約２〜約４．５、約２〜約５、約２〜約５．５、約２〜約６、約２．５〜約３、約２．５〜約３．５、約２．５〜約４、約２．５〜約４．５、約２．５〜約５、約２．５〜約５．５、約２．５〜約６、約３〜約３．５、約３〜約４、約３〜約４．２、約３〜約４．５、約３〜約４．７、約３〜約５、約３〜約５．２、約３〜約５．５、約３〜約６、約３．５〜約４、約３．５〜約４．２、約３．５〜約４．５、約３．５〜約４．７、約３．５〜約５、約３．５〜約５．２、約３．５〜約５．５、約３．５〜約６、約３．７〜約４．０、約３．７〜約４．２、約３．７〜約４．５、約３．７〜約５．２、約３．７〜約５．５または約３．７〜約６．０である。
【００７０】
本明細書に開示される植物用薬剤組成物は、ヒト、家畜を含めた哺乳動物、植物および環境に対する有害作用が最小限のものである。この実施形態の一態様では、本明細書に開示される植物用薬剤組成物は、ヒト、哺乳動物、植物および環境に対して実質的に無毒性である。この実施例の他の態様では、本明細書に開示される植物用薬剤組成物は、ヒト、哺乳動物、植物および環境に対して基本的に無毒性である。
【００７１】
本明細書の諸態様は、部分的には生分解性の植物用薬剤組成物を開示する。本明細書に開示される生分解性植物用薬剤組成物とは、本明細書に開示される方法および使用に従って用いた後、相当程度の分解、腐食、吸収、腐敗または破壊を受ける傾向がある組成物のことである。この実施形態の諸態様では、本明細書に開示される植物用薬剤組成物の少なくとも７５％、少なくとも８０％、少なくとも８５％、少なくとも９０％、少なくとも９５％、少なくとも９９％が、例えば、約１日、約２日、約３日、約４日、約５日、約６日または約７日で生分解する。この実施形態の他の態様では、本明細書に開示される植物用薬剤組成物の少なくとも７５％、少なくとも８０％、少なくとも８５％、少なくとも９０％、少なくとも９５％、少なくとも９９％が、例えば、約１〜約２日、約１〜約３日、約１〜約４日、約１〜約５日、約１〜約６日、約１〜約７日、約２〜約３日、約２〜約４日、約２〜約５日、約２〜約６日、約２〜約７日、約３〜約４日、約３〜約５日、約３〜約６日、約３〜約７日、約４〜約５日、約４〜約６日、約４〜約７日、約５〜約６日、約５〜約７日または約６〜約７日で生分解する。
【００７２】
この実施形態の諸態様では、本明細書に開示される植物用薬剤組成物の少なくとも７５％、少なくとも８０％、少なくとも８５％、少なくとも９０％、少なくとも９５％、少なくとも９９％が、例えば、約７日、約８日、約９日、約１０日、約１１日、約１２日、約１３日または約１４日で生分解する。この実施形態の他の態様では、本明細書に開示される植物用薬剤組成物の少なくとも７５％、少なくとも８０％、少なくとも８５％、少なくとも９０％、少なくとも９５％、少なくとも９９％が、例えば、約７〜約８日、約７〜約９日、約７〜約１０日、約７〜約１１日、約７〜約１２日、約７〜約１３日、約７〜約１４日、約８〜約９日、約８〜約１０日、約８〜約１１日、約８〜約１２日、約８〜約１３日、約８〜約１４日、約９〜約１０日、約９〜約１１日、約９〜約１２日、約９〜約１３日、約９〜約１４日、約９〜約１１日、約９〜約１２日、約９〜約１３日、約９〜約１４日、約１０〜約１１日、約１０〜約１２日、約１０〜約１３日、約１０〜約１４日、約１１〜約１２日、約１１〜約１３日、約１１〜約１４日、約１２〜約１３日、約１２〜約１４日または約１３〜約１４日で生分解する。
【００７３】
この実施形態の諸態様では、本明細書に開示される植物用薬剤組成物の少なくとも７５％、少なくとも８０％、少なくとも８５％、少なくとも９０％、少なくとも９５％、少なくとも９９％が、例えば、約１５日、約１６日、約１７日、約１８日、約１９日、約２０日または約２１日で生分解する。この実施形態の他の態様では、本明細書に開示される植物用薬剤組成物の少なくとも７５％、少なくとも８０％、少なくとも８５％、少なくとも９０％、少なくとも９５％、少なくとも９９％が、例えば、約１５〜約１６日、約１５〜約１７日、約１５〜約１８日、約１５〜約１９日、約１５〜約２０日、約１５〜約２１日、約１６〜約１７日、約１６〜約１８日、約１６〜約１９日、約１６〜約２０日、約１６〜約２１日、約１７〜約１８日、約１７〜約１９日、約１７〜約２０日、約１７〜約２１日、約１８〜約１９日、約１８〜約２０日、約１８〜約２１日、約１９〜約２０日、約１９〜約２１日または約２０〜約２１日で生分解する。
【００７４】
本明細書の諸態様は、部分的には、本明細書に開示される方法または使用を実施するのに有用な１つまたは複数の構成要素を含む、キットを開示する。キットは、本明細書に開示される方法または使用を実施するのに有用な構成要素を、商業的販売を容易にしたり、促進したりするのに便利なように収納したものを提供する。例えば、キットは、本明細書に開示される植物用薬剤組成物と、本明細書に開示される方法または使用を実施するのに有用な１つまたは複数の他の試薬、例えば１つもしくは複数の希釈剤および／または１つもしくは複数の担体などとを含み得る。
【００７５】
キットは通常、本明細書に開示される方法または使用を実施するのに有用な１つまたは複数の構成要素を適切な容器、例えば、箱または他の密閉された運搬容器に入れたものを提供する。さらに、本明細書に開示されるキットは通常、１つまたは複数の構成要素を入れた別個の容器、例えばボトル、バイアル、フラスコまたは他の密閉された運搬容器を含む。例えば、キットには、本明細書に開示される植物用薬剤組成物用の容器および１つまたは複数の他の試薬用の別個の容器が含まれる。キットは携帯可能なもの、例えば、商工業施設または農地などの遠隔地まで運搬して使用することが可能なものであり得る。これ以外にも、キットは居住用建物で用いられるものであり得る。
【００７６】
本明細書に開示されるキットは、ラベルまたは挿入物を含み得る。ラベルまたは挿入物は、別個の材料、包装材料（例えば、箱）として提供し得るか、キット構成要素の入った容器に取り付けたり、貼り付けたりし得る、「印刷物」を含む。ラベルまたは挿入物は、コンピュータで読取り可能な媒体、例えばディスク（例えば、ハードディスク、フラッシュメモリ）、ＣＤ−ＲＯＭ／ＲＡＭもしくはＤＶＤ−ＲＯＭ／ＲＡＭなどの光ディスク、ＤＶＤ、ＭＰ３、磁気テープまたはＲＡＭおよびＲＯＭなどの蓄電媒体あるいはこれらのハイブリッド、例えば磁気／光学記憶媒体、フラッシュ媒体またはメモリ型カードなどをさらに含み得る。ラベルまたは挿入物は、中の１つまたは複数の構成要素の識別情報、投入量、投入の頻度またはタイミング、個々の構成要素に関する情報を含み得る。ラベルまたは挿入物は、製造業者情報、ロット番号、製造業者の所在地および日付を示す情報を含み得る。ラベルまたは挿入物は、キット構成要素を使用し得る条件または状況に関する情報を含み得る。ラベルまたは挿入物は、本明細書に開示される方法または使用においてキット構成要素のうちの１つまたは複数のものを用いるための指示を含み得る。指示には、投入の量、頻度または継続時間および本明細書に記載される方法、使用または処理プロトコルのいずれかを実施するための指示のほかにも、潜在的危険性またはキットの構成要素を使用するのに適さない状況に関する警告が含まれ得る。
【００７７】
本明細書の諸態様は、部分的には植物病害の病原体を防除する方法を開示する。開示される植物病害の病原体を防除する方法は、病原体が寄生した１つもしくは複数の植物に有効量の本明細書に開示される植物用薬剤組成物を適用する段階および／または病原体が植物用薬剤組成物に曝露されるように１つもしくは複数の場所に有効量の本明細書に開示される植物用薬剤組成物を適用する段階を含む。本明細書に開示される植物用薬剤組成物の適用により、例えば、防除しようとする植物病害の病原体に有害作用がもたらされる。
【００７８】
本明細書の諸態様は、部分的には、植物病害の病原体の防除への本明細書に開示される植物用薬剤組成物の使用を開示する。開示される植物用薬剤組成物の使用は、病原体が寄生した１つもしくは複数の植物に有効量の本明細書に開示される植物用薬剤組成物を適用することおよび／または病原体が植物用薬剤組成物に曝露されるように１つもしくは複数の場所に有効量の本明細書に開示される植物用薬剤組成物を適用することを含む。本明細書に開示される植物用薬剤組成物の適用により、例えば、防除しようとする植物病害の病原体に有害作用がもたらされる。
【００７９】
本明細書の諸態様は、部分的には、植物の成長および／または作物の生産を増大させる方法を開示する。開示される植物の成長および／または作物の生産を増大させる方法は、１つもしくは複数の植物に有効量の本明細書に開示される植物用薬剤組成物を適用する段階および／または植物用薬剤組成物に１つもしくは複数の植物を曝露するように１つもしくは複数の場所に有効量の本明細書に開示される植物用薬剤組成物を適用する段階を含む。本明細書に開示される植物用薬剤組成物の適用により、例えば、根毛による吸収の改善、木部を通る木部樹液流の改善および師部での光合成産物流の改善、土壌からの水、ミネラルおよびその他の栄養素の吸収の増大、木部での毛管作用および／または静水圧の増大ならびに／あるいは化合物およびエネルギーの合成の増大ならびに／あるいは木部樹液流および／または光合成産物流を阻害する１つまたは複数の成分の破壊がもたらされる。一実施形態では、木部樹液流および／または光合成産物流を阻害する１つまたは複数の成分にはバイオフィルムが含まれる。
【００８０】
本明細書の諸態様は、部分的には、植物の成長および／または作物の生産の増大への本明細書に開示される植物用薬剤組成物の使用を開示する。開示される植物用薬剤組成物の使用は、１つもしくは複数の植物に有効量の本明細書に開示される植物用薬剤組成物を適用することおよび／または植物用薬剤組成物に１つもしくは複数の植物を曝露する１つもしくは複数の場所に有効量の本明細書に開示される植物用薬剤組成物を適用することを含む。本明細書に開示される植物用薬剤組成物により、例えば、根毛による吸収の改善、木部を通る木部樹液流の改善および師部での光合成産物流の改善、土壌からの水、ミネラルおよびその他の栄養素の吸収の増大、木部での毛管作用および／または静水圧の増大ならびに／あるいは化合物およびエネルギーの合成の増大ならびに／あるいは木部樹液流および／または光合成産物流を阻害する１つまたは複数の成分の破壊がもたらされる。一実施形態では、木部樹液流および／または光合成産物流を阻害する１つまたは複数の成分にはバイオフィルムが含まれる。
【００８１】
本明細書の諸態様は、部分的には灌漑システムの効率を維持または改善する方法を開示する。開示される灌漑システムの効率を維持または改善する方法は、灌漑システムのパイプライン網内の１つまたは複数のパイプに有効量の本明細書に開示される植物用薬剤組成物を適用する段階を含む。本明細書に開示される植物用薬剤組成物の適用により、例えば、灌漑システムの１つまたは複数のパイプライン網を阻害する１つまたは複数の成分が十分に除去される。一実施形態では、１つまたは複数のパイプライン網を阻害する１つまたは複数の成分にはバイオフィルムが含まれる。
【００８２】
本明細書の諸態様は、部分的には、灌漑システムの効率の維持または改善への本明細書に開示される植物用薬剤組成物の使用を開示する。開示される植物用薬剤組成物の使用は、灌漑システムのパイプライン網内の１つまたは複数のパイプに有効量の本明細書に開示される植物用薬剤組成物を適用することを含む。本明細書に開示される植物用薬剤組成物の適用により、例えば、灌漑システムの１つまたは複数のパイプライン網を阻害する１つまたは複数の成分が十分に除去される。一実施形態では、１つまたは複数のパイプライン網を阻害する１つまたは複数の成分にはバイオフィルムが含まれる。
【００８３】
本明細書に開示される植物用薬剤組成物に含まれる非イオン界面活性剤と処理済み発酵微生物上清との組合せにより、１）植物病害の病原体の防御構造中に存在する１つまたは複数の成分；２）植物の木部樹液流および／または光合成産物流を阻害する１つまたは複数の成分；あるいは３）灌漑システムの水流を阻害する１つまたは複数の成分の多糖ならびに脂質系成分中に存在する分子構造、特に化学結合のｉｎ  ｓｉｔｕ化学反応が促進される。これらのｉｎ  ｓｉｔｕ化学反応が、１）病原体の防御構造の１つまたは複数の成分を溶解させるか、分散させるか、または別の方法で破壊し、１つまたは複数の不可欠な生理的過程を破壊することによって病原体を死滅させる；２）木部での木部樹液流および／または師部での光合成産物流を阻害する１つまたは複数の成分を溶解させるか、分散させるか、または別の方法で破壊し、植物の健康および活力を維持および／または増進する水および栄養素の輸送を改善する；あるいは３）灌流システムのパイプライン網内の水流を阻害する１つまたは複数の成分を溶解させるか、分散させるか、または別の方法で破壊し、植物の健康および活力を維持および／または増進する配水を改善する。
【００８４】
いかなる理論にも限定されることを望むものではないが、水溶液環境中に植物用薬剤組成物を適用すると、高反応性で固有の構造をもつ超微細マイクロバブルが自然に形成される。この「機能化された」マイクロバブルは、１つまたは複数の非イオン界面活性剤と処理済み発酵微生物上清由来の成分とからなる外側の「高反応性」の殻および空気を含んだ内部核を含む。「高反応性」の殻により、水溶液環境中の酸素の物質移動の大幅な増大および化合物の分子構造の生体触媒作用の促進が起こり、この両者が組み合わさって相乗的機能性がもたらされる。酸素の物質移動に関して言えば、この機能性により酸素の移動速度が増大し、水溶液環境中の溶存酸素レベルが、ヘンリーの法則により予想される溶解度限界をはるかに超えて上昇し、機械的曝気システムでは容易に達成できないレベルに達する。処理済み発酵微生物上清由来の成分が、非イオン界面活性剤が十分に組織化されたミセル殻を生じさせる能力に干渉するものと思われる。その結果、殻を「機能化」して気体透過性を高めていたこれらの発酵成分と界面活性剤の分子充填が緩み、それによりガス塊の移動にとってさらに好ましい条件が生じる。したがって、この酸素移動機能は、水溶液環境中での酸素の利用率を増大させる。生体触媒作用の促進に関して言えば、この機能性が、反応物質の局所濃度を増大させる反応プラットフォームをもたらすことにより、触媒反応が起こるのに必要なエネルギーの遷移を低く抑え、電子の供与を可能にし、電子不足の部位での化学反応を促進する。したがって、この生体触媒作用機能は、化合物中に存在するグリコシド結合およびエステル結合を含めた化学結合の切断を媒介する。したがって、マイクロバブルの「機能化された」殻は、従来の酵素系のような触媒活性を有するが、いかなる酵素も必要としない。このため、本明細書に開示される植物用薬剤組成物を適用すると、酸素の分散を促進する「機能化された」マイクロバブルが生じ、それにより溶存酸素レベルが上昇し、分子間の相互作用が促進されて、化合物の触媒的分解が起こる。
【００８５】
「機能化された」マイクロバブルは、病原体の防御構造と接触すると、電子不足の部位で電子の供与または反応が起こるようにその防御構造の１つまたは複数の成分と化学的に相互作用し、その１つまたは複数の成分中に存在するグリコシド結合およびエステル結合を含めた化学結合の切断を媒介する。これと同様に、「機能化された」マイクロバブルが、植物の木部樹液および／または光合成産物流を阻害する１つまたは複数の成分と接触すると、電子不足の部位で電子の供与または反応が起こるように１つまたは複数の成分と化学的に相互作用し、その１つまたは複数の成分中に存在するグリコシド結合およびエステル結合を含めた化学結合の切断を媒介する。同様に、「機能化された」マイクロバブルが、灌漑システムの水流を阻害する１つまたは複数の成分と接触すると、電子不足の部位で電子の供与または反応が起こるように１つまたは複数の成分と化学的に相互作用し、その１つまたは複数の成分中に存在するグリコシド結合およびエステル結合を含めた化学結合の切断を媒介する。上記の相互作用は、「高反応性」の殻に依存することに加えて、マイクロバブルの核に存在する酸素も利用する、ベータ酸化を用いた加水分解の一形態であると思われる。このように、「機能化された」マイクロバブルにみられる諸特性が核の酸素移動能と相乗的に作用して、１）植物病害の病原体の防御構造中に存在する１つまたは複数の成分；２）植物の木部樹液および／または光合成産物流を阻害する１つまたは複数の成分；ならびに／あるいは３）灌漑システムの水流を阻害する１つまたは複数の成分中に存在するグリコシド結合ならびにエステル結合を含めた化学結合のｉｎ  ｓｉｔｕ分解を促進する。
【００８６】
さらに、「機能化された」マイクロバブルが根毛と接触すると、根毛の膜の水輸送に対する透過性を増大させ、共生生物にとってより良好な微生物環境を提供して根毛機能を増強することにより、水吸収を増大させ、窒素固定を増大させ、ガス交換を増大させ、維管束組織の毛管作用および静水圧を増大させる。このような相互作用により、根毛による吸収が改善され、木部を通る木部樹液流が改善され、師部での光合成産物流が改善されて、植物の健康および活力の維持および／または増進に用いられる原料、成長成分およびエネルギーの輸送の改善がもたらされる。
【００８７】
本明細書に開示される植物用薬剤組成物の適用は、植物病害の病原体の防御構造中に存在する１つまたは複数の成分が十分に破壊され、次いで１つまたは複数の不可欠な生理的過程が崩壊して死滅が起こるように、その防御構造の１つまたは複数の成分を本開示の植物用薬剤組成物に曝露する、任意の方法によるものであり得る。例えば、曝露は、病原体への直接的適用または病原体が植物用薬剤組成物に曝露される場所への間接的適用によるものであり得る。
【００８８】
同様に、本明細書に開示される植物用薬剤組成物の適用は、土壌からの水、ミネラルおよびその他の栄養素の吸収の増大、木部での毛管作用および／または静水圧の増大ならびに／あるいは化合物およびエネルギーの合成の増大、次いで根毛での吸収、木部を通る木部樹液流および師部での光合成産物流の改善がもたらされるように、根毛を本開示の植物用薬剤組成物に曝露する、任意の方法によるものであり得る。例えば、曝露は、１つもしくは複数の植物への直接的適用または１つもしくは複数の植物が植物用薬剤組成物に曝露される場所への間接的適用によるものであり得る。
【００８９】
同様に、本明細書に開示される植物用薬剤組成物の適用は、防御構造の１つまたは複数の成分が十分に破壊され、次いで植物の健康および活力を維持および／または増進する水および栄養素の輸送が改善されるように、木部での木部樹液流および／または師部での光合成産物流を阻害する１つまたは複数の成分を本開示の植物用薬剤組成物に曝露する、任意の方法によるものであり得る。例えば、曝露は、１つもしくは複数の植物への直接的適用または１つもしくは複数の植物が植物用薬剤組成物に曝露される場所への間接的適用によるものであり得る。
【００９０】
さらに、本明細書に開示される植物用薬剤組成物の適用は、防御構造の１つまたは複数の成分が十分に破壊され、次いで植物の健康および活力を維持および／または増進する灌漑システムの配水が改善されるように、灌流システムのパイプライン網内の水流を阻害する１つまたは複数の成分を本開示の植物用薬剤組成物に曝露する、任意の方法によるものであり得る。例えば、曝露は、灌漑システムの１つもしくは複数のパイプライン網への直接的適用または灌漑システムの１つもしくは複数のパイプライン網が植物用薬剤組成物に曝露される場所への間接的適用によるものであり得る。
【００９１】
本明細書に開示される方法および使用には、未希釈形態の本明細書に開示される植物用薬剤組成物を使用することができる。あるいは、本明細書に開示される植物用薬剤組成物を希釈するのが望ましい場合もあり、当業者には、そのような組成物の希釈物を使用し得ることがわかる。本明細書に開示される植物用薬剤組成物は通常、水を用いて実施するが、本明細書に開示されるマイクロバブルの形成に適合性のあるものである限り、これ以外のしかるべき希釈剤を用いてもよい。この実施形態の諸態様では、植物用薬剤組成物を、例えば、１：１０、１：２５、１：５０、１：７５、１：１００、１：２００、１：３００、１：４００、１：５００、１：６００、１：７００、１：８００、１：９００、１：１０００、１：２０００、１：３０００、１：４０００、１：５０００、１：６０００、１：７０００、１：８０００、１：９０００、１：１００００、１：２００００、１：３００００、１：４００００、１：５００００、１：６００００、１：７００００、１：８００００、１：９００００または１：１０００００の比に希釈する。この実施形態の他の態様では、植物用薬剤組成物を、例えば、少なくとも１：１０、少なくとも１：２５、少なくとも１：５０、少なくとも１：７５、少なくとも１：１００、少なくとも１：２００、少なくとも１：３００、少なくとも１：４００、少なくとも１：５００、少なくとも１：６００、少なくとも１：７００、少なくとも１：８００、少なくとも１：９００、少なくとも１：１０００、少なくとも１：２０００、少なくとも１：３０００、少なくとも１：４０００、少なくとも１：５０００、少なくとも１：６０００、少なくとも１：７０００、少なくとも１：８０００、少なくとも１：９０００、少なくとも１：１００００、少なくとも１：２００００、少なくとも１：３００００、少なくとも１：４００００、少なくとも１：５００００、少なくとも１：６００００、少なくとも１：７００００、少なくとも１：８００００、少なくとも１：９００００または少なくとも１：１０００００の比に希釈する。この実施形態のまた別の態様では、植物用薬剤組成物を、例えば、最大１：１０、最大１：２５、最大１：５０、最大１：７５、最大１：１００、最大１：２００、最大１：３００、最大１：４００、最大１：５００、最大１：６００、最大１：７００、最大１：８００、最大１：９００、最大１：１０００、最大１：２０００、最大１：３０００、最大１：４０００、最大１：５０００、最大１：６０００、最大１：７０００、最大１：８０００、最大１：９０００、最大１：１００００、最大１：２００００、最大１：３００００、最大１：４００００、最大１：５００００、最大１：６００００、最大１：７００００、最大１：８００００、最大１：９００００または最大１：１０００００の比に希釈する。
【００９２】
この実施形態のさらに別の態様では、植物用薬剤組成物を、例えば、約１：１〜約１：１０、約１：１〜約１：２５、約１：１〜約１：５０、約１：１〜約１：７５、約１：１〜約１：１００、約１：２〜約１：１０、約１：２〜約１：２５、約１：２〜約１：５０、約１：２〜約１：７５、約１：２〜約１：１００、約１：１０〜約１：２５、約１：１０〜約１：５０、約１：１０〜約１：７５、約１：１０〜約１：１００、約１：１０〜約１：１２５、約１：１０〜約１：１５０、約１：１０〜約１：１７５、約１：１０〜約１：２００、約１：１０〜約１：２２５、約１：１０〜約１：２５０、約１：５０〜約１：１００、約１：５０〜約１：２００、約１：５０〜約１：３００、約１：５０〜約１：４００、約１：５０〜約１：５００、約１：５０〜約１：６００、約１：５０〜約１：７００、約１：５０〜約１：８００、約１：５０〜約１：９００、約１：５０〜約１：１０００、約１：１００〜約１：２００、約１：１００〜約１：３００、約１：１００〜約１：４００、約１：１００〜約１：５００、約１：１００〜約１：６００、約１：１００〜約１：７００、約１：１００〜約１：８００、約１：１００〜約１：９００、約１：１００〜約１：１０００、約１：５００〜約１：１０００、約１：５００〜約１：２０００、約１：５００〜約１：３０００、約１：５００〜約１：４０００、約１：５００〜約１：５０００、約１：５００〜約１：６０００、約１：５００〜約１：７０００、約１：５００〜約１：８０００、約１：５００〜約１：９０００、約１：５００〜約１：１００００、約１：１０００〜約１：２０００、約１：１０００〜約１：３０００、約１：１０００〜約１：４０００、約１：１０００〜約１：５０００、約１：１０００〜約１：６０００、約１：１０００〜約１：７０００、約１：１０００〜約１：８０００、約１：１０００〜約１：９０００、約１：１０００〜約１：１００００、約１：５０００〜約１：１００００、約１：５０００〜約１：２００００、約１：５０００〜約１：３００００、約１：５０００〜約１：４００００、約１：５０００〜約１：５００００、約１：５０００〜約１：６００００、約１：５０００〜約１：７００００、約１：５０００〜約１：８００００、約１：５０００〜約１：９００００、約１：５０００〜約１：１０００００、約１：１００００〜約１：２００００、約１：１００００〜約１：３００００、約１：１００００〜約１：４００００、約１：１００００〜約１：５００００、約１：１００００〜約１：６００００、約１：１００００〜約１：７００００、約１：１００００〜約１：８００００、約１：１００００〜約１：９００００、約１：１００００〜約１：１０００００の比に希釈する。
【００９３】
本明細書に開示される植物用薬剤組成物の適用は、有効量で実施されるものである。開示される植物用薬剤組成物の有効量は、１）防除しようとする植物病害の病原体の集団に有害作用を引き起こすのに十分な量；２）根毛による吸収を改善し、木部を通る木部樹液流を改善し、師部での光合成産物流を改善するのに十分な量；３）土壌からの水、ミネラルおよびその他の栄養素の吸収を増大させ、木部での毛管作用および／または静水圧を増大させ、かつ／あるいは化合物およびエネルギーの合成を増大させるのに十分な量；４）木部樹液および／または光合成産物流を阻害する１つまたは複数の成分の十分な破壊を引き起こすのに十分な量；ならびに／あるいは５）灌漑システムの１つまたは複数のパイプライン網を阻害する１つまたは複数の成分の十分な除去を引き起こすのに十分な量であり得る。開示される植物用薬剤組成物の実際の有効量は、本明細書に開示される植物用薬剤組成物の防除活性および効果を評価するのに用いる日常的なスクリーニング方法によって決定される。このようなスクリーニング方法は当業者に周知である。本明細書に開示される植物用薬剤組成物は、同じ防除効果を得るのに、活性レベルの高いものほど少量および低濃度で使用することが可能であり、活性レベルの低いものほど必要な量または濃度が大きくなり得ることが予想される。
【００９４】
本明細書に開示される植物用薬剤組成物の適用は、有効量で実施されるものである。開示される植物用薬剤組成物の有効量は、所望の効果をもたらすのに十分な量であり得る。開示される植物用薬剤組成物の実際の有効量は、本明細書に開示される植物用薬剤組成物の防除活性および効果を評価するのに用いる日常的なスクリーニング方法によって決定される。このようなスクリーニング方法は当業者に周知である。本明細書に開示される植物用薬剤組成物は、同じ防除効果を得るのに、活性レベルの高いものほど少量および低濃度で使用することが可能であり、活性レベルの低いものほど必要な量または濃度が大きくなり得ることが予想される。
【００９５】
開示される植物用薬剤組成物の有効量は、防除しようとする病原体に有害作用を引き起こすのに十分な量であり得る。この実施形態の諸態様では、開示される植物用薬剤組成物の有効量は、例えば、植物に感染する集団の病原体の約１０％、約１５％、約２０％、約２５％、約３０％、約３５％、約４０％、約４５％、約５０％、約５５％、約６０％、約６５％、約７０％、約７５％、約８０％、約８５％、約９０％または約９５％に有害作用を引き起こすのに十分な量である。この実施例の他の態様では、開示される植物用薬剤組成物の有効量は、例えば、植物に感染する集団の病原体の少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％に有害作用を引き起こすのに十分な量である。この実施形態のまた別の態様では、開示される植物用薬剤組成物の有効量は、植物に感染する集団の病原体の例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％に有害作用を引き起こすのに十分な量である。この実施形態のさらに別の態様では、開示される植物用薬剤組成物の有効量は、例えば、植物に感染する集団の病原体の約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％に有害作用を引き起こすのに十分な量である。
【００９６】
この実施形態の諸態様では、開示される植物用薬剤組成物の有効量は、例えば、植物に感染する集団の病原体の約１０％、約１５％、約２０％、約２５％、約３０％、約３５％、約４０％、約４５％、約５０％、約５５％、約６０％、約６５％、約７０％、約７５％、約８０％、約８５％、約９０％または約９５％を死滅させるのに十分な量である。この実施例の他の態様では、開示される植物用薬剤組成物の有効量は、例えば、植物に感染する集団の病原体の少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％を死滅させるのに十分な量である。この実施形態のさらに別の態様では、開示される植物用薬剤組成物の有効量は、例えば、植物に感染する集団の病原体の最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％を死滅させるのに十分な量である。この実施形態のまた別の態様では、開示される植物用薬剤組成物の有効量は、例えば、植物に感染する集団の病原体の約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％を死滅させるのに十分な量である。
【００９７】
開示される植物用薬剤組成物の有効量は、防除しようとする病原体の集団の大きさを縮小させるのに十分な量であり得る。この実施形態の諸態様では、開示される植物用薬剤組成物の有効量は、防除しようとする病原体の集団の大きさを例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％縮小させるのに十分な量である。この実施例の他の態様では、開示される植物用薬剤組成物の有効量は、防除しようとする病原体の集団の大きさを例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％縮小させるのに十分な量である。この実施形態のさらに別の態様では、開示される植物用薬剤組成物の有効量は、防除しようとする病原体の集団の大きさを例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％縮小させるのに十分な量である。この実施形態のまた別の態様では、開示される植物用薬剤組成物の有効量は、防除しようとする病原体を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％縮小させるのに十分な量である。
【００９８】
開示される植物用薬剤組成物の有効量は、防除しようとする病原体の集団が１つまたは複数の場所に侵入または寄生するのを阻止するのに十分な量であり得る。この実施形態の諸態様では、開示される植物用薬剤組成物の有効量は、例えば、病原体の集団の約１０％、約１５％、約２０％、約２５％、約３０％、約３５％、約４０％、約４５％、約５０％、約５５％、約６０％、約６５％、約７０％、約７５％、約８０％、約８５％、約９０％または約９５％が１つまたは複数の場所に侵入または寄生するのを阻止するのに十分な量である。この実施例の他の態様では、開示される植物用薬剤組成物の有効量は、例えば、病原体の集団の少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％が１つまたは複数の場所に侵入または寄生するのを阻止するのに十分な量である。この実施形態のさらに別の態様では、開示される植物用薬剤組成物の有効量は、例えば、病原体の集団の最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％が１つまたは複数の場所に侵入または寄生するのを阻止するのに十分な量である。この実施形態のまた別の態様では、開示される植物用薬剤組成物の有効量は、例えば、病原体の集団の約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％が１つまたは複数の場所に侵入または寄生するのを阻止するのに十分な量である。
【００９９】
開示される植物用薬剤組成物の有効量は、根毛による土壌からの水、ミネラルおよびその他の栄養素の吸収を改善するのに十分な量であり得る。この実施形態の諸態様では、開示される植物用薬剤組成物の有効量は、根毛による土壌からの水、ミネラルおよびその他の栄養素の吸収を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、根毛による土壌からの水、ミネラルおよびその他の栄養素の吸収を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、根毛による土壌からの水、ミネラルおよびその他の栄養素の吸収を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、根毛による土壌からの水、ミネラルおよびその他の栄養素の吸収を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１００】
開示される植物用薬剤組成物の有効量は、木部を通る木部樹液流を改善するのに十分な量であり得る。この実施形態の諸態様では、開示される植物用薬剤組成物の有効量は、木部を通る木部樹液流を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、木部を通る木部樹液流を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、木部を通る木部樹液流と例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、木部を通る木部樹液流を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１０１】
開示される植物用薬剤組成物の有効量は、師部での光合成産物流を改善するのに十分な量であり得る。この実施形態の諸態様では、開示される植物用薬剤組成物の有効量は、師部での光合成産物流を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、師部での光合成産物流を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、師部での光合成産物流を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、師部での光合成産物流を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１０２】
開示される植物用薬剤組成物の有効量は、土壌からの水、ミネラルおよびその他の栄養素の吸収を増大させるのに十分な量であり得る。この実施形態の諸態様では、開示される植物用薬剤組成物の有効量は、土壌からの水、ミネラルおよびその他の栄養素の吸収を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％増大させるのに十分な量である。この実施例の他の態様では、開示される植物用薬剤組成物の有効量は、土壌からの水、ミネラルおよびその他の栄養素の吸収を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％増大させるのに十分な量である。この実施形態のまた別の態様では、開示される植物用薬剤組成物の有効量は、土壌からの水、ミネラルおよびその他の栄養素の吸収を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％増大させるのに十分な量である。この実施形態のさらに別の態様では、開示される植物用薬剤組成物の有効量は、土壌からの水、ミネラルおよびその他の栄養素の吸収を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％増大させるのに十分な量である。
【０１０３】
開示される植物用薬剤組成物の有効量は、木部での毛管作用および／または静水圧を増大させるのに十分な量であり得る。この実施形態の諸態様では、開示される植物用薬剤組成物有効量は、木部での毛管作用および／または静水圧を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％増大させるのに十分な量である。この実施例の他の態様では、開示される植物用薬剤組成物の有効量は、木部での毛管作用および／または静水圧を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％増大させるのに十分な量である。この実施形態のまた別の態様では、開示される植物用薬剤組成物の有効量は、木部での毛管作用および／または静水圧を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％増大させるのに十分な量である。この実施形態のさらに別の態様では、開示される植物用薬剤組成物の有効量は、木部での毛管作用および／または静水圧を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％増大させるのに十分な量である。
【０１０４】
開示される植物用薬剤組成物の有効量は、植物体を通る原料の輸送を改善するのに十分な量であり得る。この実施形態の諸態様では、開示される植物用薬剤組成物の有効量は、植物体を通る原料の輸送を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、植物体を通る原料の輸送を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、植物体を通る原料の輸送を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、植物体を通る原料の輸送を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１０５】
開示される植物用薬剤組成物の有効量は、植物体内での化合物およびエネルギーの合成を増大させるのに十分な量であり得る。この実施形態の諸態様では、開示される植物用薬剤組成物の有効量は、植物体内での化合物およびエネルギーの合成を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％増大させるのに十分な量である。この実施例の他の態様では、開示される植物用薬剤組成物の有効量は、植物体内での化合物およびエネルギーの合成を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％増大させるのに十分な量である。この実施形態のまた別の態様では、開示される植物用薬剤組成物の有効量は、植物体内での化合物およびエネルギーの合成を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％増大させるのに十分な量である。この実施形態のさらに別の態様では、開示される植物用薬剤組成物の有効量は、植物体内での化合物およびエネルギーの合成を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％増大させるのに十分な量である。
【０１０６】
開示される植物用薬剤組成物の有効量は、植物の成長の維持および継続に必要な化合物およびエネルギーの合成を改善するのに十分な量であり得る。この実施形態の諸態様では、開示される植物用薬剤組成物の有効量は、植物の成長の維持および継続に必要な化合物およびエネルギーの合成を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、植物の成長の維持および継続に必要な化合物およびエネルギーの合成を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、植物の成長の維持および継続に必要な化合物およびエネルギーの合成を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、植物の成長の維持および継続に必要な化合物およびエネルギーの合成を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１０７】
開示される植物用薬剤組成物の有効量は、木部での木部樹液流を阻害する１つまたは複数の成分を溶解させるか、分散させるか、または別の方法で除去するのに十分な量であり得る。この実施形態の諸態様では、開示される植物用薬剤組成物の有効量は、木部での木部樹液流を阻害する１つまたは複数の成分を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％溶解させるか、分散させるか、または別の方法で除去するのに十分な量である。この実施例の他の態様では、開示される植物用薬剤組成物の有効量は、木部での木部樹液流を阻害する１つまたは複数の成分を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％溶解させるか、分散させるか、または別の方法で除去するのに十分な量である。この実施形態のまた別の態様では、開示される植物用薬剤組成物の有効量は、木部での木部樹液流を阻害する１つまたは複数の成分を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％溶解させるか、分散させるか、または別の方法で除去するのに十分な量である。この実施形態のさらに別の態様では、開示される植物用薬剤組成物の有効量は、木部での木部樹液流を阻害する１つまたは複数の成分を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％溶解させるか、分散させるか、または別の方法で除去するのに十分な量である。
【０１０８】
開示される植物用薬剤組成物の有効量は、師部での光合成産物流を阻害する１つまたは複数の成分を溶解させるか、分散させるか、または別の方法で除去するのに十分な量であり得る。この実施形態の諸態様では、開示される植物用薬剤組成物の有効量は、師部での光合成産物流を阻害する１つまたは複数の成分を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％溶解させるか、分散させるか、または別の方法で除去するのに十分な量である。この実施例の他の態様では、開示される植物用薬剤組成物の有効量は、師部での光合成産物流を阻害する１つまたは複数の成分を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％溶解させるか、分散させるか、または別の方法で除去するのに十分な量である。この実施形態のまた別の態様では、開示される植物用薬剤組成物の有効量は、師部での光合成産物流を阻害する１つまたは複数の成分を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％溶解させるか、分散させるか、または別の方法で除去するのに十分な量である。この実施形態のさらに別の態様では、開示される植物用薬剤組成物の有効量は、師部での光合成産物流を阻害する１つまたは複数の成分を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％溶解させるか、分散させるか、または別の方法で除去するのに十分な量である。
【０１０９】
開示される植物用薬剤組成物の有効量は、灌流システムのパイプライン網内の水流を阻害する１つまたは複数の成分を溶解させるか、分散させるか、または別の方法で除去するのに十分な量であり得る。この実施形態の諸態様では、開示される植物用薬剤組成物の有効量は、灌流システムのパイプライン網内の水流を阻害する１つまたは複数の成分を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％溶解させるか、分散させるか、または別の方法で除去するのに十分な量である。この実施例の他の態様では、開示される植物用薬剤組成物の有効量は、灌流システムのパイプライン網内の水流を阻害する１つまたは複数の成分を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％溶解させるか、分散させるか、または別の方法で除去するのに十分な量である。この実施形態のまた別の態様では、開示される植物用薬剤組成物の有効量は、灌流システムのパイプライン網内の水流を阻害する１つまたは複数の成分を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％溶解させるか、分散させるか、または別の方法で除去するのに十分な量である。この実施形態のさらに別の態様では、開示される植物用薬剤組成物の有効量は、灌流システムのパイプライン網内の水流を阻害する１つまたは複数の成分を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％溶解させるか、分散させるか、または別の方法で除去するのに十分な量である。
【０１１０】
開示される植物用薬剤組成物の有効量は、パイプライン網全体の水輸送を改善するのに十分な量であり得る。この実施形態の諸態様では、開示される植物用薬剤組成物の有効量は、パイプライン網全体の水輸送を例えば、約１０％、約１５％、約２０％、約２５％、約３０％、約３５％、約４０％、約４５％、約５０％、約５５％、約６０％、約６５％、約７０％、約７５％、約８０％、約８５％、約９０％または約９５％改善するのに十分な量である。この実施例の他の態様では、開示される植物用薬剤組成物の有効量は、パイプライン網全体の水輸送を例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％または少なくとも９５％改善するのに十分な量である。この実施形態のまた別の態様では、開示される植物用薬剤組成物の有効量は、パイプライン網全体の水輸送を例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％または最大９５％改善するのに十分な量である。この実施形態のさらに別の態様では、開示される植物用薬剤組成物の有効量は、パイプライン網全体の水輸送を例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％または約９０％〜約９５％改善するのに十分な量である。
【０１１１】
開示される植物用薬剤組成物の有効量は、植物の健康および活力を維持および／または増進するのに十分な量であり得る。この実施形態の諸態様では、開示される植物用薬剤組成物の有効量は、植物の健康および活力を維持および／または例えば、約１０％、約１５％、約２０％、約２５％、約３０％、約３５％、約４０％、約４５％、約５０％、約５５％、約６０％、約６５％、約７０％、約７５％、約８０％、約８５％、約９０％もしくは約９５％増進するのに十分な量である。この実施例の他の態様では、開示される植物用薬剤組成物の有効量は、植物の健康および活力を維持および／または例えば、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％もしくは少なくとも９５％増進するのに十分な量である。この実施形態のまた別の態様では、開示される植物用薬剤組成物の有効量は、植物の健康および活力を維持および／または例えば、最大１０％、最大１５％、最大２０％、最大２５％、最大３０％、最大３５％、最大４０％、最大４５％、最大５０％、最大５５％、最大６０％、最大６５％、最大７０％、最大７５％、最大８０％、最大８５％、最大９０％もしくは最大９５％増進するのに十分な量である。この実施形態のさらに別の態様では、開示される植物用薬剤組成物の有効量は、植物の健康および活力を維持および／または例えば、約１０％〜約２０％、約１０％〜約３０％、約１０％〜約４０％、約１０％〜約５０％、約１０％〜約６０％、約１０％〜約７０％、約１０％〜約８０％、約１０％〜約９０％、約１０％〜約９５％、約２０％〜約３０％、約２０％〜約４０％、約２０％〜約５０％、約２０％〜約６０％、約２０％〜約７０％、約２０％〜約８０％、約２０％〜約９０％、約２０％〜約９５％、約３０％〜約４０％、約３０％〜約５０％、約３０％〜約６０％、約３０％〜約７０％、約３０％〜約８０％、約３０％〜約９０％、約３０％〜約９５％、約４０％〜約５０％、約４０％〜約６０％、約４０％〜約７０％、約４０％〜約８０％、約４０％〜約９０％、約４０％〜約９５％、約５０％〜約６０％、約５０％〜約７０％、約５０％〜約８０％、約５０％〜約９０％、約５０％〜約９５％、約６０％〜約７０％、約６０％〜約８０％、約６０％〜約９０％、約６０％〜約９５％、約７０％〜約８０％、約７０％〜約９０％、約７０％〜約９５％、約８０％〜約９０％、約８０％〜約９５％もしくは約９０％〜約９５％増進するのに十分な量である。
【０１１２】
開示される植物用薬剤組成物の有効量は、本明細書に開示される植物用薬剤組成物の希釈比であり得る。この実施形態の諸態様では、開示される植物用薬剤組成物の有効量は、例えば、約１：５０、約１：７５、約１：１００、約１：１２５、約１：１５０、約１：１７５、約１：２００、約１：２２５、約１：２５０、約１：２７５、約１：３００、約１：３２５、約１：３５０、約１：３７５、約１：４００、約１：４２５、約１：４５０、約１：４７５、約１：５００、約１：５２５、約１：５５０、約１：５７５または約１：６００の植物用薬剤組成物と希釈剤の比である。この実施形態の他の態様では、開示される植物用薬剤組成物の有効量は、例えば、少なくとも１：５０、少なくとも１：７５、少なくとも１：１００、少なくとも１：１２５、少なくとも１：１５０、少なくとも１：１７５、少なくとも１：２００、少なくとも１：２２５、少なくとも１：２５０、少なくとも１：２７５、少なくとも１：３００、少なくとも１：３２５、少なくとも１：３５０、少なくとも１：３７５、少なくとも１：４００、少なくとも１：４２５、少なくとも１：４５０、少なくとも１：４７５、少なくとも１：５００、少なくとも１：５２５、少なくとも１：５５０、少なくとも１：５７５または少なくとも１：６００の植物用薬剤組成物と希釈剤の比である。この実施形態のまた別の態様では、開示される植物用薬剤組成物の有効量は、例えば、最大１：５０、最大１：７５、最大１：１００、最大１：１２５、最大１：１５０、最大１：１７５、最大１：２００、最大１：２２５、最大１：２５０、最大１：２７５、最大１：３００、最大１：３２５、最大１：３５０、最大１：３７５、最大１：４００、最大１：４２５、最大１：４５０、最大１：４７５、最大１：５００、最大１：５２５、最大１：５５０、最大１：５７５または最大１：６００の植物用薬剤組成物と希釈剤の比である。この実施形態の他の態様では、開示される植物用薬剤組成物の有効量は、例えば、約１：５０〜約１：１００、約１：５０〜約１：２００、約１：５０〜約１：３００、約１：５０〜約１：４００、約１：５０〜約１：５００、約１：５０〜約１：６００、約１：１００〜約１：２００、約１：１００〜約１：３００、約１：１００〜約１：４００、約１：１００〜約１：５００、約１：１００〜約１：６００、約１：２００〜約１：３００、約１：２００〜約１：４００、約１：２００〜約１：５００、約１：２００〜約１：６００、約１：３００〜約１：４００、約１：３００〜約１：５００、約１：３００〜約１：６００、約１：４００〜約１：５００、約１：４００〜約１：６００または約１：５００〜約１：６００の植物用薬剤組成物と希釈剤の比である。上記の植物用薬剤組成物と希釈剤の比は通常、本開示の植物病害の病原体を防除する方法、使用、本開示の植物の成長および／または作物の生産を増大させる方法および使用ならびに植物病害の病原体を防除する使用のほか、本開示の灌漑システムの効率を維持または改善する方法および使用に有効な量となる濃度である。
【０１１３】
この実施形態の諸態様では、開示される植物用薬剤組成物の有効量は、例えば、約１：５００、約１：７５０、約１：１０００、約１：１２５０、約１：１５００、約１：１７５０、約１：２０００、約１：２２５０、約１：２５００、約１：２７５０、約１：３０００、約１：３２５０、約１：３５００、約１：３７５０、約１：４０００、約１：４２５０、約１：４５００、約１：４７５０、約１：５０００、約１：５２５０、約１：５５００、約１：５７５０、約１：６０００、約１：７０００、約１：８０００、約１：９０００または約１：１００００の植物用薬剤組成物と希釈剤の比である。この実施形態の他の態様では、開示される植物用薬剤組成物の有効量は、例えば、少なくとも１：５００、少なくとも１：７５０、少なくとも１：１０００、少なくとも１：１２５０、少なくとも１：１５００、少なくとも１：１７５０、少なくとも１：２０００、少なくとも１：２２５０、少なくとも１：２５００、少なくとも１：２７５０、少なくとも１：３０００、少なくとも１：３２５０、少なくとも１：３５００、少なくとも１：３７５０、少なくとも１：４０００、少なくとも１：４２５０、少なくとも１：４５００、少なくとも１：４７５０、少なくとも１：５０００、少なくとも１：５２５０、少なくとも１：５５００、少なくとも１：５７５０、少なくとも１：６０００、少なくとも１：７０００、少なくとも１：８０００、少なくとも１：９０００または少なくとも１：１００００の植物用薬剤組成物と希釈剤の比である。この実施形態のまた別の態様では、開示される植物用薬剤組成物の有効量は、例えば、最大１：５００、最大１：７５０、最大１：１０００、最大１：１２５０、最大１：１５００、最大１：１７５０、最大１：２０００、最大１：２２５０、最大１：２５００、最大１：２７５０、最大１：３０００、最大１：３２５０、最大１：３５００、最大１：３７５０、最大１：４０００、最大１：４２５０、最大１：４５００、最大１：４７５０、最大１：５０００、最大１：５２５０、最大１：５５００、最大１：５７５０、最大１：６０００、最大１：７０００、最大１：８０００、最大１：９０００または最大１：１００００の植物用薬剤組成物と希釈剤の比である。この実施形態の他の態様では、開示される植物用薬剤組成物の有効量は、例えば、約１：５００〜約１：１０００、約１：５００〜約１：２０００、約１：５００〜約１：３０００、約１：５００〜約１：４０００、約１：５００〜約１：５０００、約１：５００〜約１：６０００、約１：５００〜約１：７０００、約１：５００〜約１：８０００、約１：５００〜約１：９０００、約１：５００〜約１：１００００、約１：１０００〜約１：２０００、約１：１０００〜約１：３０００、約１：１０００〜約１：４０００、約１：１０００〜約１：５０００、約１：１０００〜約１：６０００、約１：１０００〜約１：７０００、約１：１０００〜約１：８０００、約１：１０００〜約１：９０００、約１：１０００〜約１：１００００、約１：２０００〜約１：３０００、約１：２０００〜約１：４０００、約１：２０００〜約１：５０００、約１：２０００〜約１：６０００、約１：２０００〜約１：７０００、約１：２０００〜約１：８０００、約１：２０００〜約１：９０００、約１：２０００〜約１：１００００、約１：３０００〜約１：４０００、約１：３０００〜約１：５０００、約１：３０００〜約１：６０００、約１：３０００〜約１：７０００、約１：３０００〜約１：８０００、約１：３０００〜約１：９０００、約１：３０００〜約１：１００００、約１：４０００〜約１：５０００、約１：４０００〜約１：６０００、約１：４０００〜約１：７０００、約１：４０００〜約１：８０００、約１：４０００〜約１：９０００、約１：４０００〜約１：１００００、約１：５０００〜約１：６０００、約１：５０００〜約１：７０００、約１：５０００〜約１：８０００、約１：５０００〜約１：９０００、約１：５０００〜約１：１００００、約１：６０００〜約１：７０００、約１：６０００〜約１：８０００、約１：６０００〜約１：９０００、約１：６０００〜約１：１００００、約１：７０００〜約１：８０００、約１：７０００〜約１：９０００、約１：７０００〜約１：１００００、約１：８０００〜約１：９０００、約１：８０００〜約１：１００００または約１：９０００〜約１：１００００の植物用薬剤組成物と希釈剤の比である。上記の植物用薬剤組成物と希釈剤の比は通常、本開示の植物病害の病原体を防除する方法、使用、本開示の植物の成長および／または作物の生産を増大させる方法および使用ならびに植物病害の病原体を防除する使用のほか、本開示の灌漑システムの効率を維持または改善する方法および使用に有効な量となる濃度である。
【０１１４】
この実施形態の諸態様では、開示される植物用薬剤組成物の有効量は、例えば、約０．０００１％、約０．０００２％、約０．０００３％、約０．０００４％、約０．０００５％、約０．０００６％、約０．０００７％、約０．０００８％、約０．０００９％、約０．００１％、約０．００２％、約０．００３％、約０．００４％、約０．００５％、約０．００６％、約０．００７％、約０．００８％、約０．００９％、約０．０１％、約０．０２％、約０．０３％、約０．０４％、約０．０５％、約０．０６％、約０．０７％、約０．０８％、約０．０９％、約０．１％、約０．２％、約０．３％、約０．４％、約０．５％、約０．６％、約０．７％、約０．８％、約０．９％、約１％、約２％、約３％、約４％、約５％、約６％、約７％、約８％、約９％または約１０％の最終濃度である。この実施形態の他の態様では、開示される植物用薬剤組成物の有効量は、例えば、少なくとも０．０００１％、少なくとも０．０００２％、少なくとも０．０００３％、少なくとも０．０００４％、少なくとも０．０００５％、少なくとも０．０００６％、少なくとも０．０００７％、少なくとも０．０００８％、少なくとも０．０００９％、少なくとも０．００１％、少なくとも０．００２％、少なくとも０．００３％、少なくとも０．００４％、少なくとも０．００５％、少なくとも０．００６％、少なくとも０．００７％、少なくとも０．００８％、少なくとも０．００９％、少なくとも０．０１％、少なくとも０．０２％、少なくとも０．０３％、少なくとも０．０４％、少なくとも０．０５％、少なくとも０．０６％、少なくとも０．０７％、少なくとも０．０８％、少なくとも０．０９％、少なくとも０．１％、少なくとも０．２％、少なくとも０．３％、少なくとも０．４％、少なくとも０．５％、少なくとも０．６％、少なくとも０．７％、少なくとも０．８％、少なくとも０．９％、少なくとも１％、少なくとも２％、少なくとも３％、少なくとも４％、少なくとも５％、少なくとも６％、少なくとも７％、少なくとも８％、少なくとも９％または少なくとも１０％の最終濃度である。この実施形態のまた別の態様では、開示される植物用薬剤組成物の有効量は、例えば、最大０．０００１％、最大０．０００２％、最大０．０００３％、最大０．０００４％、最大０．０００５％、最大０．０００６％、最大０．０００７％、最大０．０００８％、最大０．０００９％、最大０．００１％、最大０．００２％、最大０．００３％、最大０．００４％、最大０．００５％、最大０．００６％、最大０．００７％、最大０．００８％、最大０．００９％、最大０．０１％、最大０．０２％、最大０．０３％、最大０．０４％、最大０．０５％、最大０．０６％、最大０．０７％、最大０．０８％、最大０．０９％、最大０．１％、最大０．２％、最大０．３％、最大０．４％、最大０．５％、最大０．６％、最大０．７％、最大０．８％、最大０．９％、最大１％、最大２％、最大３％、最大４％、最大５％、最大６％、最大７％、最大８％、最大９％または最大１０％の最終濃度である。この実施形態のさらに別の態様では、開示される植物用薬剤組成物の有効量は、例えば、約０．０００１％〜約０．０００５％、約０．０００１％〜約０．００１％、約０．０００１％〜約０．００５％、約０．０００１％〜約０．０１％、約０．０００１％〜約０．０５％、約０．０００１％〜約０．１％、約０．０００１％〜約０．５％、約０．０００１％〜約１％、約０．０００１％〜約５％、約０．０００１％〜約１０％、約０．０００５％〜約０．００１％、約０．０００５％〜約０．００５％、約０．０００５％〜約０．０１％、約０．０００５％〜約０．０５％、約０．０００５％〜約０．１％、約０．０００５％〜約０．５％、約０．０００５％〜約１％、約０．０００５％〜約５％、約０．０００５％〜約１０％、約０．００１％〜約０．００５％、約０．００１％〜約０．０１％、０．００１％〜約０．０５％、約０．００１％〜約０．１％、０．００１％〜約０．５％、０．００１％〜約１％、０．００１％〜約５％、約０．００１％〜約１０％、約０．００５％〜約０．０１％、約０．００５％〜約０．０５％、約０．００５％〜約０．１％、約０．００５％〜約０．５％、約０．００５％〜約１％、約０．００５％〜約５％、約０．００５％〜約１０％、約０．０１％〜約０．０５％、約０．０１％〜約０．１％、約０．０１％〜約０．５％、約０．０１％〜約１％、約０．０１％〜約５％、約０．０１％〜約１０％、約０．０５％〜約０．１％、約０．０５％〜約０．５％、約０．０５％〜約１％、約０．０５％〜約５％、約０．０５％〜約１０％、約０．１％〜約０．５％、約０．１％〜約１％、約０．１％〜約５％、約０．１％〜約１０％、約０．５％〜約１％、約０．５％〜約５％、約０．５％〜約１０％、約１％〜約５％、約１％〜約１０％または約５％〜約１０％の最終濃度である。
【０１１５】
本明細書に開示される植物用薬剤組成物の効果は、有害作用、死亡率、病原体集団の縮小、１つまたは複数の部位への侵入または寄生の減少あるいは特に限定されないが、病原体の成長の阻害、停止もしくは遅延、病原体の繁殖の阻害、停止もしくは遅延または病原体の発生の阻害、停止もしくは遅延を含めた病原体集団に対する損傷に関する他の任意の評価を明らかにすることによってモニターされ得るものであり、上に挙げた項目はいずれも、「防除」という用語に包含される。このほか、病原体集団に寄生された植物への植物毒性、病原体集団に感染した宿主植物に対する組織損傷のほか、寄生された植物または本明細書に開示される植物用薬剤組成物に曝露される植物に開示の植物用薬剤組成物を適用するヒトによって経験され得る任意の有害作用によって効果がモニターされる。したがって、本開示の方法または使用に用いる本明細書に開示される植物用薬剤組成物の量は、上記の有効量の基準を満たすものであり、好ましくは、観賞植物および農作植物（植物毒性など）、そのような組成物に接触し得る野生動物およびヒトに対する有害作用が最小限に抑えられているか、そのような有害作用を全く示さないものである。
【０１１６】
本明細書に開示される植物用薬剤組成物の適用は、本明細書に開示されるマイクロバブルを効率的に発生させ、防除しようとする病原体を効率的に曝露させる任意の過程によって実施することができる。例えば、適用時に植物用薬剤組成物内に高濃度のガスを導入することが可能な方法はいずれも、そのようなガスの導入によってマイクロバブルが自然に形成されるため適切なものである。適切な適用過程としては、特に限定されないが、吹付け、燻煙、噴霧、気化、散布、灌水、噴出、散水などが挙げられる。好ましい適用方法の１つに、灌漑、吹付け、燻煙、噴霧または気化による手作業または機械による適用がある。このような適用では、その過程で十分に曝気される微細なミストが形成され、本明細書に開示されるマイクロバブルが発生する。液体中に分散したガスに曝露されたマイクロバブルは、コロイド特性を示し、コロイドガスアフロン（ＣＧＡ）と呼ばれる。ＣＧＡは、低濃度の界面活性剤を含有する特有の殻層があるという点で通常の気泡とは異なる。
【０１１７】
本明細書に開示される植物用薬剤組成物により形成されるマイクロバブルは、液体中での酸素の物質移動を増大させるものと思われる。科学的理論に束縛されるものではないが、この差には理由がいくつか考えられる。第一に、本明細書に開示される植物用薬剤組成物に調合する界面活性剤には非イオン界面活性剤および／またはバイオ界面活性剤が含まれ、これが気泡挙動の特性を大幅に変化させる。第二に、本明細書に開示される植物用薬剤組成物は、マイクロバブル形成に必要な界面活性剤の濃度がはるかに少なくて済む。界面活性剤の濃度は界面活性剤系の臨界ミセル濃度（ＣＭＳ）にほぼ等しいものでなければならないことが示唆されている。本明細書に開示される植物用薬剤組成物では、使用する界面活性剤の推定ＣＭＣ未満でマイクロバブルが形成される。このことは、マイクロバブルが、気体の物質移動特性にとってより好ましい緩い分子充填で界面活性剤の分子が凝集した結果であることを示唆している。表面に含まれる界面活性剤の分子が少なくなると、気体を含み十分に組織化されたミセルよりも気体透過性が大きくなるものと考えられる。機序に関係なく、本明細書に開示される植物用薬剤組成物がまとまってクラスター、凝集体または気体が充満した気泡を形成するという傾向は、反応物の局所濃度を増大させること、触媒反応が起こるのに必要なエネルギーの遷移を低く抑えること、または未だ記載されていないほかの何らかの機序によって、反応が起こるプラットフォームをもたらす。
【０１１８】
この実施形態の諸態様では、本明細書に開示されるマイクロバブルは、平均直径が、例えば、約５μｍ、約１０μｍ、約１５μｍ、約２０μｍ、約２５μｍ、約３０μｍ、約４０μｍ、約５０μｍ、約７５μｍ、約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍ、約８５０μｍ、約９００μｍ、約９５０μｍまたは約１０００μｍである。この実施形態の他の態様では、本明細書に開示されるマイクロバブルは、平均直径が、例えば、少なくとも５μｍ、少なくとも１０μｍ、少なくとも１５μｍ、少なくとも２０μｍ、少なくとも２５μｍ、少なくとも３０μｍ、少なくとも４０μｍ、少なくとも５０μｍ、少なくとも１００μｍ、少なくとも１５０μｍ、少なくとも２００μｍ、少なくとも２５０μｍ、少なくとも３００μｍ、少なくとも３５０μｍ、少なくとも４００μｍ、少なくとも４５０μｍ、少なくとも５００μｍ、少なくとも５５０μｍ、少なくとも６００μｍ、少なくとも６５０μｍ、少なくとも７００μｍ、少なくとも７５０μｍ、少なくとも８００μｍ、少なくとも８５０μｍ、少なくとも９００μｍ、少なくとも９５０μｍまたは少なくとも１０００μｍである。この実施形態の他の態様では、本明細書に開示されるマイクロバブルは、平均直径が、例えば、最大５μｍ、最大１０μｍ、最大１５μｍ、最大２０μｍ、最大２５μｍ、最大３０μｍ、最大４０μｍ、最大５０μｍ、最大１００μｍ、最大１５０μｍ、最大２００μｍ、最大２５０μｍ、最大３００μｍ、最大３５０μｍ、最大４００μｍ、最大４５０μｍ、最大５００μｍ、最大５５０μｍ、最大６００μｍ、最大６５０μｍ、最大７００μｍ、最大７５０μｍ、最大８００μｍ、最大８５０μｍ、最大９００μｍ、最大９５０μｍまたは最大１０００μｍである。
【０１１９】
この実施形態の諸態様では、本明細書に開示されるマイクロバブルは、平均直径が、例えば、約５μｍ〜約１０μｍ、約５μｍ〜約１５μｍ、約５μｍ〜約２０μｍ、約５μｍ〜約２５μｍ、約５μｍ〜約３０μｍ、約５μｍ〜約４０μｍ、約５μｍ〜約５０μｍ、約５μｍ〜約７５μｍ、約５μｍ〜約１００μｍ、約１０μｍ〜約１５μｍ、約１０μｍ〜約２０μｍ、約１０μｍ〜約２５μｍ、約１０μｍ〜約３０μｍ、約１０μｍ〜約４０μｍ、約１０μｍ〜約５０μｍ、約１０μｍ〜約７５μｍ、約１０μｍ〜約１００μｍ、約１５μｍ〜約２０μｍ、約１５μｍ〜約２５μｍ、約１５μｍ〜約３０μｍ、約１５μｍ〜約４０μｍ、約１５μｍ〜約５０μｍ、約１５μｍ〜約７５μｍ、約１５μｍ〜約１００μｍ、約２０μｍ〜約２５μｍ、約２０μｍ〜約３０μｍ、約２０μｍ〜約４０μｍ、約２０μｍ〜約５０μｍ、約２０μｍ〜約７５μｍ、約２０μｍ〜約１００μｍ、約２５μｍ〜約３０μｍ、約２５μｍ〜約４０μｍ、約２５μｍ〜約５０μｍ、約２５μｍ〜約７５μｍ、約２５μｍ〜約１００μｍ、約３０μｍ〜約４０μｍ、約３０μｍ〜約５０μｍ、約３０μｍ〜約７５μｍ、約３０μｍ〜約１００μｍ、約４０μｍ〜約５０μｍ、約４０μｍ〜約７５μｍ、約４０μｍ〜約１００μｍ、約５０μｍ〜約７５μｍ、約５０μｍ〜約１００μｍ、約５０μｍ〜約１５０μｍ、約５０μｍ〜約２００μｍ、約５０μｍ〜約２５０μｍ、約５０μｍ〜約３００μｍ、約５０μｍ〜約３５０μｍ、約５０μｍ〜約４００μｍ、約５０μｍ〜約４５０μｍ、約５０μｍ〜約５００μｍ、約５０μｍ〜約５５０μｍ、約５０μｍ〜約６００μｍ、約５０μｍ〜約６５０μｍ、約５０μｍ〜約７００μｍ、約５０μｍ〜約７５０μｍ、約５０μｍ〜約８００μｍ、約５０μｍ〜約８５０μｍ、約５０μｍ〜約９００μｍ、約５０μｍ〜約９５０μｍ、約５０μｍ〜約１０００μｍ、約１００μｍ〜約１５０μｍ、約１００μｍ〜約２００μｍ、約１００μｍ〜約２５０μｍ、約１００μｍ〜約３００μｍ、約１００μｍ〜約３５０μｍ、約１００μｍ〜約４００μｍ、約１００μｍ〜約４５０μｍ、約１００μｍ〜約５００μｍ、約１００μｍ〜約５５０μｍ、約１００μｍ〜約６００μｍ、約１００μｍ〜約６５０μｍ、約１００μｍ〜約７００μｍ、約１００μｍ〜約７５０μｍ、約１００μｍ〜約８００μｍ、約１００μｍ〜約８５０μｍ、約１００μｍ〜約９００μｍ、約１００μｍ〜約９５０μｍ、約１００μｍ〜約１０００μｍ、約１５０μｍ〜約２００μｍ、約１５０μｍ〜約２５０μｍ、約１５０μｍ〜約３００μｍ、約１５０μｍ〜約３５０μｍ、約１５０μｍ〜約４００μｍ、約１５０μｍ〜約４５０μｍ、約１５０μｍ〜約５００μｍ、約１５０μｍ〜約５５０μｍ、約１５０μｍ〜約６００μｍ、約１５０μｍ〜約６５０μｍ、約１５０μｍ〜約７００μｍ、約１５０μｍ〜約７５０μｍ、約１５０μｍ〜約８００μｍ、約１５０μｍ〜約８５０μｍ、約１５０μｍ〜約９００μｍ、約１５０μｍ〜約９５０μｍ、約１５０μｍ〜約１０００μｍ、約２００μｍ〜約２５０μｍ、約２００μｍ〜約３００μｍ、約２００μｍ〜約３５０μｍ、約２００μｍ〜約４００μｍ、約２００μｍ〜約４５０μｍ、約２００μｍ〜約５００μｍ、約２００μｍ〜約５５０μｍ、約２００μｍ〜約６００μｍ、約２００μｍ〜約６５０μｍ、約２００μｍ〜約７００μｍ、���２００μｍ〜約７５０μｍ、約２００μｍ〜約８００μｍ、約２００μｍ〜約８５０μｍ、約２００μｍ〜約９００μｍ、約２００μｍ〜約９５０μｍ、約２００μｍ〜約１０００μｍ、約２５０μｍ〜約３００μｍ、約２５０μｍ〜約３５０μｍ、約２５０μｍ〜約４００μｍ、約２５０μｍ〜約４５０μｍ、約２５０μｍ〜約５００μｍ、約２５０μｍ〜約５５０μｍ、約２５０μｍ〜約６００μｍ、約２５０μｍ〜約６５０μｍ、約２５０μｍ〜約７００μｍ、約２５０μｍ〜約７５０μｍ、約２５０μｍ〜約８００μｍ、約２５０μｍ〜約８５０μｍ、約２５０μｍ〜約９００μｍ、約２５０μｍ〜約９５０μｍ、約２５０μｍ〜約１０００μｍ、約３００μｍ〜約３５０μｍ、約３００μｍ〜約４００μｍ、約３００μｍ〜約４５０μｍ、約３００μｍ〜約５００μｍ、約３００μｍ〜約５５０μｍ、約３００μｍ〜約６００μｍ、約３００μｍ〜約６５０μｍ、約３００μｍ〜約７００μｍ、約３００μｍ〜約７５０μｍ、約３００μｍ〜約８００μｍ、約３００μｍ〜約８５０μｍ、約３００μｍ〜約９００μｍ、約３００μｍ〜約９５０μｍ、約３００μｍ〜約１０００μｍ、約３５０μｍ〜約４００μｍ、約３５０μｍ〜約４５０μｍ、約３５０μｍ〜約５００μｍ、約３５０μｍ〜約５５０μｍ、約３５０μｍ〜約６００μｍ、約３５０μｍ〜約６５０μｍ、約３５０μｍ〜約７００μｍ、約３５０μｍ〜約７５０μｍ、約３５０μｍ〜約８００μｍ、約３５０μｍ〜約８５０μｍ、約３５０μｍ〜約９００μｍ、約３５０μｍ〜約９５０μｍ、約３５０μｍ〜約１０００μｍ、約４００μｍ〜約４５０μｍ、約４００μｍ〜約５００μｍ、約４００μｍ〜約５５０μｍ、約４００μｍ〜約６００μｍ、約４００μｍ〜約６５０μｍ、約４００μｍ〜約７００μｍ、約４００μｍ〜約７５０μｍ、約４００μｍ〜約８００μｍ、約４００μｍ〜約８５０μｍ、約４００μｍ〜約９００μｍ、約４００μｍ〜約９５０μｍ、約４００μｍ〜約１０００μｍ、約４５０μｍ〜約５００μｍ、約４５０μｍ〜約５５０μｍ、約４５０μｍ〜約６００μｍ、約４５０μｍ〜約６５０μｍ、約４５０μｍ〜約７００μｍ、約４５０μｍ〜約７５０μｍ、約４５０μｍ〜約８００μｍ、約４５０μｍ〜約８５０μｍ、約４５０μｍ〜約９００μｍ、約４５０μｍ〜約９５０μｍ、約４５０μｍ〜約１０００μｍ、約５００μｍ〜約５５０μｍ、約５００μｍ〜約６００μｍ、約５００μｍ〜約６５０μｍ、約５００μｍ〜約７００μｍ、約５００μｍ〜約７５０μｍ、約５００μｍ〜約８００μｍ、約５００μｍ〜約８５０μｍ、約５００μｍ〜約９００μｍ、約５００μｍ〜約９５０μｍ、約５００μｍ〜約１０００μｍ、約５５０μｍ〜約６００μｍ、約５５０μｍ〜約６５０μｍ、約５５０μｍ〜約７００μｍ、約５５０μｍ〜約７５０μｍ、約５５０μｍ〜約８００μｍ、約５５０μｍ〜約８５０μｍ、約５５０μｍ〜約９００μｍ、約５５０μｍ〜約９５０μｍ、約５５０μｍ〜約１０００μｍ、約６００μｍ〜約６５０μｍ、約６００μｍ〜約７００μｍ、約６００μｍ〜約７５０μｍ、約６００μｍ〜約８００μｍ、約６００μｍ〜約８５０μｍ、約６００μｍ〜約９００μｍ、約６００μｍ〜約９５０μｍ、約６００μｍ〜約１０００μｍ、約６５０μｍ〜約７００μｍ、約６５０μｍ〜約７５０μｍ、約６５０μｍ〜約８００μｍ、約６５０μｍ〜約８５０μｍ、約６５０μｍ〜約９００μｍ、約６５０μｍ〜約９５０μｍ、約６５０μｍ〜約１０００μｍ、約７００μｍ〜約７５０μｍ、約７００μｍ〜約８００μｍ、約７００μｍ〜約８５０μｍ、約７００μｍ〜約９００μｍ、約７００μｍ〜約９５０μｍ、約７００μｍ〜約１０００μｍ、約７５０μｍ〜約８００μｍ、約７５０μｍ〜約８５０μｍ、約７５０μｍ〜約９００μｍ、約７５０μｍ〜約９５０μｍ、約７５０μｍ〜約１０００μｍ、約８００μｍ〜約８５０μｍ、約８００μｍ〜約９００μｍ、約８００μｍ〜約９５０μｍ、約８００μｍ〜約１０００μｍ、約８５０μｍ〜約９００μｍ、約８５０μｍ〜約９５０μｍ、約８５０μｍ〜約１０００μｍ、約９００μｍ〜約９５０μｍ、約９００μｍ〜約１０００μｍまたは約９５０μｍ〜約１０００μｍである。
【０１２０】
本明細書の諸態様は、部分的には植物を開示する。植物としては、植物、植物群または植物の一部分のほか、芝生、庭または農地などの特定の土地領域が例として挙げられる。本明細書で使用される「植物」という用語は、植物界に属し緑色植物門を形成するあらゆる生物体を指す。非限定的な例としては、顕花植物、針葉樹および他の裸子植物、シダ植物、ヒカゲノカズラ類、ツノゴケ類、苔類、蘚類および緑藻類が挙げられるが、紅藻類、褐藻類、真菌、古細菌、細菌および動物はこれに含まれない。維管束植物としては、ヒカゲノカズラ類、トクサ類、シダ植物、裸子植物（針葉樹を含む）および被子植物（顕花植物）が挙げられる。このグループの学名としては、ＴｒａｃｈｅｏｐｈｙｔａおよびＴｒａｃｈｅｏｂｉｏｎｔａが挙げられる。本明細書で使用される「ｆｌｏｗｅｒ（花）」という用語は、「ｂｌｏｏｍ」または「ｂｌｏｓｓｏｍ」と同義であり、被子植物にみられる生殖構造を指す。本明細書で使用される「作物植物」という用語は、作物が得られる植物を指す。非限定的な例としては、果実、種子、木の実、穀粒、油、木材および繊維が得られる植物が挙げられる。本明細書で使用される「作物」という用語は、経済的価値のある植物産物を指す。非限定的な例としては、果実、種子、木の実、穀粒、油、木材および繊維が挙げられる。
【０１２１】
本明細書の諸態様は、部分的には場所を開示する。したがって、本明細書に開示される植物用薬剤組成物は、特に限定されないが、家庭、芝生および庭、農業、有機農業、温室および苗床、貯蔵産物、専門の植物業者、葉群、水中または水面下、土壌混和、育苗箱の処理、茎内注入および栽植処理への適用を含め、多種多様な場所に用いられる点で有利である。
【０１２２】
本明細書に開示される植物用薬剤組成物、方法および／または使用によって処置することができる植物病害としては、特に限定されないが、炭疽病、胴枯病、潰瘍病、根瘤病、立ち枯病、ゴール、平もち病、斑点病、うどんこ病、かび病、モザイクウイルス病、腐敗病、さび病、黒星病、黒穂病および萎凋病が挙げられる。
【０１２３】
炭疽病または鳥の目病は、コレトトリクム属（Ｃｏｌｌｅｔｏｔｒｉｃｈｕｍ）、グレオスポリウム属（Ｇｌｏｅｏｓｐｏｒｉｕｍ）、グロメレラ属（Ｇｌｏｍｅｒｅｌｌａ）およびエルシノ属（Ｅｌｓｉｎｏｅ）に属する多種の真菌を原因とし、温暖多湿地域の様々な植物が罹患する植物病害群を指す。炭疽病真菌は通常、生育中のシュートおよび葉に感染し、細かいくぼんだ皿型の分生子堆として知られる胞子嚢の中に胞子を産生する。症状としては、葉、茎、果実または花に様々な色の境界が隆起した小さいくぼんだ壊死斑または病斑がみられ、一部の感染では小枝および枝に潰瘍ができる。炭疽病は組織の萎れ、枯れおよび壊死を引き起こすが、感染の重症度は病原体および感染植物種の両方に左右され、その範囲は単なる見苦しさから壊死に及び得る。セイヨウカジカエデ、セイヨウトネリコ、オークおよびカエデなどの陰樹が特に感受性が高く、この病害は、草および一年生植物を含めたいくつかの植物にみられる。炭疽病の例としては、特に限定されないが、ブドウ炭疽病（エルシノエ・アンペリナ（Ｅｌｓｉｎｏｅ  ａｍｐｅｌｉｎａ））、カキ炭疽病（グレオスポリウム・カキ（Ｇｌｏｅｏｓｐｏｒｉｕｍ  ｋａｋｉ））、イチゴ炭疽病（グロメレラ・シングラータ（Ｇｌｏｍｅｒｅｌｌａ  ｃｉｎｇｕｌａｔａ））、ウリ炭疽病（コレトトリクム・ラゲナリウム（Ｃｏｌｌｅｔｏｔｒｉｃｈｕｍ  ｌａｇｅｎａｒｉｕｍ））、インゲンマメ炭疽病（コレトトリクム・リンデムチアヌム（Ｃｏｌｌｅｔｏｔｒｉｃｈｕｍ  ｌｉｎｄｅｍｔｈｉａｎｕｍ））、チャ炭疽病（コレトトリクム・テアエシネンシス（Ｃｏｌｌｅｔｏｔｒｉｃｈｕｍ  ｔｈｅａｅｓｉｎｅｎｓｉｓ））およびタバコ炭疽病（コレトトリクム・タバクム（Ｃｏｌｌｅｔｏｔｒｉｃｈｕｍ  ｔａｂａｃｕｍ））が挙げられる。
【０１２４】
胴枯病は、多種の真菌および細菌を原因とし、葉、枝、小枝または花器などの植物組織の急激で重度の白化、黄変、褐変、斑点形成、枯れおよびその後の壊死といった症状を特徴とする植物病害群を指す。胴枯病は真菌性のもの、細菌性のものともに、寒冷多湿条件下でみられる頻度が最も高く、通常、植物のシュートおよび他の若く成長の速い組織を冒す。トマト、ジャガイモおよびリンゴならびに多くの観賞植物種を含めた経済的に重要な植物の大部分が１つまたは複数の胴枯病に対して感受性を示す。胴枯病は、その原因病原菌にちなんで命名されることが多く、例えば、コレトトリクム胴枯病は真菌のコレトトリクム・カプシキ（Ｃｏｌｌｅｔｏｔｒｉｃｈｕｍ  ｃａｐｓｉｃｉ）にちなんで命名されたものであり、フィトフトラ胴枯病は水生菌のフィトフトラ・パラシティカ（Ｐｈｙｔｏｐｈｔｈｏｒａ  ｐａｒａｓｉｔｉｃａ）にちなんで命名されたものである。胴枯病の例としては、特に限定されないが、アルテルナリア胴枯病（夏疫病）（アルテルナリア・ソラニ（Ａｌｔｅｒｎａｒｉａ  ｓｏｌａｎｉ））、フサリウム胴枯病（フサリウム・ガミネアルム（Ｆｕｓａｒｉｕｍ  ｇａｍｉｎｅａｒｕｍ）、Ｆ．アベナセウム（Ｆ．ａｖｅｎａｃｅｕｍ）、Ｆ．クルモルム（Ｆ．ｃｕｌｍｏｒｕｍ）、ミクロドキウム・ニバレ（Ｍｉｃｒｏｄｏｃｈｉｕｍ  ｎｉｖａｌｅ））、フィトフトラ胴枯病（葉枯病）（フィトフトラ・インフェスタンス（Ｐｈｙｔｏｐｈｔｈｏｒａ  ｉｎｆｅｓｔａｎｓ））、リゾクトニア苗立ち枯病（リゾクトニア・ソラニ（Ｒｈｉｚｏｃｔｏｎｉａ  ｓｏｌａｎｉ））；リゾクトニア葉枯病（リゾクトニア・ソラニ（Ｒｈｉｚｏｃｔｏｎｉａ  ｓｏｌａｎｉ））、雪腐褐色小粒菌核病（ティフラ（Ｔｙｐｈｕｌａ）菌種）、リンゴモニリア病（モニリニア・マリ（Ｍｏｎｉｌｉｎｉａ  ｍａｌｉ））、イネ白葉枯病（キサントモナス・オリザエ（Ｘａｎｔｈｏｍｏｎａｓ  ｏｒｙｚａｅ））、クリ胴枯病（クリフォネクトリア・パラシティカ（Ｃｒｙｐｈｏｎｅｃｔｒｉａ  ｐａｒａｓｉｔｉｃａ））、ナシ状果の火傷病（エルウィニア・アミロボーラ（Ｅｒｗｉｎｉａ  ａｍｙｌｏｖｏｒａ））、輪斑病（ペスタロチオプシス（Ｐｅｓｔａｌｏｔｉｏｐｓｉｓ）菌種）、葉枯病（セプトリア・クリサンテミ−インディシ（Ｓｅｐｔｏｒｉａ  ｃｈｒｙｓａｎｔｈｅｍｉ−ｉｎｄｉｃｉ））、タナテフォルス・ククメリス（Ｔｈａｎａｔｅｐｈｏｒｕｓ  ｃｕｃｕｍｅｒｉｓ））、網もち病（エクソバシディウム・レティキュラートゥム（Ｅｘｏｂａｓｉｄｉｕｍ  ｒｅｔｉｃｕｌａｔｕｍ））、紋枯病（リゾクトニア・ソラニ（Ｒｈｉｚｏｃｔｏｎｉａ  ｓｏｌａｎｉ））、ラッカセイ白絹病（スクレロティウム・ロルフシィ（Ｓｃｌｅｒｏｔｉｕｍ  ｒｏｌｆｓｉｉ））、トウモロコシごま葉枯病（コクリオボルス・ヘテロストロフス（Ｃｏｃｈｌｉｏｂｏｌｕｓ  ｈｅｔｅｒｏｓｔｒｏｐｈｕｓ）、ビポラリス・メイディス（Ｂｉｐｏｌａｒｉｓ  ｍａｙｄｉｓ））、ダイズ黒点病（ディアポルテ・ファセオロルム変種ソジャエ（Ｄｉａｐｏｒｔｈｅ  ｐｈａｓｅｏｌｏｒｕｍ  ｖａｒ．ｓｏｊａｅ））およびつる枯病（ミコスフェレラ・メロニス（Ｍｙｃｏｓｐｈａｅｒｅｌｌａ  ｍｅｌｏｎｉｓ���）が挙げられる。
【０１２５】
潰瘍病は、多種の真菌および細菌を原因とし、主として様々な木本植物にみられる一般的で広範囲な植物病害群を指す。症状としては、茎（甘蔗）、小枝、大枝または幹に円形ないし不定形の、くぼんだ、膨らんだ、扁平な、またはひび割れた、変色し、胴枯れし、壊死した領域がみられる。潰瘍病は小枝または枝を肥大させて取り囲み、その先にある葉群を枯れさせ得る。潰瘍病により植物が風や着氷性悪天で折れる程度まで構造的に脆弱化することがある。潰瘍病によりほかにも、創傷の正常な治癒が遅くなり、木材腐朽または萎れを発生させる真菌および他の微生物が侵入する。これらは、低温または乾燥によるストレス、昆虫による損傷、栄養の不均衡、センチュウまたは根腐れによって衰弱した植物に最もよくみられるものである。潰瘍病は、一年生植物潰瘍病（フサリウム潰瘍病）、多年生植物潰瘍病（ネクトリア潰瘍病、エウティペラ潰瘍病）および広汎性潰瘍病（ボトリオスフェリア潰瘍病、フィトフトラ胴枯れ、キトスポラ潰瘍病）に分類することができる。潰瘍病の例としては、特に限定されないが、リンゴ潰瘍病（バルサ・ケラトスペルマ（Ｖａｌｓａ  ｃｅｒａｔｏｓｐｅｒｍａ））、ボトリオスフェリア潰瘍病、キトスポラ潰瘍病、エウティペラ（カエデ）潰瘍病、ネクトリア潰瘍病、フィトフトラ胴枯れ、ウルヌラ（オーク）潰瘍病などの真菌性の潰瘍病ならびにエルウィニア潰瘍病、シュードモナス潰瘍病（シュードモナス・シリンガエ（Ｐｓｅｕｄｏｍｏｎａｓ  ｓｙｒｉｎｇａｅ））およびキサントモナス潰瘍病などの細菌性の潰瘍病が挙げられる。
【０１２６】
根瘤病は、土壌真菌のプラスモディオフォラ・ブラシカエ（Ｐｌａｓｍｏｄｉｏｐｈｏｒａ  ｂｒａｓｓｉｃａｅ）を原因とし、キャベツ科のメンバーが罹病する植物病害群を指し、根がいびつになり（棍棒状に）変形し、多くの場合、ひび割れおよび腐朽を起こすといった症状を特徴とする。その結果、植物が水および栄養素を適切に吸収することが困難になる。植物の成長が遅くなるほか、植物は温度の低い夜間に回復するため、温度の高い日中に萎れることがある。最終的には外側の葉が黄色または褐色になる。根瘤病によって収量が低下するほか、植物全体が損なわれることもある。
【０１２７】
立ち枯病は、種子および新苗が罹病し、フサリウム属（Ｆｕｓａｒｉｕｍ）、フィトフトラ属（Ｐｈｙｔｏｐｈｔｈｏｒａ）、フィチウム属（Ｐｙｔｈｉｕｍ）およびＲ．ソラニ（Ｒ．ｓｏｌａｎｉ）を含めたリゾクトニア属（Ｒｈｉｚｏｃｔｏｎｉａ）に属する種を含めたいくつかの真菌を原因とする植物病害群を指し、土壌表面から下の茎および根の組織の腐朽といった症状を特徴とする。ほとんどの場合、感染した植物は発芽して出芽し始めるが、数日以内に水浸しになって形が崩れ、根元から倒れて枯れる。
【０１２８】
ゴールは、真菌、細菌、ウイルスおよびセンチュウならびに特定の昆虫を原因とし、植物組織の異常で局所的な増生または肥大といった症状を特徴とする植物病害群を指す。ゴールはつる植物、観賞花、果樹、イバラ、陰樹および野菜に感染して枯れさせる。これ以外にも、ヒマラヤスギ−リンゴさび病；根瘤病およびトウモロコシ黒穂病を含めた植物病害に感染の二次的結果としてゴールが発生する。ゴールの例としては、特に限定されないが、黒瘤病（ディボトリオン・モルボスム（Ｄｉｂｏｔｒｙｏｎ  ｍｏｒｂｏｓｕｍ））およびクラウンゴール（アグロバクテリウム・ツメファシェンス（Ａｇｒｏｂａｃｔｅｒｉｕｍ  ｔｕｍｅｆａｃｉｅｎｓ））が挙げられる。
【０１２９】
縮葉病とも呼ばれる平もち病は、世界の多くの木本植物およびシダ植物が罹病する植物病害群を指し、タフリナ属（Ｔａｐｈｒｉｎａ）の真菌を原因とし、葉がよじれて丸くなるといった症状を特徴とする。発芽時の気候が寒冷湿潤であると、葉が膨らみ、よじれ、ゆがみ、葉の上面に黄色、赤色、紫色、褐色、白色または灰色の発疹がみられ、葉の下面に灰色のくぼみがみられる。このような葉は通常、早期に枯れて落ち、植物を衰弱させる。平もち病の落葉によって果実生産量が大幅に減少することがあり、木さえ枯れることもある。平もち病には、モモ、ネクタリン、プラム、アーモンド、ザイフリボク、アンズ、カバノキ、サクランボ、セイヨウバクチノキ、カリフォルニアトチノキ、ハンノキ、オークおよびポプラが罹病する。糸状菌の例としては、特に限定されないが、縮葉病（タフリナ・デフォルマンス（Ｔａｐｈｒｉｎａ  ｄｅｆｏｒｍａｎｓ））が挙げられる。
【０１３０】
斑点病は、多数の真菌および細菌を原因とし、植物の葉に斑点がみられるといった症状を特徴とする植物病害群を指す。感染した植物は、葉群に褐色または黒色で通常一様な大きさの水浸しの斑点がみられ、この斑点に黄色いハローを伴うこともある。斑点は、湿潤条件下では大きくなって混ざる。乾燥条件下では、斑点は小さい染みのような外観を呈する。斑点の数が増えるとともに、葉全体が黄色になり、枯れて落ち得る。真菌性の斑点病には、アルテルナリア属（Ａｌｔｅｒｎａｒｉａ）、アステリナ属（Ａｓｔｅｒｉｎａ）、アステリネラ属（Ａｓｔｅｒｉｎｅｌｌａ）、セルコスポラ属（Ｃｅｒｃｏｓｐｏｒａ）、セルコスポレラ属（Ｃｅｒｃｏｓｐｏｒｅｌｌａ）、コクリオボルス属（Ｃｏｃｈｌｉｏｂｏｌｕｓ）、コリネスポラ属（Ｃｏｒｙｎｅｓｐｏｒａ）、ディプロカルポン属（Ｄｉｐｌｏｃａｒｐｏｎ）、ディプロテカ属（Ｄｉｐｌｏｔｈｅｃａ）、グレオセルコスポラ属（Ｇｌｏｅｏｃｅｒｃｏｓｐｏｒａ）、グロメレラ属（Ｇｌｏｍｅｒｅｌｌａ）、グノモニア属（Ｇｎｏｍｏｎｉａ）、フォモプシス属（Ｐｈｏｍｏｐｓｉｓ）、ラコスフェリア属（Ｐｌａｃｏｓｐｈａｅｒｉａ）、ピレノフォラ属（Ｐｙｒｅｎｏｐｈｏｒａ）、シゾチリウム属（Ｓｃｈｉｚｏｔｈｙｒｉｕｍ）、スクレロティニア属（Ｓｃｌｅｒｏｔｉｎｉａ）、セプトリア属（Ｓｅｐｔｏｒｉａ）およびスティグメア属（Ｓｔｉｇｍｅａ）の種が含まれる。真菌性の斑点病はレタスを冒すほか、キャベツ、カリフラワー、ハクサイ、ブロッコリ、芽キャベツ、コールラビ、ケール、カブおよびルタバガなどを含めたアブラナ科のものおよび他の野菜にもみられることがある。真菌性の斑点病はこのほか、イチゴ類ならびにアスペンおよびポプラに感染する。斑点病はほかにも、いくつかの問題を引き起こす。真菌性の斑点病には、シュードモナス属（Ｐｓｅｕｄｏｍｏｎａｓ）の種が含まれる。細菌性の斑点病は、特にサクラ属（サクランボ、プラム、アーモンド、アンズおよびモモを含めた核果）のメンバーを冒し、これらは細菌性の斑点病に対して特に感受性が高い。果実には、斑点が見られたり、褐色のくぼんだ部分が現れたりし得る。細菌性の斑点病はこのほか、トマト作物およびコショウ作物ならびにバラ、ゼラニウム、ヒャクニチソウ、ムラサキバレンギクおよびアラゲハンゴンソウを含めた一部の一年生および多年生の顕花植物に感染する。萎凋病斑点病の例としては、特に限定されないが、アルテルナリア斑点病（アルテルナリア・アルテルナータ（Ａｌｔｅｒｎａｒｉａ  ａｌｔｅｒｎａｔａ）、アルテルナリア・ブラッシシコーラ（Ａｌｔｅｒｎａｒｉａ  ｂｒａｓｓｉｃｉｃｏｌａ）、アルテルナリア・ジャポニカ（Ａｌｔｅｒｎａｒｉａ  ｊａｐｏｎｉｃａ））、黒斑病（アルテルナリア・アルテルナータ（Ａｌｔｅｒｎａｒｉａ  ａｌｔｅｒｎａｔａ）、ディプロカルポン・ロザエ（Ｄｉｐｌｏｃａｒｐｏｎ  ｒｏｓａｅ））、褐斑病（アルテルナリア・ロンギペス（Ａｌｔｅｒｎａｒｉａ  ｌｏｎｇｉｐｅｓ）、コクリオボルス・ミヤベアヌス（Ｃｏｃｈｌｉｏｂｏｌｕｓ  ｍｉｙａｂｅａｎｕｓ）、フォモプシス・ベクサンス（Ｐｈｏｍｏｐｓｉｓ  ｖｅｘａｎｓ）、セプトリア・グリシネス（Ｓｅｐｔｏｒ��ａ  ｇｌｙｃｉｎｅｓ））、セルコスポラ斑点病（セルコスポラ・ベティコラ（Ｃｅｒｃｏｓｐｏｒａ  ｂｅｔｉｃｏｌａ））、ダラースポット病（スクレロティニア・ホメオカルパ（Ｓｃｌｅｒｏｔｉｎｉａ  ｈｏｍｅｏｃａｒｐａ））、早期斑点病（セルコスポラ・ペルソナータ（Ｃｅｒｃｏｓｐｏｒａ  ｐｅｒｓｏｎａｔａ））、ダイズ斑点病（セルコスポラ・ソジナ（Ｃｅｒｃｏｓｐｏｒａ  ｓｏｊｉｎａ））、灰斑病（セルコスポラ・ゼアエ−メイディス（Ｃｅｒｃｏｓｐｏｒａ  ｚｅａｅ−ｍａｙｄｉｓ））、黒渋病（セルコスポラ・アラキディコラ（Ｃｅｒｃｏｓｐｏｒａ  ａｒａｃｈｉｄｉｃｏｌａ））、斑点病（セルコスポラ・カキ（Ｃｅｒｃｏｓｐｏｒａ  ｋａｋｉ）、ミコスフェレラ・ナワエ（Ｍｙｃｏｓｐｈａｅｒｅｌｌａ  ｎａｗａｅ））、黄斑病（ピレノフォラ・トリティキ−レペンティス（Ｐｙｒｅｎｏｐｈｏｒａ  ｔｒｉｔｉｃｉ−ｒｅｐｅｎｔｉｓ））、白斑病（セルコスポレラ・ブラシカエ（Ｃｅｒｃｏｓｐｏｒｅｌｌａ  ｂｒａｓｓｉｃａｅ））、褐色輪紋病（コリネスポラ・カッシィコラ（Ｃｏｒｙｎｅｓｐｏｒａ  ｃａｓｓｉｉｃｏｌａ））および環紋葉枯病（グレオセルコスポラ・ソルギー（Ｇｌｏｅｏｃｅｒｃｏｓｐｏｒａ  ｓｏｒｇｈｉ））が挙げられる。
【０１３１】
うどんこ病は、多数の真菌を原因とし、通常葉の上面または下面に、白色、灰色、青みがかった色または紫色の粉末が増殖するといった症状を特徴とする植物病害群を指す。小さい黒点が現れて胞子を産生し、それが風に飛ばされて新たな植物に感染する。うどんこ病が広範囲に及ぶ場合、葉が茶色になり、多くの場合、早期に萎れ、枯死し、果実が早期に熟し、歯ごたえおよび風味が劣るものとなる。苗が萎れ、倒れることがある。何百種もの樹木、低木、つる植物、花、野菜、果実、草、農作物、園芸植物、灌木になる果実および雑草がうどんこ病に罹病する可能性がある。うどんこ病の例としては、特に限定されないが、べと病（バシジオホラ（Ｂａｓｉｄｉｏｐｈｏｒａ）菌種、ブレミア・ラクツカエ（Ｂｒｅｍｉａ  ｌａｃｔｕｃａｅ）および他のブレミア（Ｂｒｅｍｉａ）菌種、エリシフェ・グラミニス（Ｅｒｙｓｉｐｈｅ  ｇｒａｍｉｎｉｓ）、プラスモパラ・ビティコラ（Ｐｌａｓｍｏｐａｒａ  ｖｉｔｉｃｏｌａ）、ポドスフェラ属（Ｐｏｄｏｓｐｈａｅｒａ）、ペロノスポラ・デストラクター（Ｐｅｒｏｎｏｓｐｏｒａ  ｄｅｓｔｒｕｃｔｏｒ）、ペロノスポラ・パラシチカ（Ｐｅｒｏｎｏｓｐｏｒａ  ｐａｒａｓｉｔｉｃａ）、ペロノスポラ・スパルサ（Ｐｅｒｏｎｏｓｐｏｒａ  ｓｐａｒｓａ）、ペロノスポラ・タバシナ（Ｐｅｒｏｎｏｓｐｏｒａ  ｔａｂａｃｉｎａ）および他のペロノスポラ（Ｐｅｒｏｎｏｓｐｏｒａ）菌種、フィトフトラ（Ｐｈｙｔｏｐｈｔｈｏｒａ）菌種、プラスモパラ（Ｐｌａｓｍｏｐａｒａ）菌種、シュードペロノスポラ・キュベンシス（Ｐｓｅｕｄｏｐｅｒｏｎｏｓｐｏｒａ  ｃｕｂｅｎｓｉｓ）および他のシュードペロノスポラ（Ｐｓｅｕｄｏｐｅｒｏｎｏｓｐｏｒａ）菌種およびスクレロスポラ（Ｓｃｌｅｒｏｓｐｏｒａ）菌種）およびうどんこ病（エリシフェ・シコラセアルム（Ｅｒｙｓｉｐｈｅ  ｃｉｃｈｏｒａｃｅａｒｕｍ）、エリシフェ・グラミニス（Ｅｒｙｓｉｐｈｅ  ｇｒａｍｉｎｉｓ）、エリシフェ・ピシ（Ｅｒｙｓｉｐｈｅ  ｐｉｓｉ）および他のエリシフェ（Ｅｒｙｓｉｐｈｅ）菌種、ミコスフェレラ属（Ｍｉｃｒｏｓｐｈａｅｒａ）、フィラクチニア属（Ｐｈｙｌｌａｃｔｉｎｉａ）、ポドスフェラ・リューコトリカ（Ｐｏｄｏｓｐｈａｅｒａ  ｌｅｕｃｏｔｒｉｃｈａ）および他のポドスフェラ（Ｐｏｄｏｓｐｈａｅｒａ）菌種、スフェロセーカ・フリギネア（Ｓｐｈａｅｒｏｔｈｅｃａ  ｆｕｌｉｇｉｎｅａ）、スフェロセーカ・フムリ（Ｓｐｈａｅｒｏｔｈｅｃａ  ｈｕｍｕｌｉ）、スフェロセーカ・パンノサ（Ｓｐｈａｅｒｏｔｈｅｃａ  ｐａｎｎｏｓａ）および他のスフェロセーカ（Ｓｐｈａｅｒｏｔｈｅｃａ）菌種およびウンキヌラ・ネカトル（Ｕｎｃｉｎｕｌａ  ｎｅｃａｔｏｒ）および他のウンキヌラ（Ｕｎｃｉｎｕｌａ）菌種）が挙げられる。
【０１３２】
かび病は、いくつかの真菌を原因とし、感染した植物部位の表面が粉末様または羊毛様の外観を呈するといった症状を特徴とする植物病害群を指す。かび病は、特に湿度が高く寒冷ないし温暖な気候の時期に、穀類、飼料草および芝草を含めた様々な植物を冒す。かび病の例としては、特に限定されないが、灰色かび病（Ｂｏｔｒｙｔｉｓ  ｃｉｎｅｒｅａ）、葉かび病（クラドスポリウム・フルブム（Ｃｌａｄｏｓｐｏｒｉｕｍ  ｆｕｌｖｕｍ））、紅色雪腐病（フサリウム・ニバレ（Ｆｕｓａｒｉｕｍ  ｎｉｖａｌｅ））および雪腐病（ティフラ・イトアナ（Ｔｙｐｈｕｌａ  ｉｔｏａｎａ））が挙げられる。
【０１３３】
モザイクウイルス病は、植物ウイルスを原因とし、いくつかの栄養素欠乏症が現れるといった症状を特徴とする植物病害群を指す。葉群に黄色の縞または斑点がみられ、葉がしわだらけになって丸くなり、成長が阻害され、収量が減少する。感染した果実は斑状の外観を呈し、隆起した「いぼ状の」領域が現れる。モザイクウイルスには、バラ、マメ、タバコ、トマト、ジャガイモおよびコショウを含めた多岐にわたる植物が罹病する。モザイクウイルス種の例としては、特に限定されないが、ビートモザイクウイルス、プラムポックスウイルス（ポティウイルス種）、タバコモザイクウイルス（トバモウイルス種）、キャッサバモザイクウイルス（ベゴモウイルス種）、ササゲモザイクウイルス、キュウリモザイクウイルス、アルファルファモザイクウイルス、キビモザイクサテライトウイルス、カボチャモザイクウイルス、チューリップモザイクウイルスおよびズッキーニ黄斑モザイクウイルスが挙げられる。
【０１３４】
腐朽とも呼ばれる腐敗病は、何百種類もの土壌真菌および土壌細菌のうちのいずれかを原因とし、植物の分解および腐敗といった症状を特徴とする植物病害群を指す。分解および腐敗は、根、茎、木、花および／または果実の腐朽によるものである。腐朽は、硬く乾燥したもの、柔らかくぐにゃぐにゃのもの、水っぽいもの、形が崩れたもの、またはぬるぬるしたものであり得、いずれの植物部位も罹病し得る。腐敗病の多くは、貯蔵されている果実、根、球根または塊茎で極めて活発である。一部の腐敗病では葉が腐朽するが、その症状は斑点病および胴枯病とされる傾向がある。腐敗病の例としては、特に限定されないが、アファノミセス根腐病（アファノミセス・コクリオイデス（Ａｐｈａｎｏｍｙｃｅｓ  ｃｏｃｈｌｉｏｉｄｅｓ））、フォモプシス腐敗病（フォモプシス（Ｐｈｏｍｏｐｓｉｓ）菌種）、疫病（フィトフトラ・カクトルム（Ｐｈｙｔｏｐｈｔｏｒａ  ｃａｃｔｏｒｕｍ）、フィトフトラ・ソジャエ（Ｐｈｙｔｏｐｈｔｈｏｒａ  ｓｏｊａｅ）、その他のフィトフトラ（Ｐｈｙｔｏｐｈｔｈｏｒａ）菌種）、菌核病（スクレロティニア・スクレロティオルム（Ｓｃｌｅｒｏｔｉｎｉａ  ｓｃｌｅｒｏｔｉｏｒｕｍ））、苦腐病（コレトトリクム・アクタートゥム（Ｃｏｌｌｅｔｏｔｒｉｃｈｕｍ  ａｃｕｔａｔｕｍ））、黒腐病（ギグナルディア・ビドウェリィ（Ｇｕｉｇｎａｒｄｉａ  ｂｉｄｗｅｌｌｉｉ））、褐色腐敗病（モニリニア・フルクチコラ（Ｍｏｎｉｌｉｎｉａ  ｆｒｕｃｔｉｃｏｌａ））、根頭腐敗病（フィトフトラ・カクトルム（Ｐｈｙｔｏｐｈｔｏｒａ  ｃａｃｔｏｒｕｍ））、果実腐敗病（ペニシリウム・ジギタタム（Ｐｅｎｉｃｉｌｌｉｕｍ  ｄｉｇｉｔａｔｕｍ）、Ｐ．イタリクム（Ｐ．ｉｔａｌｉｃｕｍ））、キノコ腐敗病、緋色腐敗病（フィトフトラ・エリスロセプチカ（Ｐｈｙｔｏｐｈｔｈｏｒａ  ｅｒｙｔｈｒｏｓｅｐｔｉｃａ））、晩腐病（グロメレラ・シングラータ（Ｇｌｏｍｅｒｅｌｌａ  ｃｉｎｇｕｌａｔａ））、根腐病（アファノミセス（Ａｐｈａｎｏｍｙｃｅｓ）菌種、アルミラリア・メレア（Ａｒｍｉｌｌａｒｉａ  ｍｅｌｌｅａ）、クリトシベ・タベセンス（Ｃｌｉｔｏｃｙｂｅ  ｔａｂｅｓｃｅｎｓ）、フサリウム（Ｆｕｓａｒｉｕｍ）菌種、フィチウム（Ｐｙｔｈｉｕｍ）菌種、フィトフトラ（Ｐｈｙｔｏｐｈｔｈｏｒａ）菌種、タナテフォルス・ククメリス（Ｔｈａｎａｔｅｐｈｏｒｕｓ  ｃｕｃｕｍｅｒｉｓ））、茎腐病および木材腐朽病が挙げられる。
【０１３５】
さび病は、５，０００種超の真菌を原因とし、数千種類の経済的に重要な植物の葉、若いシュートおよび果実を覆う形で黄色、オレンジ色、赤色、赤褐色、褐色または黒色のいぼ状の隆起が現れるといった症状を特徴とする植物病害群を指す。通常、植物の成長力および繁殖力が低下し、一部の植物は次第に枯れて根だけが残る。さび病菌は、その生活環で１種類の植物（同種寄生さび病または雌雄同株さび病）または２種類の異なる植物（異種寄生さび病）に寄生する。同種寄生さび病としては、アスパラガス、マメ、キク、コーヒー、タチアオイ、キンギョソウおよびサトウキビを冒すものが挙げられる。異種寄生さび病としては、穀類、草、ビャクシン、モミ、ポプラ、リンゴ、ボケ、サンザシ、バラ、スグリおよびセイヨウスグリを冒すものが挙げられる。さび病の例としては、特に限定されないが、アスパラガスさび病、オオムギさび病（プクキニア・ストリイフォルミス（Ｐｕｃｃｉｎｉａ  ｓｔｒｉｉｆｏｒｍｉｓ）、Ｐ．グラミニス（Ｐ．ｇｒａｍｉｎｉｓ）、Ｐ．ホルデイ（Ｐ．ｈｏｒｄｅｉ））、黒さび病（プクキニア・グラミニス（Ｐｕｃｃｉｎｉａ  ｇｒａｍｉｎｉｓ））、ヒマラヤスギ−リンゴさび病、さび病（フラグミディウム（Ｐｈｒａｇｍｉｄｉｕｍ）菌種）、ブドウさび病（ファコプソラ・アンペロプシディス（Ｐｈａｋｏｐｓｏｒａ  ａｍｐｅｌｏｐｓｉｄｉｓ））、赤さび病（プクキニア・トリチシナ・トリチシア（Ｐｕｃｃｉｎｉａ  ｔｒｉｔｉｃｉｎａ  ｔｒｉｔｉｃｉａ））、ナシさび病（ギムノスポランギウム・ハラエアヌム（Ｇｙｍｎｏｓｐｏｒａｎｇｉｕｍ  ｈａｒａｅａｎｕｍ））、南方さび病（プクキニア・ポルブソラ（Ｐｕｃｃｉｎｉａ  ｐｏｌｖｓｏｒａ））、ダイズさび病（ファコプソラ・パキリジ（Ｐｈａｋｏｐｓｏｒａ  ｐａｃｈｙｒｈｉｚｉ））、黄さび病（プクキニア・ストリイフォルミス・トリチシ（Ｐｕｃｃｉｎｉａ  ｓｔｒｉｉｆｏｒｍｉｓ  ｔｒｉｔｉｃｉ））、ネギさび病（プクキニア・アーリー（Ｐｕｃｃｉｎｉａ  ａｌｌｉｉ））、コムギさび病（プクキニア・ストリイフォルミス（Ｐｕｃｃｉｎｉａ  ｓｔｒｉｉｆｏｒｍｉｓ）、Ｐ．グラミニス（Ｐ．ｇｒａｍｉｎｉｓ）、Ｐ．レコンディタ（Ｐ．ｒｅｃｏｎｄｉｔａ））、白さび病（アルブゴ（Ａｌｂｕｇｏ）菌種、プクキニア・ホリアナ（Ｐｕｃｃｉｎｉａ  ｈｏｒｉａｎａ））およびストローブマツさび病（クロナルチウム・リビコラ（Ｃｒｏｎａｒｔｉｕｍ  ｒｉｂｉｃｏｌａ））が挙げられる。
【０１３６】
黒星病は、いくつかの真菌および細菌を原因とし、果実、塊茎、葉または茎の組織が硬化し、生育過剰となり、時に亀裂が入る（殻皮状の病斑）といった症状を特徴とする植物病害群を指す。罹病した植物の葉は、早期に枯れて落ち得る。黒星病は、リンゴ、クラブアップル、穀類、キュウリ、モモ、ペカン、カナメモチ、ジャガイモおよびピラカンサといった樹木または植物を冒す。果実黒星病はリンゴおよびモモに対して大きな問題となることがあり、ジャガイモは特に瘡痂病に対する感受性が高い。黒星病の例としては、特に限定されないが、リンゴ黒星病（ベンチュリア・イナエクアリス（Ｖｅｎｔｕｒｉａ  ｉｎａｅｑｕａｌｉｓ））、シトリス（ｃｉｔｒｉｓ）黒星病（エルシノエ・ファウケッティ（Ｅｌｓｉｎｏｅ  ｆａｗｃｅｔｔｉ））、瘡痂病（ストレプトミセス・スカビエス（Ｓｔｒｅｐｔｏｍｙｃｅｓ  ｓｃａｂｉｅｓ））、モモ黒星病（クラドスポリウム・カルポフィルム（Ｃｌａｄｏｓｐｏｒｉｕｍ  ｃａｒｐｏｐｈｉｌｕｍ））、黒星病（ベンチュリア・ナシコラ（Ｖｅｎｔｕｒｉａ  ｎａｓｈｉｃｏｌａ）、Ｖ．ピリナ（Ｖ．ｐｉｒｉｎａ）、ジャガイモ粉状瘡痂病（スポンゴスポラ・サブテラネアン分化型サブテラネア（Ｓｐｏｎｇｏｓｐｏｒａ  ｓｕｂｔｅｒｒａｎｅａｎ  ｆ．ｓｐ．ｓｕｂｔｅｒｒａｎｅａ））および白星病（エルシノエ・リューコスピラ（Ｅｌｓｉｎｏｅ  ｌｅｕｃｏｓｐｉｌａ））が挙げられる。
【０１３７】
黒穂病は、真菌を原因とし、種子、葉、茎、花部および球根の発疹の中に形成され胞子嚢と呼ばれるすすのような塊の中に真菌胞子が蓄積するといった症状を特徴とする植物病害群を指す。胞子嚢は通常、風によって容易に拡散する黒い粉末に砕ける。黒穂病真菌の多くは植物の胚または苗に侵入し、全身に広がり、植物が成熟に近づいて初めて外部に現れる。これ以外にも、局在し、成長中の組織に積極的に感染する黒穂病がある。黒穂病は草、穀類およびコーン（トウモロコシ）、サトウキビのほかソルガムに最もよくみられる。黒穂病の例としては、特に限定されないが、オオムギ黒穂病（ウスチラゴ・ヌダ（Ｕｓｔｉｌａｇｏ  ｎｕｄａ））、コーン黒穂病（ウスチラゴ・メイディス（Ｕｓｔｉｌａｇｏ  ｍａｙｄｉｓ）、Ｕ．ゼアエ（Ｕ．ｚｅａｅ））、裸黒穂病（ウスチラゴ・トリティキ（Ｕｓｔｉｌａｇｏ  ｔｒｉｔｉｃｉ））およびなまぐさ黒穂病（ティレティア・カリエス（Ｔｉｌｌｅｔｉａ  ｃａｒｉｅｓ））が挙げられる。
【０１３８】
萎凋病は、多数の真菌および細菌を原因とし、恒久的な成長阻害、萎れおよび枯れがみられ、多くの場合、のちに植物の全体または一部が死ぬといった症状を特徴とする植物病害群を指す。萎凋病の原因となる真菌としては、フサリウム属（Ｆｕｓａｒｉｕｍ）およびバーティシリウム属（Ｖｅｒｔｉｃｉｌｌｉｕｍ）の種が挙げられ、萎凋病の原因となる細菌としては、コリネバクテリウム属（Ｃｏｒｙｎｅｂａｃｔｅｒｉｕｍ）、エルウィニア属（Ｅｒｗｉｎｉａ）、シュードモナス属（Ｐｓｅｕｄｏｍｏｎａｓ）およびキサントモナス属（Ｘａｎｔｈｏｍｏｎａｓ）の種が挙げられる。萎凋病には、５００種を超える樹木、低木、つる植物、花、観葉植物、野菜、果実、農作物および雑草が罹病する。萎凋病の例としては、特に限定されないが、フサリウム萎凋病（フサリウム・オキシスポラム（Ｆｕｓａｒｉｕｍ  ｏｘｙｓｐｏｒｕｍ））、オーク萎凋病（セラトシスティス・ファガケアルム（Ｃｅｒａｔｏｃｙｓｔｉｓ  ｆａｇａｃｅａｒｕｍ））、スチュワート萎凋病およびバーティシリウム萎凋病（バーティシリウム・アルボアトルム（Ｖｅｒｔｉｃｉｌｌｉｕｍ  ａｌｂｏａｔｒｕｍ）、Ｖ．ダーリア（Ｖ．ｄａｈｌｉａｅ））が挙げられる。
【０１３９】
本明細書に開示される植物用薬剤組成物、方法および／または使用によって集団が防除され得る病原体としては、特に限定されないが、ウイルス、細菌、真菌およびセンチュウが挙げられる。さらに、本明細書に開示される植物用薬剤組成物、方法および／または使用によってあらゆる発生段階を防除することが可能であり、このような発生段階としては、特に限定されないが、卵、幼生、幼虫、幼若体、蛹および生体が挙げられる。
【０１４０】
本明細書に開示される植物用薬剤組成物、方法および／または使用によって、モネラ界、真菌界および線形動物門に属する病原体の集団を防除することができる。一実施形態では、本明細書に開示される植物用薬剤組成物、方法および／または使用によって、真正細菌ドメインおよび藍藻類に属する病原体（細菌病原体と呼ぶ）の集団を防除することができる。この実施形態の諸態様では、本明細書に開示される植物用薬剤組成物、方法および／または使用によって、アシドバクテリウム門、放線菌門、アクウィフェクス門、アルマティモナス門、バクテロイデス門、カルディセリクム門、クラミジア門、緑色硫黄細菌門、緑色非硫黄細菌門、クリシオゲネス門、シアノバクテリア門、デフェリバクター門、デイノコッカス−サーマス門（サーマス門）、ディクチオグロムス門、エルシミクロビア門、フィブロバクター門、ファーミキューテス門、フソバクテリウム門、ゲマティモナス門、レンティスファエラ門、ニトロスピラ門、プランクトミセス門、プロテオバクテリア門、スピロヘータ門、シネルギステス門、テネリクテス門、サーモデスルフォバクテリア門、サーモミクロビア門、サーモトガ門またはベルコミクロビア門に属する病原体の集団を防除することができる。細菌病原体の特定の属の非網羅的リストには、特に限定されないが、アグロバクテリウム属（Ａｇｒｏｂａｃｔｅｒｉｕｍ）、コリネバクテリウム属（Ｃｏｒｙｎｅｂａｃｔｅｒｉｕｍ）、クリフォネクトリア属（Ｃｒｙｐｈｏｎｅｃｔｒｉａ）、エルウィニア属（Ｅｒｗｉｎｉａ）、ペニシリウム属（Ｐｅｎｉｃｉｌｌｉｕｍ）、シュードモナス属（Ｐｓｅｕｄｏｍｏｎａｓ）、ストレプトミセス属（Ｓｔｒｅｐｔｏｍｙｃｅｓ）およびキサントモナス属（Ｘａｎｔｈｏｍｏｎａｓ）に属が含まれる。細菌病原体の特定の種の非網羅的リストには、特に限定されないが、アグロバクテリウム・ツメファシェンス（Ａｇｒｏｂａｃｔｅｒｉｕｍ  ｔｕｍｅｆａｃｉｅｎｓ）、クリフォネクトリア・パラシティカ（Ｃｒｙｐｈｏｎｅｃｔｒｉａ  ｐａｒａｓｉｔｉｃａ）、エルウィニア・アミロボーラ（Ｅｒｗｉｎｉａ  ａｍｙｌｏｖｏｒａ）、ペニシリウム・ジギタタム（Ｐｅｎｉｃｉｌｌｉｕｍ  ｄｉｇｉｔａｔｕｍ）、Ｐ．イタリクム（Ｐ．ｉｔａｌｉｃｕｍ）、シュードモナス・シリンガエ（Ｐｓｅｕｄｏｍｏｎａｓ  ｓｙｒｉｎｇａｅ）、ストレプトミセス・スカビエス（Ｓｔｒｅｐｔｏｍｙｃｅｓ  ｓｃａｂｉｅｓ）およびキサントモナス・オリザエ（Ｘａｎｔｈｏｍｏｎａｓ  ｏｒｙｚａｅ）が含まれる。
【０１４１】
別の実施形態では、本明細書に開示される植物用薬剤組成物、方法および／または使用によって、ウイルス目に属する病原体の集団を防除することができる。ウイルス病原体と呼ぶ特定の属の非網羅的リストには、特に限定されないが、ベゴモウイルス属（Ｂｅｇｏｍｏｖｉｒｕｓ）、ポティウイルス属（Ｐｏｔｙｖｉｒｕｓ）およびトバモウイルス属（Ｔｏｂａｍｏｖｉｒｕｓ）が含まれる。
【０１４２】
別の実施形態では、本明細書に開示される植物用薬剤組成物、方法および／または使用によって、子嚢菌門、担子菌門、不完全菌門または接合菌門に属する病原体の集団を防除することができる。真菌病原体と呼ぶ特定の属の非網羅的リストには、特に限定されないが、アルブゴ属（Ａｌｂｕｇｏ）、アルテルナリア属（Ａｌｔｅｒｎａｒｉａ）、アファノミセス属（Ａｐｈａｎｏｍｙｃｅｓ）、アルミラリア属（Ａｒｍｉｌｌａｒｉａ）、アステリナ属（Ａｓｔｅｒｉｎａ）、アステリネラ属（Ａｓｔｅｒｉｎｅｌｌａ）、バシジオホラ属（Ｂａｓｉｄｉｏｐｈｏｒａ）、ビポラリス属（Ｂｉｐｏｌａｒｉｓ）、ボトリオスフェリア属（Ｂｏｔｒｙｏｓｐｈａｅｒｉａ）、ボトリチス属（Ｂｏｔｒｙｔｉｓ）、ブレミア属（Ｂｒｅｍｉａ）、セラトシスティス属（Ｃｅｒａｔｏｃｙｓｔｉｓ）、セルコスポラ属（Ｃｅｒｃｏｓｐｏｒａ）、セルコスポレラ属（Ｃｅｒｃｏｓｐｏｒｅｌｌａ）、クラドスポリウム属（Ｃｌａｄｏｓｐｏｒｉｕｍ）、クリトシベ属（Ｃｌｉｔｏｃｙｂｅ）、コクリオボルス属（Ｃｏｃｈｌｉｏｂｏｌｕｓ）、コレトトリクム属（Ｃｏｌｌｅｔｏｔｒｉｃｈｕｍ）、コリネスポラ属（Ｃｏｒｙｎｅｓｐｏｒａ）、クロナルチウム属（Ｃｒｏｎａｒｔｉｕｍ）、キトスポラ属（Ｃｙｔｏｓｐｏｒａ）、ディアポルテ属（Ｄｉａｐｏｒｔｈｅ）、ディボトリオン属（Ｄｉｂｏｔｒｙｏｎ）、ディプロカルポン属（Ｄｉｐｌｏｃａｒｐｏｎ）、ディプロテカ属（Ｄｉｐｌｏｔｈｅｃａ）、エルシノエ属（Ｅｌｓｉｎｏｅ）、エリシフェ属（Ｅｒｙｓｉｐｈｅ）、エウティペラ属（Ｅｕｔｙｐｅｌｌａ）、エクソバシディウム属（Ｅｘｏｂａｓｉｄｉｕｍ）、フサリウム属（Ｆｕｓａｒｉｕｍ）、グレオセルコスポラ属（Ｇｌｏｅｏｃｅｒｃｏｓｐｏｒａ）、グレオスポリウム属（Ｇｌｏｅｏｓｐｏｒｉｕｍ）、グロメレラ属（Ｇｌｏｍｅｒｅｌｌａ）、グノモニア属（Ｇｎｏｍｏｎｉａ）、ギグナルディア属（Ｇｕｉｇｎａｒｄｉａ）、ギムノスポランギウム属（Ｇｙｍｎｏｓｐｏｒａｎｇｉｕｍ）、ミクロドキウム属（Ｍｉｃｒｏｄｏｃｈｉｕｍ）、ミクロスファエラ属（Ｍｉｃｒｏｓｐｈａｅｒａ）、モニリニア属（Ｍｏｎｉｌｉｎｉａ）、ミコスフェレラ属（Ｍｙｃｏｓｐｈａｅｒｅｌｌａ）、ネクトリア属（Ｎｅｃｔｒｉａ）、ペロノスポラ属（Ｐｅｒｏｎｏｓｐｏｒａ）、ペスタロチオプシス属（Ｐｅｓｔａｌｏｔｉｏｐｓｉｓ）、ファコプソラ属（Ｐｈａｋｏｐｓｏｒａ）、フォモプシス属（Ｐｈｏｍｏｐｓｉｓ）、フラグミディウム属（Ｐｈｒａｇｍｉｄｉｕｍ）、フィラクチニア属（Ｐｈｙｌｌａｃｔｉｎｉａ）、フィトフトラ属（Ｐｈｙｔｏｐｈｔｈｏｒａ）、プラコスフェリア属（Ｐｌａｃｏｓｐｈａｅｒｉａ）、プラスモディオフォラ属（Ｐｌａｓｍｏｄｉｏｐｈｏｒａ）、プラスモパラ属（Ｐｌａｓｍｏｐａｒａ）、ポドスフェラ属（Ｐｏｄｏｓｐｈａｅｒａ）、シュードペロノスポラ属（Ｐｓｅｕｄｏｐｅｒｏｎｏｓｐｏｒａ）、プクキニア属（Ｐｕｃｃｉｎｉａ）、ピレノフォラ属（Ｐｙｒｅｎｏｐｈｏｒａ）、フィチウム属（Ｐｙｔｈｉｕｍ）、リゾクトニア属（Ｒｈｉｚｏｃｔｏｎｉａ）、シゾチリウム属（Ｓｃｈｉｚｏｔｈｙｒｉｕｍ）、スクレロスポラ属（Ｓｃｌｅｒｏｓｐｏｒａ）、スクレロティニア属（Ｓｃｌｅｒｏｔｉｎｉａ）、セプトリア属（Ｓｅｐｔｏｒｉａ）、スフェロセーカ属（Ｓｐｈａｅｒｏｔｈｅｃａ）、スポンゴスポラ属（Ｓｐｏｎｇｏｓｐｏｒａ）、スティグメア属（Ｓｔｉｇｍｅａ）、タフリナ属（Ｔａｐｈｒｉｎａ）、タナテフォルス属（Ｔｈａｎａｔｅｐｈｏｒｕｓ）、ティレティア属（Ｔｉｌｌｅｔｉａ）、ティフラ属（Ｔｙｐｈｕｌａ）、ウンキヌラ属（Ｕｎｃｉｎｕｌａ）、ウルヌラ属（Ｕｒｎｕｌａ）、ウスチラゴ属（Ｕｓｔｉｌａｇｏ）、バルサ属（Ｖａｌｓａ）、ベンチュリア属（Ｖｅｎｔｕｒｉａ）およびバーティシリウム属（Ｖｅｒｔｉｃｉｌｌｉｕｍ）が含まれる。真菌病原体の特定の種の非網羅的リストには、特に限定されないが、アルテルナリア・アルテルナータ（Ａｌｔｅｒｎａｒｉａ  ａｌｔｅｒｎａｔａ）、アルテルナリア・ブラッシシコーラ（Ａｌｔｅｒｎａｒｉａ  ｂｒａｓｓｉｃｉｃｏｌａ）、アルテルナリア・ジャポニカ（Ａｌｔｅｒｎａｒｉａ  ｊａｐｏｎｉｃａ）、アルテルナリア・ロンギペス（Ａｌｔｅｒｎａｒｉａ  ｌｏｎｇｉｐｅｓ）、アルテルナリア・ソラニ（Ａｌｔｅｒｎａｒｉａ  ｓｏｌａｎｉ）、アファノミセス・コクリオイデス（Ａｐｈａｎｏｍｙｃｅｓ  ｃｏｃｈｌｉｏｉｄｅｓ）、アルミラリア・メレア（Ａｒｍｉｌｌａｒｉａ  ｍｅｌｌｅａ）、ビポラリス・メイディス（Ｂｉｐｏｌａｒｉｓ  ｍａｙｄｉｓ）、ボトリチス・キネラエ（Ｂｏｔｒｙｔｉｓ  ｃｉｎｅｒｅａ）、ブレミア・ラクツカエ（Ｂｒｅｍｉａ  ｌａｃｔｕｃａｅ）、セラトシスティス・ファガケアルム（Ｃｅｒａｔｏｃｙｓｔｉｓ  ｆａｇａｃｅａｒｕｍ）、セルコスポラ・アラキディコラ（Ｃｅｒｃｏｓｐｏｒａ  ａｒａｃｈｉｄｉｃｏｌａ）、Ｃ．ベティコラ（Ｃ．ｂｅｔｉｃｏｌａ）、Ｃ．カキ（Ｃ．ｋａｋｉ）、Ｃ．ペルソナータ（Ｃ．ｐｅｒｓｏｎａｔａ）、Ｃ．ソジナ（Ｃ．ｓｏｊｉｎａ）、Ｃ．ゼアエ−メイディス（Ｃ．ｚｅａｅ−ｍａｙｄｉｓ）、セルコスポレラ・ブラシカエ（Ｃｅｒｃｏｓｐｏｒｅｌｌａ  ｂｒａｓｓｉｃａｅ）、クラドスポリウム・カルポフィルム（Ｃｌａｄｏｓｐｏｒｉｕｍ  ｃａｒｐｏｐｈｉｌｕｍ）、Ｃ．フルブム（Ｃ．ｆｕｌｖｕｍ）、クリトシベ・タベセンス（Ｃｌｉｔｏｃｙｂｅ  ｔａｂｅｓｃｅｎｓ）、コクリオボルス・ヘテロストロフス（Ｃｏｃｈｌｉｏｂｏｌｕｓ  ｈｅｔｅｒｏｓｔｒｏｐｈｕｓ）、Ｃ．ミヤベアヌス（Ｃ．ｍｉｙａｂｅａｎｕｓ）、コレトトリクム・アクタートゥム（Ｃｏｌｌｅｔｏｔｒｉｃｈｕｍ  ａｃｕｔａｔｕｍ）、Ｃ．カプシキ（Ｃ．ｃａｐｓｉｃｉ）、Ｃ．ラゲナリウム（Ｃ．ｌａｇｅｎａｒｉｕｍ）、Ｃ．リンデムチアヌム（Ｃ．ｌｉｎｄｅｍｔｈｉａｎｕｍ）、Ｃ．テアエシネンシス（Ｃ．ｔｈｅａｅｓｉｎｅｎｓｉｓ）、Ｃ．タバクム（Ｃ．ｔａｂａｃｕｍ）、コリネスポラ・カッシィコラ（Ｃｏｒｙｎｅｓｐｏｒａ  ｃａｓｓｉｉｃｏｌａ）、クロナルチウム・リビコラ（Ｃｒｏｎａｒｔｉｕｍ  ｒｉｂｉｃｏｌａ）、ディアポルテ・ファセオロルム（Ｄｉａｐｏｒｔｈｅ  ｐｈａｓｅｏｌｏｒｕｍ）、ディボトリオン・モルボスム（Ｄｉｂｏｔｒｙｏｎ  ｍｏｒｂｏｓｕｍ）、ディプロカルポン・ロザエ（Ｄｉｐｌｏｃａｒｐｏｎ  ｒｏｓａｅ）���エルシノエ・アンペリナ（Ｅｌｓｉｎｏｅ  ａｍｐｅｌｉｎａ）、Ｅ．ファウケッティ（Ｅ．ｆａｗｃｅｔｔｉ）、Ｅ．リューコスピラ（Ｅ．ｌｅｕｃｏｓｐｉｌａ）、エリシフェ・シコラセアルム（Ｅｒｙｓｉｐｈｅ  ｃｉｃｈｏｒａｃｅａｒｕｍ）、Ｅ．グラミニス（Ｅ．ｇｒａｍｉｎｉｓ）、Ｅ．ピシ（Ｅ．ｐｉｓｉ）、エクソバシディウム・レティキュラートゥム（Ｅｘｏｂａｓｉｄｉｕｍ  ｒｅｔｉｃｕｌａｔｕｍ）、フサリウム・アベナセウム（Ｆｕｓａｒｉｕｍ  ａｖｅｎａｃｅｕｍ）、Ｆ．クルモルム（Ｆ．ｃｕｌｍｏｒｕｍ）、Ｆ．ガミネアルム（Ｆ．ｇａｍｉｎｅａｒｕｍ）、Ｆ．オキシスポルム（Ｆ．ｏｘｙｓｐｏｒｕｍ）、Ｆ．ニバレ（Ｆ．ｎｉｖａｌｅ）、グレオセルコスポラ・ソルギー（Ｇｌｏｅｏｃｅｒｃｏｓｐｏｒａ  ｓｏｒｇｈｉ）、グレオスポリウム・カキ（Ｇｌｏｅｏｓｐｏｒｉｕｍ  ｋａｋｉ）、グロメレラ・シングラータ（Ｇｌｏｍｅｒｅｌｌａ  ｃｉｎｇｕｌａｔａ）、ギグナルディア・ビドウェリィ（Ｇｕｉｇｎａｒｄｉａ  ｂｉｄｗｅｌｌｉｉ）、ギムノスポランギウム・ハラエアヌム（Ｇｙｍｎｏｓｐｏｒａｎｇｉｕｍ  ｈａｒａｅａｎｕｍ）、ミクロドキウム・ニバレ（Ｍｉｃｒｏｄｏｃｈｉｕｍ  ｎｉｖａｌｅ）、モニリニア・ラクサ（Ｍｏｎｉｌｉｎｉａ  ｌａｘａ）、Ｍ．フルクチゲナ（Ｍ．ｆｒｕｃｔｉｇｅｎａ）、Ｍ．フルクチコラ（Ｍ．ｆｒｕｃｔｉｃｏｌａ）、Ｍ．マリ（Ｍ．ｍａｌｉ）、ミコスフェレラ・メロニス（Ｍｙｃｏｓｐｈａｅｒｅｌｌａ  ｍｅｌｏｎｉｓ）、Ｍ．ナワエ（Ｍ．ｎａｗａｅ）、ペロノスポラ・デストラクター（Ｐｅｒｏｎｏｓｐｏｒａ  ｄｅｓｔｒｕｃｔｏｒ）、Ｐ．パラシチカ（Ｐ．ｐａｒａｓｉｔｉｃａ）、Ｐ．スパルサ（Ｐ．ｓｐａｒｓａ）、Ｐ．タバシナ（Ｐ．ｔａｂａｃｉｎａ）、ファコプソラ・アンペロプシディス（Ｐｈａｋｏｐｓｏｒａ  ａｍｐｅｌｏｐｓｉｄｉｓ）、Ｐ．パキリジ（Ｐ．ｐａｃｈｙｒｈｉｚｉ）、フォモプシス・ジュニペロボラ（Ｐｈｏｍｏｐｓｉｓ  ｊｕｎｉｐｅｒｏｖｏｒａ）、Ｐ．ベクサンス（Ｐ．ｖｅｘａｎｓ）、フィトフトラ・カクトルム（Ｐｈｙｔｏｐｈｔｏｒａ  ｃａｃｔｏｒｕｍ）、Ｐ．エリスロセプチカ（Ｐ．ｅｒｙｔｈｒｏｓｅｐｔｉｃａ）、Ｐ．インフェスタンス（Ｐ．ｉｎｆｅｓｔａｎｓ）、Ｐ．パラシチカ（Ｐ．ｐａｒａｓｉｔｉｃａ）、Ｐ．ソジャエ（Ｐ．ｓｏｊａｅ）、プラスモディオフォラ・ブラシカエ（Ｐｌａｓｍｏｄｉｏｐｈｏｒａ  ｂｒａｓｓｉｃａｅ）、プラスモパラ・ビティコラ（Ｐｌａｓｍｏｐａｒａ  ｖｉｔｉｃｏｌａ）、ポドスフェラ・リューコトリカ（Ｐｏｄｏｓｐｈａｅｒａ  ｌｅｕｃｏｔｒｉｃｈａ）、ピレノフォラ・トリティキ−レペンティス（Ｐｙｒｅｎｏｐｈｏｒａ  ｔｒｉｔｉｃｉ−ｒｅｐｅｎｔｉｓ）、シュードペロノスポラ・キュベンシス（Ｐｓｅｕｄｏｐｅｒｏｎｏｓｐｏｒａ  ｃｕｂｅｎｓｉｓ）、プクキニア・アーリー（Ｐｕｃｃｉｎｉａ  ａｌｌｉｉ）、Ｐ．グラミニス（Ｐ．ｇｒａｍｉｎｉｓ）、Ｐ．ホルデイ（Ｐ．ｈｏｒｄｅｉ）、Ｐ．ホリアナ（Ｐ．ｈｏｒｉａｎａ）、Ｐ．ポルブソラ（Ｐ．ｐｏｌｖｓｏｒａ）、Ｐ．レコンディタ（Ｐ．ｒｅｃｏｎｄｉｔａ）、Ｐ．ストリイフォルミス（Ｐ．ｓｔｒｉｉｆｏｒｍｉｓ）��Ｐ．トリチシナ・トリチシア（Ｐ．ｔｒｉｔｉｃｉｎａ  ｔｒｉｔｉｃｉａ）、リゾクトニア・ソラニ（Ｒｈｉｚｏｃｔｏｎｉａ  ｓｏｌａｎｉ）、スクレロティニア・ホメオカルパ（Ｓｃｌｅｒｏｔｉｎｉａ  ｈｏｍｅｏｃａｒｐａ）、Ｓ．ロルフシィ（Ｓ．ｒｏｌｆｓｉｉ）、Ｓ．スクレロティオルム（Ｓ．ｓｃｌｅｒｏｔｉｏｒｕｍ）、セプトリア・クリサンテミ−インディシ（Ｓｅｐｔｏｒｉａ  ｃｈｒｙｓａｎｔｈｅｍｉ−ｉｎｄｉｃｉ）、Ｓ．グリシネス（Ｓ．ｇｌｙｃｉｎｅｓ）、Ｓ．リコペルシキ（Ｓ．ｌｙｃｏｐｅｒｓｉｃｉ）、スフェロセーカ・フリギネア（Ｓｐｈａｅｒｏｔｈｅｃａ  ｆｕｌｉｇｉｎｅａ）、Ｓ．フムリ（Ｓ．ｈｕｍｕｌｉ）、Ｓ．パンノサ（Ｓ．ｐａｎｎｏｓａ）、スポンゴスポラ・サブテラネアン（Ｓｐｏｎｇｏｓｐｏｒａ  ｓｕｂｔｅｒｒａｎｅａｎ）、タフリナ・デフォルマンス（Ｔａｐｈｒｉｎａ  ｄｅｆｏｒｍａｎｓ）、タナテフォルス・ククメリス（Ｔｈａｎａｔｅｐｈｏｒｕｓ  ｃｕｃｕｍｅｒｉｓ）、ティレティア・カリエス（Ｔｉｌｌｅｔｉａ  ｃａｒｉｅｓ）、ティフラ・イトアナ（Ｔｙｐｈｕｌａ  ｉｔｏａｎａ）、ウンキヌラ・ネカトル（Ｕｎｃｉｎｕｌａ  ｎｅｃａｔｏｒ）、ウスチラゴ・メイディス（Ｕｓｔｉｌａｇｏ  ｍａｙｄｉｓ）、Ｕ．ヌダ（Ｕ．ｎｕｄａ）、Ｕ．トリティキ（Ｕ．ｔｒｉｔｉｃｉ）、Ｕ．ゼアエ（Ｕ．ｚｅａｅ）、バルサ・ケラトスペルマ（Ｖａｌｓａ  ｃｅｒａｔｏｓｐｅｒｍａ）、ベンチュリア・イナエクアリス（Ｖｅｎｔｕｒｉａ  ｉｎａｅｑｕａｌｉｓ）、Ｖ．ナシコラ（Ｖ．ｎａｓｈｉｃｏｌａ）、Ｖ．ピリナ（Ｖ．ｐｉｒｉｎａ）、バーティシリウム・アルボアトルム（Ｖｅｒｔｉｃｉｌｌｉｕｍ  ａｌｂｏａｔｒｕｍ）およびＶ．ダーリア（Ｖ．ｄａｈｌｉａ）が含まれる。
【０１４３】
別の実施形態では、本明細書に開示される植物用薬剤組成物、方法および／または使用によって、線形動物門（円虫類）に属する病原体の集団を防除することができる。センチュウ病原体と呼ぶ特定の属の非網羅的リストには、特に限定されないが、アフェレンコイデス属（Ａｐｈｅｌｅｎｃｈｏｉｄｅｓ）、ベロノライムス属（Ｂｅｌｏｎｏｌａｉｍｕｓ）、クリコネメラ属（Ｃｒｉｃｏｎｅｍｅｌｌａ）、ディロフィラリア属（Ｄｉｒｏｆｉｌａｒｉａ）、ディティレンカス属（Ｄｉｔｙｌｅｎｃｈｕｓ）、ヘテロデラ属（Ｈｅｔｅｒｏｄｅｒａ）、ヒルシュマニエラ属（Ｈｉｒｓｃｈｍａｎｎｉｅｌｌａ）、ホプロライムス属（Ｈｏｐｌｏｌａｉｍｕｓ）、メロイドギネ属（Ｍｅｌｏｉｄｏｇｙｎｅ）、オンコセルカ属（Ｏｎｃｈｏｃｅｒｃａ）、プラティレンクス属（Ｐｒａｔｙｌｅｎｃｈｕｓ）、ラドフォルス属（Ｒａｄｏｐｈｏｌｕｓ）およびロチレンクルス属（Ｒｏｔｙｌｅｎｃｈｕｌｕｓ）が含まれる。センチュウ病原体特定の種の非網羅的リストには、特に限定されないが、イヌシジョウチュウ（Ｄｉｒｏｆｉｌａｒｉａ  ｉｍｍｉｔｉｓ）、トウモロコシシストセンチュウ（Ｈｅｔｅｒｏｄｅｒａ  ｚｅａｅ）、サツマイモネコブセンチュウ（Ｍｅｌｏｉｄｏｇｙｎｅ  ｉｎｃｏｇｎｉｔａ）、ジャワネコブセンチュウ（Ｍｅｌｏｉｄｏｇｙｎｅ  ｊａｖａｎｉｃａ）、カイセンシジョウチュウ（Ｏｎｃｈｏｃｅｒｃａ  ｖｏｌｖｕｌｕｓ）、バナナネモグリセンチュウ（Ｒａｄｏｐｈｏｌｕｓ  ｓｉｍｉｌｉｓ）およびニセフクロセンチュウ（Ｒｏｔｙｌｅｎｃｈｕｌｕｓ  ｒｅｎｉｆｏｒｍｉｓ）が含まれる。
【０１４４】
本明細書に記載される植物用薬剤組成物、方法および使用は、哺乳動物にも環境にも害を与える可能性はほとんどなく、非植物毒性であり、経済価値の高い植物または作物に安全に適用することができる。さらに、本明細書に記載される植物用薬剤組成物、方法および使用は屋内および屋外で用いることができ、処置する表面を軟化させたり、溶解させたり、あるいは別の方法で悪影響を及ぼしたりすることはない。最後に、病原体が本明細書に記載される植物用薬剤組成物、方法および使用に対して抵抗性をもつことはない。
【０１４５】
本明細書の諸態様はほかにも、以下のように記載することができる：
１．植物病害の病原体を防除する方法であって、病原体が寄生した１つもしくは複数の植物に有効量の植物用薬剤組成物を適用することおよび／または病原体が植物用薬剤組成物に曝露されるように１つもしくは複数の場所に有効量の植物用薬剤組成物を適用することを含むか、実質的にこれよりなるか、これよりなり、植物用薬剤組成物の適用により、防除しようとする植物病害の病原体に有害作用がもたらされ、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、方法。
２．植物の成長および／または作物の生産を増大させる方法であって、１つもしくは複数の植物に有効量の植物用薬剤組成物を適用することおよび／または植物用薬剤組成物に１つもしくは複数の植物を曝露する１つもしくは複数の場所に有効量の植物用薬剤組成物を適用することを含むか、実質的にこれよりなるか、これよりなり、植物用薬剤組成物の適用により、根毛による吸収の改善、木部を通る木部樹液流の改善および師部での光合成産物流の改善、土壌からの水、ミネラルおよびその他の栄養素の吸収の増大、木部での毛管作用および／または静水圧の増大ならびに／あるいは化合物およびエネルギーの合成の増大ならびに／あるいは木部樹液流および／または光合成産物流を阻害する１つまたは複数の成分の破壊がもたらされ、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、方法。
３．灌漑システムの効率を維持または改善する方法であって、灌漑システムのパイプライン網内の１つまたは複数のパイプに有効量の植物用薬剤組成物を適用することを含むか、実質的にこれよりなるか、これよりなり、植物用薬剤組成物の適用により、灌漑システムの１つまたは複数のパイプライン網を阻害する１つまたは複数の成分が十分に除去され、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、方法。
４．植物病害の防除への有効量の植物用薬剤組成物の使用であって、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、使用。
５．植物の成長および／または作物の生産の増大への有効量の植物用薬剤組成物の使用であって、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、使用。
６．灌漑システムの効率の維持または改善への有効量の植物用薬剤組成物の使用であって、組成物が、処理済み発酵微生物上清と１つまたは複数の非イオン界面活性剤とを含むか、実質的にこれよりなるか、これよりなり、かつ活性酵素も生存細菌も一切含まず、かつｐＨが最大５．０である、使用。
７．処理済み発酵微生物上清が、発酵酵母上清、発酵細菌上清、発酵カビ上清またはその任意の組合せに由来するものである、実施形態１〜３に記載の方法または実施形態４〜６に記載の使用。
８．発酵酵母上清が、ブレタノミセス属（Ｂｒｅｔｔａｎｏｍｙｃｅｓ）、カンジダ属（Ｃａｎｄｉｄａ）、シバーリンドネラ属（Ｃｙｂｅｒｌｉｎｄｎｅｒａ）、シストフィロバシディウム属（Ｃｙｓｔｏｆｉｌｏｂａｓｉｄｉｕｍ）、デバリオミセス属（Ｄｅｂａｒｙｏｍｙｃｅｓ）、デッケラ属（Ｄｅｋｋｅｒａ）、フサリウム属（Ｆｕｓａｒｉｕｍ）、ゲオトリクム属（Ｇｅｏｔｒｉｃｈｕｍ）、イサチェンキア属（Ｉｓｓａｔｃｈｅｎｋｉａ）、カザクスタニア属（Ｋａｚａｃｈｓｔａｎｉａ）、クロエケラ属（Ｋｌｏｅｃｋｅｒａ）、クリベロミセス属（Ｋｌｕｙｖｅｒｏｍｙｃｅｓ）、レカニシリウム属（Ｌｅｃａｎｉｃｉｌｌｉｕｍ）、ムコール属（Ｍｕｃｏｒ）、ニューロスポラ属（Ｎｅｕｒｏｓｐｏｒａ）、ペディオコッカス属（Ｐｅｄｉｏｃｏｃｃｕｓ）、ペニシリウム属（Ｐｅｎｉｃｉｌｌｉｕｍ）、ピキア属（Ｐｉｃｈｉａ）、リゾプス属（Ｒｈｉｚｏｐｕｓ）、ロドスポリディウム属（Ｒｈｏｄｏｓｐｏｒｉｄｉｕｍ）、ロドトルラ属（Ｒｈｏｄｏｔｏｒｕｌａ）、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、スリコスポロン属（Ｔｈｒｉｃｈｏｓｐｏｒｏｎ）、トルラスポラ属（Ｔｏｒｕｌａｓｐｏｒａ）、トルロプシス属（Ｔｏｒｕｌｏｐｓｉｓ）、バーティシリウム属（Ｖｅｒｔｉｃｉｌｌｉｕｍ）、ヤロウイア属（Ｙａｒｒｏｗｉａ）、ザイゴサッカロミセス属（Ｚｙｇｏｓａｃｃｈａｒｏｍｙｃｅｓ）またはジゴサッカロミセス属（Ｚｙｇｏｔｏｒｕｌａｓｐｏｒａ）に属する酵母種から得られるものである、実施形態６に記載の方法または使用。
９．発酵酵母上清が、酵母サッカロミセス・セレビシエ（Ｓａｃｃｈａｒｏｍｙｃｅｓ  ｃｅｒｅｖｉｓｉａｅ）から作製されるものである、実施形態６に記載の方法または使用。
１０．発酵細菌上清が、アセトバクター属（Ａｃｅｔｏｂａｃｔｅｒ）、アルスロバクター属（Ａｒｔｈｒｏｂａｃｔｅｒ）、アエロコッカス属（Ａｅｒｏｃｏｃｃｕｓ）、バチルス属（Ｂａｃｉｌｌｕｓ）、ビフィドバクテリウム属（Ｂｉｆｉｄｏｂａｃｔｅｒｉｕｍ）、ブラキバクテリウム属（Ｂｒａｃｈｙｂａｃｔｅｒｉｕｍ）、ブレビバクテリウム属（Ｂｒｅｖｉｂａｃｔｅｒｉｕｍ）、バルノバクテリウム属（Ｂａｒｎｏｂａｃｔｅｒｉｕｍ）、カルノバクテリウム属（Ｃａｒｎｏｂａｃｔｅｒｉｕｍ）、コリネバクテリウム属（Ｃｏｒｙｎｅｂａｃｔｅｒｉｕｍ）、エンテロコッカス属（Ｅｎｔｅｒｏｃｏｃｃｕｓ）、エシェリキア属（Ｅｓｃｈｅｒｉｃｈｉａ）、グルコンアセトバクター属（Ｇｌｕｃｏｎａｃｅｔｏｂａｃｔｅｒ）、グルコノバクター属（Ｇｌｕｃｏｎｏｂａｃｔｅｒ）、ハフニア属（Ｈａｆｎｉａ）、ハロモナス属（Ｈａｌｏｍｏｎａｓ）、コクリア属（Ｋｏｃｕｒｉａ）、ラクトバチルス属（Ｌａｃｔｏｂａｃｉｌｌｕｓ）、ラクトコッカス属（Ｌａｃｔｏｃｏｃｃｕｓ）、ロイコノストック属（Ｌｅｕｃｏｎｏｓｔｏｃ）、マクロコッカス属（Ｍａｃｒｏｃｏｃｃｕｓ）、ミクロバクテリウム属（Ｍｉｃｒｏｂａｃｔｅｒｉｕｍ）、ミクロコッカス属（Ｍｉｃｒｏｃｏｃｃｕｓ）、ナイセリア属（Ｎｅｉｓｓｅｒｉａ）、オエノコッカス属（Ｏｅｎｏｃｏｃｃｕｓ）、ペディオコッカス属（Ｐｅｄｉｏｃｏｃｃｕｓ）、プロピオニバクテリウム属（Ｐｒｏｐｉｏｎｉｂａｃｔｅｒｉｕｍ）、プロテウス属（Ｐｒｏｔｅｕｓ）、シュードモナス属（Ｐｓｅｕｄｏｍｏｎａｓ）、サイクロバクター属（Ｐｓｙｃｈｒｏｂａｃｔｅｒ）、サルモネラ属（Ｓａｌｍｏｎｅｌｌａ）、スポロラクトバチルス属（Ｓｐｏｒｏｌａｃｔｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）、ストレプトミセス属（Ｓｔｒｅｐｔｏｍｙｃｅｓ）、テトラジェノコッカス属（Ｔｅｔｒａｇｅｎｏｃｏｃｃｕｓ）、バゴコッカス属（Ｖａｇｏｃｏｃｃｕｓ）、ワイセルス属（Ｗｅｉｓｓｅｌｌｓ）またはザイモモナス属（Ｚｙｍｏｍｏｎａｓ）に属する細菌種から得られるものである、実施形態６に記載の方法または使用。
１１．発酵細菌上清が、アスペルギルス属（Ａｓｐｅｒｇｉｌｌｕｓ）に属するカビ種から得られるものである、実施形態６に記載の方法または使用。
１２．植物用薬剤組成物が、処理済み発酵微生物上清を少なくとも３５重量％含む、実施形態１〜３もしくは７〜１１に記載の方法または実施形態４〜１１に記載の使用。
１３．植物用薬剤組成物が、処理済み発酵微生物上清を最大９５重量％含む、実施形態１〜３もしくは７〜１２に記載の方法または実施形態４〜１２に記載の使用。
１４．非イオン界面活性剤が、ポリエーテル系非イオン界面活性剤、ポリヒドロキシル系非イオン界面活性剤および／または非イオン性のバイオ界面活性剤を含むか、実質的にこれよりなるか、これよりなる、実施形態１〜３もしくは７〜１３に記載の方法または実施形態４〜１３に記載の使用。
１５．ポリヒドロキシル系非イオン界面活性剤が、スクロースエステル、エトキシ化スクロースエステル、ソルビタールエステル、エトキシ化ソルビタールエステル、アルキルグルコシド、エトキシ化アルキルグルコシド、ポリグリセロールエステルまたはエトキシ化ポリグリセロールエステルを含むか、実質的にこれよりなるか、これよりなる、実施形態１４に記載の方法または使用。
１６．非イオン界面活性剤が、アミンオキシド、エトキシ化アルコール、エトキシ化脂肪族アルコール、アルキルアミン、エトキシ化アルキルアミン、エトキシ化アルキルフェノール、アルキルポリサッカライド、エトキシ化アルキルポリサッカライド、エトキシ化脂肪酸、エトキシ化脂肪アルコールまたはエトキシ化脂肪アミンあるいは一般式Ｈ（ＯＣＨ２ＣＨ２）ｘＯＣ６Ｈ４Ｒ１、（ＯＣＨ２ＣＨ２）ｘＯＲ２またはＨ（ＯＣＨ２ＣＨ２）ｘＯＣ（Ｏ）Ｒ２を有し、式中、ｘが、アルキルフェノールおよび／または脂肪アルコールもしくは脂肪酸に付加されたエチレンオキシドのモル数を表し、Ｒ１が長鎖アルキル基を表し、Ｒ２が長鎖脂肪族基を表す非イオン界面活性剤を含むか、実質的にこれよりなるか、これよりなる、実施形態１〜３もしくは７〜１５に記載の方法または実施形態４〜１５に記載の使用。
１７．Ｒ１がＣ７〜Ｃ１０ノルマルアルキル基であり、かつ／またはＲ２がＣ１２〜Ｃ２０脂肪族基である、実施形態１６に記載の方法または使用。
１８．非イオン界面活性剤が、エトキシ化ノニルフェノール、エトキシ化オクチルフェノール、エトキシ化セト−オレイルアルコール、エトキシ化セト−ステアリルアルコール、エトキシ化デシルアルコール、エトキシ化ドデシルアルコール、エトキシ化トリデシルアルコールまたはエトキシ化ヒマシ油である、実施形態１〜３もしくは７〜１７に記載の方法または実施形態４〜１７に記載の使用。
１９．植物用薬剤組成物が、１つまたは複数の非イオン界面活性剤を約１重量％〜約１５重量％含む、実施形態１〜３もしくは７〜１８に記載の方法または実施形態４〜１８に記載の使用。
２０．植物用薬剤組成物が、１つまたは複数の非イオン界面活性剤を約５重量％〜約１３重量％含む、実施形態１９に記載の方法。
２１．植物用薬剤組成物が、１つまたは複数の非イオン界面活性剤を約７重量％〜約１１重量％含む、実施形態２０に記載の方法。
２２．植物用薬剤組成物が１つまたは複数の陰イオン界面活性剤をさらに含むか、実質的にこれよりなるか、これよりなる、実施形態１〜３もしくは７〜２１に記載の方法または実施形態４〜２１に記載の使用。
２３．植物用薬剤組成物が、１つまたは複数の陰イオン界面活性剤を約０．５重量％〜約１０重量％含む、実施形態２２に記載の方法または使用。
２４．植物用薬剤組成物が、１つまたは複数の陰イオン界面活性剤を約１重量％〜約８重量％含む、実施形態２３に記載の方法または使用。
２５．植物用薬剤組成物が、１つまたは複数の陰イオン界面活性剤を約２重量％〜約６重量％含む、実施形態２４に記載の方法または使用。
２６．ｐＨが最大４．５である、実施形態１〜３もしくは７〜２５に記載の方法または実施形態４〜２５に記載の使用。
２７．ｐＨが約３．７〜約４．２である、実施形態２６に記載の方法または使用。
２８．植物用薬剤組成物が、ヒト、哺乳動物、植物および環境に対して実質的に無毒性である、実施形態１〜３もしくは７〜２７に記載の方法または実施形態４〜２７に記載の使用。
２９．植物用薬剤組成物が生分解性である、実施形態１〜３もしくは７〜２８に記載の方法または実施形態４〜２８に記載の使用。
３０．植物用薬剤組成物の有効量が、防除しようとする病原体に有害作用をもたらすものである、実施形態１もしくは７〜２９に記載の方法または実施形態４もしくは７〜２９に記載の使用。
３１．植物用薬剤組成物の有効量が、防除しようとする病原体の約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％に有害に作用するものである、実施形態３０に記載の方法または使用。
３２．植物用薬剤組成物の有効量が、防除しようとする病原体を死滅させるものである、実施形態１もしくは７〜３１に記載の方法または実施形態４もしくは７〜３１に記載の使用。
３３．植物用薬剤組成物の有効量が、防除しようとする病原体の約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％を死滅させるものである、実施形態３２に記載の方法または使用。
３４．植物用薬剤組成物の有効量が、防除しようとする病原体の集団の大きさを縮小させるものである、実施形態１もしくは７〜３３に記載の方法または実施形態４もしくは７〜３３に記載の使用。
３５．植物用薬剤組成物の有効量が、防除しようとする病原体の集団の大きさを約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％縮小させるものである、実施形態３４に記載の方法または使用。
３６．植物用薬剤組成物の有効量が、防除しようとする病原体が１つまたは複数の場所に侵入または寄生するのを阻止するものである、実施形態１もしくは７〜３５に記載の方法または実施形態４もしくは７〜３５に記載の使用。
３７．植物用薬剤組成物の有効量が、病原体の集団の約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％が１つまたは複数の場所に侵入または寄生するのを阻止するものである、実施形態３６に記載の方法または使用。
３８．植物用薬剤組成物の有効量が、根毛による土壌からの水、ミネラルおよびその他の栄養素の吸収を改善するものである、実施形態２もしくは７〜２９に記載の方法または実施形態５もしくは７〜２９に記載の使用。
３９．植物用薬剤組成物の有効量が、根毛による土壌からの水、ミネラルおよびその他の栄養素の吸収を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％改善するものである、実施形態３８に記載の方法または使用。
４０．植物用薬剤組成物の有効量が、木部を通る木部樹液流を改善するものである、実施形態２、７〜２９もしくは３８〜３９に記載の方法または実施形態５、７〜２９もしくは３８〜３９に記載の使用。
４１．植物用薬剤組成物の有効量が、木部を通る木部樹液流を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％改善するものである、実施形態４０に記載の方法または使用。
４２．植物用薬剤組成物の有効量が、師部での光合成産物流を改善するものである、実施形態２、７〜２９もしくは３８〜４１に記載の方法または実施形態５、７〜２９もしくは３８〜４１に記載の使用。
４３．植物用薬剤組成物の有効量が、師部での光合成産物流を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％または約９５％〜約９９％改善するものである、実施形態４２に記載の方法または使用。
４４．植物用薬剤組成物の有効量が、土壌からの水、ミネラルおよびその他の栄養素の吸収を増大させるものである、実施形態２、７〜２９もしくは３８〜４３に記載の方法または実施形態５、７〜２９もしくは３８〜４３に記載の使用。
４５．植物用薬剤組成物の有効量が、土壌からの水、ミネラルおよびその他の栄養素の吸収を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％増大させるものである、実施形態４４に記載の方法または使用。
４６．植物用薬剤組成物の有効量が、木部での毛管作用および／または静水圧を増大させるものである、実施形態２、７〜２９もしくは３８〜４５に記載の方法または実施形態５、７〜２９もしくは３８〜４５に記載の使用。
４７．植物用薬剤組成物の有効量が、木部での毛管作用および／または静水圧を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％増大させるものである、実施形態４６に記載の方法または使用。
４８．植物用薬剤組成物の有効量が、植物体を通る原料の輸送を改善するものである、実施形態２、７〜２９もしくは３８〜４７に記載の方法または実施形態５、７〜２９もしくは３８〜４７に記載の使用。
４９．植物用薬剤組成物の有効量が、植物体を通る原料の輸送を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％改善するものである、実施形態４８に記載の方法または使用。
５０．植物用薬剤組成物の有効量が、植物体内での化合物およびエネルギーの合成を増大させるものである、実施形態２、７〜２９もしくは３８〜４９に記載の方法または実施形態５、７〜２９もしくは３８〜４９に記載の使用。
５１．植物用薬剤組成物の有効量が、植物体内での化合物およびエネルギーの合成を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％増大させるものである、実施形態５０に記載の方法または使用。
５２．植物用薬剤組成物の有効量が、植物の成長の維持および継続に必要な化合物およびエネルギーの合成を改善するものである、実施形態２、７〜２９もしくは３８〜５１に記載の方法または実施形態５、７〜２９もしくは３８〜５１に記載の使用。
５３．植物用薬剤組成物の有効量が、植物の成長の維持および継続に必要な化合物およびエネルギーの合成を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％改善するものである、実施形態５２に記載の方法または使用。
５４．植物用薬剤組成物の有効量が、木部での木部樹液流を阻害する１つまたは複数の成分を溶解させるか、分散させるか、または別の方法で除去するものである、実施形態２、７〜２９もしくは３８〜５３に記載の方法または実施形態５、７〜２９もしくは３８〜５３に記載の使用。
５５．植物用薬剤組成物の有効量が、木部での木部樹液流を阻害する１つまたは複数の成分を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％溶解させるか、分散させるか、または別の方法で除去するものである、実施形態５４に記載の方法または使用。
５６．植物用薬剤組成物の有効量が、師部での光合成産物流を阻害する１つまたは複数の成分を溶解させるか、分散させるか、または別の方法で除去するものである、実施形態２、７〜２９もしくは３８〜５５に記載の方法または実施形態５、７〜２９もしくは３８〜５５に記載の使用。
５７．植物用薬剤組成物の有効量が、師部での光合成産物流を阻害する１つまたは複数の成分を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％溶解させるか、分散させるか、または別の方法で除去するものである、実施形態５６に記載の方法または使用。
５８．植物用薬剤組成物の有効量が、灌流システムのパイプライン網内の水流を阻害する１つまたは複数の成分を溶解させるか、分散させるか、または別の方法で除去するものである、実施形態３もしくは７〜２９に記載の方法または実施形態６〜２９に記載の使用。
５９．植物用薬剤組成物の有効量が、灌流システムのパイプライン網内の水流を阻害する１つまたは複数の成分を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％溶解させるか、分散させるか、または別の方法で除去するものである、実施形態５８に記載の方法または使用。
６０．植物用薬剤組成物の有効量が、灌漑システムのパイプライン網全体の水輸送を改善するものである、実施形態３、７〜２９もしくは５８〜５９に記載の方法または実施形態６〜２９もしくは５８〜５９に記載の使用。
６１．植物用薬剤組成物の有効量が、灌漑システムのパイプライン網全体の水輸送を約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％改善するものである、実施形態６０に記載の方法または使用。
６２．植物用薬剤組成物の有効量が、植物の健康および活力を維持および／または増進するものである、実施形態１〜３もしくは７〜６１に記載の方法または実施形態４〜６１に記載の使用。
６３．植物用薬剤組成物の有効量が、植物の健康および活力を維持ならびに／あるいは約７０％、約７５％、約８０％、約８５％、約８６％、約８７％、約８８％、約８９％、約９０％、約９１％、約９２％、約９３％、約９４％、約９５％、約９６％、約９７％、約９８％もしくは約９９％；または少なくとも７０％、少なくとも７５％、少なくとも８０％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％もしくは少なくとも９９％；または最大７０％、最大７５％、最大８０％、最大８５％、最大８６％、最大８７％、最大８８％、最大８９％、最大９０％、最大９１％、最大９２％、最大９３％、最大９４％、最大９５％、最大９６％、最大９７％、最大９８％もしくは最大９９％；または約７０％〜約８０％、約７０％〜約８５％、約７０％〜約９０％、約７０％〜約９５％、約７０％〜約９９％、約７５％〜約８５％、約７５％〜約９０％、約７５％〜約９５％、約７５％〜約９９％、約８０％〜約９０％、約８０％〜約９５％、約８０％〜約９９％、約８５％〜約９３％、約８５％〜約９５％、約８５％〜約９７％、約８５％〜約９９％、約９０％〜約９３％、約９０％〜約９５％、約９０％〜約９７％、約９０％〜約９９％、約９３％〜約９５％、約９３％〜約９７％、約９３％〜約９９％、約９５％〜約９７％もしくは約９５％〜約９９％増進するものである、実施形態６２に記載の方法または使用。
６４．植物用薬剤組成物の有効量が、約１：５０、約１：７５、約１：１００、約１：１２５、約１：１５０、約１：１７５、約１：２００、約１：２２５、約１：２５０、約１：２７５、約１：３００、約１：３２５、約１：３５０、約１：３７５、約１：４００、約１：４２５、約１：４５０、約１：４７５、約１：５００、約１：５２５、約１：５５０、約１：５７５もしくは約１：６００；または少なくとも１：５０、少なくとも１：７５、少なくとも１：１００、少なくとも１：１２５、少なくとも１：１５０、少なくとも１：１７５、少なくとも１：２００、少なくとも１：２２５、少なくとも１：２５０、少なくとも１：２７５、少なくとも１：３００、少なくとも１：３２５、少なくとも１：３５０、少なくとも１：３７５、少なくとも１：４００、少なくとも１：４２５、少なくとも１：４５０、少なくとも１：４７５、少なくとも１：５００、少なくとも１：５２５、少なくとも１：５５０、少なくとも１：５７５もしくは少なくとも１：６００；または最大１：５０、最大１：７５、最大１：１００、最大１：１２５、最大１：１５０、最大１：１７５、最大１：２００、最大１：２２５、最大１：２５０、最大１：２７５、最大１：３００、最大１：３２５、最大１：３５０、最大１：３７５、最大１：４００、最大１：４２５、最大１：４５０、最大１：４７５、最大１：５００、最大１：５２５、最大１：５５０、最大１：５７５もしくは最大１：６００；または約１：５０〜約１：１００、約１：５０〜約１：２００、約１：５０〜約１：３００、約１：５０〜約１：４００、約１：５０〜約１：５００、約１：５０〜約１：６００、約１：１００〜約１：２００、約１：１００〜約１：３００、約１：１００〜約１：４００、約１：１００〜約１：５００、約１：１００〜約１：６００、約１：２００〜約１：３００、約１：２００〜約１：４００、約１：２００〜約１：５００、約１：２００〜約１：６００、約１：３００〜約１：４００、約１：３００〜約１：５００、約１：３００〜約１：６００、約１：４００〜約１：５００、約１：４００〜約１：６００もしくは約１：５００〜約１：６００の植物用薬剤組成物と希釈剤の比である、実施形態１〜３もしくは７〜６３に記載の方法または実施形態４〜６３に記載の使用。
６５．植物用薬剤組成物の有効量が、約１：５００、約１：７５０、約１：１０００、約１：１２５０、約１：１５００、約１：１７５０、約１：２０００、約１：２２５０、約１：２５００、約１：２７５０、約１：３０００、約１：３２５０、約１：３５００、約１：３７５０、約１：４０００、約１：４２５０、約１：４５００、約１：４７５０、約１：５０００、約１：５２５０、約１：５５００、約１：５７５０、約１：６０００、約１：７０００、約１：８０００、約１：９０００もしくは約１：１００００；または少なくとも１：５００、少なくとも１：７５０、少なくとも１：１０００、少なくとも１：１２５０、少なくとも１：１５００、少なくとも１：１７５０、少なくとも１：２０００、少なくとも１：２２５０、少なくとも１：２５００、少なくとも１：２７５０、少なくとも１：３０００、少なくとも１：３２５０、少なくとも１：３５００、少なくとも１：３７５０、少なくとも１：４０００、少なくとも１：４２５０、少なくとも１：４５００、少なくとも１：４７５０、少なくとも１：５０００、少なくとも１：５２５０、少なくとも１：５５００、少なくとも１：５７５０、少なくとも１：６０００、少なくとも１：７０００、少なくとも１：８０００、少なくとも１：９０００もしくは少なくとも１：１００００；または最大１：５００、最大１：７５０、最大１：１０００、最大１：１２５０、最大１：１５００、最大１：１７５０、最大１：２０００、最大１：２２５０、最大１：２５００、最大１：２７５０、最大１：３０００、最大１：３２５０、最大１：３５００、最大１：３７５０、最大１：４０００、最大１：４２５０、最大１：４５００、最大１：４７５０、最大１：５０００、最大１：５２５０、最大１：５５００、最大１：５７５０、最大１：６０００、最大１：７０００、最大１：８０００、最大１：９０００もしくは最大１：１００００；または約１：５００〜約１：１０００、約１：５００〜約１：２０００、約１：５００〜約１：３０００、約１：５００〜約１：４０００、約１：５００〜約１：５０００、約１：５００〜約１：６０００、約１：５００〜約１：７０００、約１：５００〜約１：８０００、約１：５００〜約１：９０００、約１：５００〜約１：１００００、約１：１０００〜約１：２０００、約１：１０００〜約１：３０００、約１：１０００〜約１：４０００、約１：１０００〜約１：５０００、約１：１０００〜約１：６０００、約１：１０００〜約１：７０００、約１：１０００〜約１：８０００、約１：１０００〜約１：９０００、約１：１０００〜約１：１００００、約１：２０００〜約１：３０００、約１：２０００〜約１：４０００、約１：２０００〜約１：５０００、約１：２０００〜約１：６０００、約１：２０００〜約１：７０００、約１：２０００〜約１：８０００、約１：２０００〜約１：９０００、約１：２０００〜約１：１００００、約１：３０００〜約１：４０００、約１：３０００〜約１：５０００、約１：３０００〜約１：６０００、約１：３０００〜約１：７０００、約１：３０００〜約１：８０００、約１：３０００〜約１：９０００、約１：３０００〜約１：１００００、約１：４０００〜約１：５０００、約１：４０００〜約１：６０００、約１：４０００〜約１：７０００、約１：４０００〜約１：８０００、約１：４０００〜約１：９０００、約１：４０００〜約１：１００００、約１：５０００〜約１：６０００、約１：５０００〜約１：７０００、約１：５０００〜約１：８０００、約１：５０００〜約１：９０００、約１：５０００〜約１：１００００、約１：６０００〜約１：７０００、約１：６０００〜約１：８０００、約１：６０００〜約１：９０００、約１：６０００〜約１：１００００、約１：７０００〜約１：８０００、約１：７０００〜約１：９０００、約１：７０００〜約１：１００００、約１：８０００〜約１：９０００、約１：８０００〜約１：１００００もしくは約１：９０００〜約１：１００００の植物用薬剤組成物と希釈剤の比である、実施形態１〜３もしくは７〜６３に記載の方法または実施形態４〜６３に記載の使用。
６６．植物用薬剤組成物の有効量が、約０．０００１％、約０．０００２％、約０．０００３％、約０．０００４％、約０．０００５％、約０．０００６％、約０．０００７％、約０．０００８％、約０．０００９％、約０．００１％、約０．００２％、約０．００３％、約０．００４％、約０．００５％、約０．００６％、約０．００７％、約０．００８％、約０．００９％、約０．０１％、約０．０２％、約０．０３％、約０．０４％、約０．０５％、約０．０６％、約０．０７％、約０．０８％、約０．０９％、約０．１％、約０．２％、約０．３％、約０．４％、約０．５％、約０．６％、約０．７％、約０．８％、約０．９％、約１％、約２％、約３％、約４％、約５％、約６％、約７％、約８％、約９％もしくは約１０％；または少なくとも０．０００１％、少なくとも０．０００２％、少なくとも０．０００３％、少なくとも０．０００４％、少なくとも０．０００５％、少なくとも０．０００６％、少なくとも０．０００７％、少なくとも０．０００８％、少なくとも０．０００９％、少なくとも０．００１％、少なくとも０．００２％、少なくとも０．００３％、少なくとも０．００４％、少なくとも０．００５％、少なくとも０．００６％、少なくとも０．００７％、少なくとも０．００８％、少なくとも０．００９％、少なくとも０．０１％、少なくとも０．０２％、少なくとも０．０３％、少なくとも０．０４％、少なくとも０．０５％、少なくとも０．０６％、少なくとも０．０７％、少なくとも０．０８％、少なくとも０．０９％、少なくとも０．１％、少なくとも０．２％、少なくとも０．３％、少なくとも０．４％、少なくとも０．５％、少なくとも０．６％、少なくとも０．７％、少なくとも０．８％、少なくとも０．９％、少なくとも１％、少なくとも２％、少なくとも３％、少なくとも４％、少なくとも５％、少なくとも６％、少なくとも７％、少なくとも８％、少なくとも９％もしくは少なくとも１０％；または最大０．０００１％、最大０．０００２％、最大０．０００３％、最大０．０００４％、最大０．０００５％、最大０．０００６％、最大０．０００７％、最大０．０００８％、最大０．０００９％、最大０．００１％、最大０．００２％、最大０．００３％、最大０．００４％、最大０．００５％、最大０．００６％、最大０．００７％、最大０．００８％、最大０．００９％、最大０．０１％、最大０．０２％、最大０．０３％、最大０．０４％、最大０．０５％、最大０．０６％、最大０．０７％、最大０．０８％、最大０．０９％、最大０．１％、最大０．２％、最大０．３％、最大０．４％、最大０．５％、最大０．６％、最大０．７％、最大０．８％、最大０．９％、最大１％、最大２％、最大３％、最大４％、最大５％、最大６％、最大７％、最大８％、最大９％もしくは最大１０％；または約０．０００１％〜約０．０００５％、約０．０００１％〜約０．００１％、約０．０００１％〜約０．００５％、約０．０００１％〜約０．０１％、約０．０００１％〜約０．０５％、約０．０００１％〜約０．１％、約０．０００１％〜約０．５％、約０．０００１％〜約１％、約０．０００１％〜約５％、約０．０００１％〜約１０％、約０．０００５％〜約０．００１％、約０．０００５％〜約０．００５％、約０．０００５％〜約０．０１％、約０．０００５％〜約０．０５％、約０．０００５％〜約０．１％、約０．０００５％〜約０．５％、約０．０００５％〜約１％、約０．０００５％〜約５％、約０．０００５％〜約１０％、約０．００１％〜約０．００５％、約０．００１％〜約０．０１％、０．００１％〜約０．０５％、約０．００１％〜約０．１％、０．００１％〜約０．５％、０．００１％〜約１％、０．００１％〜約５％、約０．００１％〜約１０％、約０．００５％〜約０．０１％、約０．００５％〜約０．０５％、約０．００５％〜約０．１％、約０．００５％〜約０．５％、約０．００５％〜約１％、約０．００５％〜約５％、約０．００５％〜約１０％、約０．０１％〜約０．０５％、約０．０１％〜約０．１％、約０．０１％〜約０．５％、約０．０１％〜約１％、約０．０１％〜約５％、約０．０１％〜約１０％、約０．０５％〜約０．１％、約０．０５％〜約０．５％、約０．０５％〜約１％、約０．０５％〜約５％、約０．０５％〜約１０％、約０．１％〜約０．５％、約０．１％〜約１％、約０．１％〜約５％、約０．１％〜約１０％、約０．５％〜約１％、約０．５％〜約５％、約０．５％〜約１０％、約１％〜約５％、約１％〜約１０％もしくは約５％〜約１０％の最終濃度である、実施形態１〜３もしくは７〜６５に記載の方法または実施形態４〜６５に記載の使用。
６７．処理済み発酵微生物上清と１つまたは複数の非イオン界面活性剤とを含むか、実質的にこれよりなるか、これよりなるものであり、活性酵素も生存細菌も一切含まず、ｐＨが５．０未満である、植物用薬剤組成物。
６８．処理済み発酵微生物上清が、発酵酵母上清，発酵細菌上清，発酵カビ上清またはその任意の組合せに由来するものである、実施形態６７に記載の植物用薬剤組成物。
６９．発酵酵母上清が、ブレタノミセス属（Ｂｒｅｔｔａｎｏｍｙｃｅｓ）、カンジダ属（Ｃａｎｄｉｄａ）、シバーリンドネラ属（Ｃｙｂｅｒｌｉｎｄｎｅｒａ）、シストフィロバシディウム属（Ｃｙｓｔｏｆｉｌｏｂａｓｉｄｉｕｍ）、デバリオミセス属（Ｄｅｂａｒｙｏｍｙｃｅｓ）、デッケラ属（Ｄｅｋｋｅｒａ）、フサリウム属（Ｆｕｓａｒｉｕｍ）、ゲオトリクム属（Ｇｅｏｔｒｉｃｈｕｍ）、イサチェンキア属（Ｉｓｓａｔｃｈｅｎｋｉａ）、カザクスタニア属（Ｋａｚａｃｈｓｔａｎｉａ）、クロエケラ属（Ｋｌｏｅｃｋｅｒａ）、クリベロミセス属（Ｋｌｕｙｖｅｒｏｍｙｃｅｓ）、レカニシリウム属（Ｌｅｃａｎｉｃｉｌｌｉｕｍ）、ムコール属（Ｍｕｃｏｒ）、ニューロスポラ属（Ｎｅｕｒｏｓｐｏｒａ）、ペディオコッカス属（Ｐｅｄｉｏｃｏｃｃｕｓ）、ペニシリウム属（Ｐｅｎｉｃｉｌｌｉｕｍ）、ピキア属（Ｐｉｃｈｉａ）、リゾプス属（Ｒｈｉｚｏｐｕｓ）、ロドスポリディウム属（Ｒｈｏｄｏｓｐｏｒｉｄｉｕｍ）、ロドトルラ属（Ｒｈｏｄｏｔｏｒｕｌａ）、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、スリコスポロン属（Ｔｈｒｉｃｈｏｓｐｏｒｏｎ）、トルラスポラ属（Ｔｏｒｕｌａｓｐｏｒａ）、トルロプシス属（Ｔｏｒｕｌｏｐｓｉｓ）、バーティシリウム属（Ｖｅｒｔｉｃｉｌｌｉｕｍ）、ヤロウイア属（Ｙａｒｒｏｗｉａ）、ザイゴサッカロミセス属（Ｚｙｇｏｓａｃｃｈａｒｏｍｙｃｅｓ）またはジゴサッカロミセス属（Ｚｙｇｏｔｏｒｕｌａｓｐｏｒａ）に属する酵母種から得られるものである、実施形態６８に記載の植物用薬剤組成物。
７０．発酵酵母上清が、酵母サッカロミセス・セレビシエ（Ｓａｃｃｈａｒｏｍｙｃｅｓ  ｃｅｒｅｖｉｓｉａｅ）から得られるものである、実施形態６９に記載の植物用薬剤組成物。
７１．発酵細菌上清が、アセトバクター属（Ａｃｅｔｏｂａｃｔｅｒ）、アルスロバクター属（Ａｒｔｈｒｏｂａｃｔｅｒ）、アエロコッカス属（Ａｅｒｏｃｏｃｃｕｓ）、バチルス属（Ｂａｃｉｌｌｕｓ）、ビフィドバクテリウム属（Ｂｉｆｉｄｏｂａｃｔｅｒｉｕｍ）、ブラキバクテリウム属（Ｂｒａｃｈｙｂａｃｔｅｒｉｕｍ）、ブレビバクテリウム属（Ｂｒｅｖｉｂａｃｔｅｒｉｕｍ）、バルノバクテリウム属（Ｂａｒｎｏｂａｃｔｅｒｉｕｍ）、カルノバクテリウム属（Ｃａｒｎｏｂａｃｔｅｒｉｕｍ）、コリネバクテリウム属（Ｃｏｒｙｎｅｂａｃｔｅｒｉｕｍ）、エンテロコッカス属（Ｅｎｔｅｒｏｃｏｃｃｕｓ）、エシェリキア属（Ｅｓｃｈｅｒｉｃｈｉａ）、グルコンアセトバクター属（Ｇｌｕｃｏｎａｃｅｔｏｂａｃｔｅｒ）、グルコノバクター属（Ｇｌｕｃｏｎｏｂａｃｔｅｒ）、ハフニア属（Ｈａｆｎｉａ）、ハロモナス属（Ｈａｌｏｍｏｎａｓ）、コクリア属（Ｋｏｃｕｒｉａ）、ラクトバチルス属（Ｌａｃｔｏｂａｃｉｌｌｕｓ）、ラクトコッカス属（Ｌａｃｔｏｃｏｃｃｕｓ）、ロイコノストック属（Ｌｅｕｃｏｎｏｓｔｏｃ）、マクロコッカス属（Ｍａｃｒｏｃｏｃｃｕｓ）、ミクロバクテリウム属（Ｍｉｃｒｏｂａｃｔｅｒｉｕｍ）、ミクロコッカス属（Ｍｉｃｒｏｃｏｃｃｕｓ）、ナイセリア属（Ｎｅｉｓｓｅｒｉａ）、オエノコッカス属（Ｏｅｎｏｃｏｃｃｕｓ）、ペディオコッカス属（Ｐｅｄｉｏｃｏｃｃｕｓ）、プロピオニバクテリウム属（Ｐｒｏｐｉｏｎｉｂａｃｔｅｒｉｕｍ）、プロテウス属（Ｐｒｏｔｅｕｓ）、シュードモナス属（Ｐｓｅｕｄｏｍｏｎａｓ）、サイクロバクター属（Ｐｓｙｃｈｒｏｂａｃｔｅｒ）、サルモネラ属（Ｓａｌｍｏｎｅｌｌａ）、スポロラクトバチルス属（Ｓｐｏｒｏｌａｃｔｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）、ストレプトミセス属（Ｓｔｒｅｐｔｏｍｙｃｅｓ）、テトラジェノコッカス属（Ｔｅｔｒａｇｅｎｏｃｏｃｃｕｓ）、バゴコッカス属（Ｖａｇｏｃｏｃｃｕｓ）、ワイセルス属（Ｗｅｉｓｓｅｌｌｓ）またはザイモモナス属（Ｚｙｍｏｍｏｎａｓ）に属する細菌種から得られるものである、実施形態６８に記載の植物用薬剤組成物。
７２．発酵細菌上清が、アスペルギルス（Ａｓｐｅｒｇｉｌｌｕｓ）属に属する細菌種から得られるものである、実施形態７１に記載の植物用薬剤組成物。
７３．処理済み発酵微生物上清を少なくとも３５重量％含む、実施形態６７〜７２のいずれか１つに記載の植物用薬剤組成物。
７４．処理済み発酵微生物上清を最大５０重量％含む、実施形態６７〜７３のいずれか１つに記載の植物用薬剤組成物。
７５．非イオン界面活性剤が、ポリエーテル系非イオン界面活性剤、ポリヒドロキシル系非イオン界面活性剤および／またはバイオ界面活性剤を含むか、実質的にこれよりなるか、これよりなるものである、実施形態６７〜７４のいずれか１つに記載の植物用薬剤組成物。
７６．ポリヒドロキシル系非イオン界面活性剤が、スクロースエステル、エトキシ化スクロースエステル、ソルビタールエステル、エトキシ化ソルビタールエステル、アルキルグルコシド、エトキシ化アルキルグルコシド、ポリグリセロールエステルまたはエトキシ化ポリグリセロールエステルを含むか、実質的にこれよりなるか、これよりなるものである、実施形態７５に記載の植物用薬剤組成物。
７７．非イオン界面活性剤が、アミンオキシド、エトキシ化アルコール、エトキシ化脂肪族アルコール、アルキルアミン、エトキシ化アルキルアミン、エトキシ化アルキルフェノール、アルキルポリサッカライド、エトキシ化アルキルポリサッカライド、エトキシ化脂肪酸、エトキシ化脂肪アルコールもしくはエトキシ化脂肪アミンあるいは一般式Ｈ（ＯＣＨ２ＣＨ２）ｘＯＣ６Ｈ４Ｒ１、（ＯＣＨ２ＣＨ２）ｘＯＲ２またはＨ（ＯＣＨ２ＣＨ２）ｘＯＣ（Ｏ）Ｒ２を有し、式中、ｘが、アルキルフェノールおよび／または脂肪アルコールもしくは脂肪酸に付加されたエチレンオキシドのモル数を表し、Ｒ１が長鎖アルキル基を表し、Ｒ２が長鎖脂肪族基を表す非イオン界面活性剤を含むか、実質的にこれよりなるか、これよりなるものである、実施形態６７〜７６のいずれか１つに記載の植物用薬剤組成物。
７８．Ｒ１がＣ７〜Ｃ１０ノルマルアルキル基であり、かつ／またはＲ２がＣ１２〜Ｃ２０脂肪族基である、実施形態７７に記載の植物用薬剤組成物。
７９．非イオン界面活性剤が、エトキシ化ノニルフェノール、エトキシ化オクチルフェノール、エトキシ化セト−オレイルアルコール、エトキシ化セト−ステアリルアルコール、エトキシ化デシルアルコール、エトキシ化ドデシルアルコール、エトキシ化トリデシルアルコールまたはエトキシ化ヒマシ油である、実施形態６７〜７８のいずれか１つに記載の植物用薬剤組成物。
８０．１つまたは複数の非イオン界面活性剤を約１重量％〜約１５重量％含む、実施形態６７〜７９のいずれか１つに記載の植物用薬剤組成物。
８２．１つまたは複数の非イオン界面活性剤を約５重量％〜約１３重量％含む、実施形態８０に記載の植物用薬剤組成物。
８３．１つまたは複数の非イオン界面活性剤を約７重量％〜約１１重量％含む、実施形態８１に記載の植物用薬剤組成物。
８４．１つまたは複数の陰イオン界面活性剤をさらに含むか、実質的にこれよりなるか、これよりなるものである、実施形態６７〜８３のいずれか１つに記載の植物用薬剤組成物。
８５．１つまたは複数の陰イオン界面活性剤を約０．５重量％〜約１０重量％含む、実施形態８４に記載の植物用薬剤組成物。
８６．１つまたは複数の陰イオン界面活性剤を約１重量％〜約８重量％含む、実施形態８５に記載の植物用薬剤組成物。
８７．１つまたは複数の陰イオン界面活性剤を約２重量％〜約６重量％含む、実施形態８６に記載の植物用薬剤組成物。
８８．ｐＨが最大４．５である、実施形態６７〜８７のいずれか１つに記載の植物用薬剤組成物。
８９．ｐＨが約３．７〜約４．２である、実施形態８８に記載の植物用薬剤組成物。
９０．ヒト、哺乳動物、植物および環境に対して実質的に無毒性である、実施形態６７〜８９のいずれか１つに記載の植物用薬剤組成物。
９１．生分解性である、実施形態６７〜９０のいずれか１つに記載の植物用薬剤組成物。
９２．植物病害の病原体を防除する方法であって、病原体が寄生した１つもしくは複数の植物に有効量の実施形態６７〜９１のいずれか１つで定められる植物用薬剤組成物を適用することおよび／または病原体が植物用薬剤組成物に曝露されるように１つもしくは複数の場所に有効量の植物用薬剤組成物を適用することを含むか、実質的にこれよりなるか、これよりなり、植物用薬剤組成物の適用により、防除しようとする植物病害の病原体に有害作用がもたらされる、方法。
９３．植物の成長および／または作物の生産を増大させる方法であって、有効量の実施形態６７〜９１のいずれか１つで定められる植物用薬剤組成物を適用することおよび／または植物用薬剤組成物に１つもしくは複数の植物を曝露する１つもしくは複数の場所に有効量の実施形態６７〜９１のいずれか１つで定められる植物用薬剤組成物を適用することを含むか、実質的にこれよりなるか、これよりなり、植物用薬剤組成物の適用により、根毛による吸収の改善、木部を通る木部樹液流の改善および師部での光合成産物流の改善、土壌からの水、ミネラルおよびその他の栄養素の吸収の増大、木部での毛管作用および／または静水圧の増大ならびに／あるいは化合物およびエネルギーの合成の増大ならびに／あるいは木部樹液流および／または光合成産物流を阻害する１つまたは複数の成分の破壊がもたらされる、方法。
９４．灌漑システムの効率を維持または改善する方法であって、灌漑システムのパイプライン網内の１つまたは複数のパイプに有効量の実施形態６７〜９１のいずれか１つで定められる植物用薬剤組成物を適用することを含むか、実質的にこれよりなるか、これよりなり、植物用薬剤組成物の適用により、灌漑システムの１つまたは複数のパイプライン網を阻害する１つまたは複数の成分が十分に除去される、方法。
９５．植物病害の防除への有効量の実施形態６７〜９１のいずれか１つで定められる植物用薬剤組成物の使用。
９６．植物の成長および／または作物の生産の増大への有効量の実施形態６７〜９１のいずれか１つで定められる植物用薬剤組成物の使用。
９７．灌漑システムの効率の維持または改善への有効量の実施形態６７〜９１のいずれか１つで定められる植物用薬剤組成物の使用。
９８．植物病害が、炭疽病、胴枯病、潰瘍病、根瘤病、立ち枯病、ゴール、平もち病、斑点病、うどんこ病、かび病、モザイクウイルス病、腐敗病、さび病、黒星病、黒穂病、萎凋病またはその任意の組合せである、実施形態１、７〜３６もしくは６２〜６６に記載の方法または実施形態４、７〜３６もしくは６２〜６６に記載の使用。
９９．病原体が、ウイルス病原体、細菌病原体、真菌病原体、センチュウ病原体またはその任意の組合せである、実施形態１、７〜３６、６２〜６６もしくは９８に記載の方法または実施形態４、７〜３６、６２〜６６もしくは９８に記載の使用。
【０１４６】
（実施例）
以下の非限定的な実施例は、現時点で企図される代表的な実施形態をさらに十全に理解できるよう単に例示を目的として記載するものである。これらの実施例は、本明細書に開示される植物用薬剤組成物または方法もしくは使用に関するものを含め、本明細書に記載されるいずれの実施形態も制限するものではないと解釈されるべきである。
【０１４７】
実施例１
処理済み発酵酵母上清の調製１
処理済み発酵酵母上清を調製するため、大型のジャケット付混合釜に温度が約２９℃〜約３８℃の温水約１，０００Ｌを入れた発酵反応を仕込む。この水に黒い未処理甘蔗糖蜜約８４．９ｋｇ、甘蔗原料糖約２５．２ｋｇおよび硫酸マグネシウム約１．２ｋｇを加えた。混合物を十分に混ぜ合わせた後、糖化性麦芽約１１．４ｋｇおよびパン酵母約１．２ｋｇを加え、少し攪拌した。混合物を約２６℃〜約４２℃で約３日間インキュベートすると、実質的に発酵が完了したことを示す発泡反応の消失がみられる。発酵終了時、酵母発酵組成物を遠心分離して、発酵過程で形成された「スラッジ」を除去する。得られた発酵上清（約９８．５９重量％）を収集し、オートクレーブ処理により滅菌した。次いで、処理済み発酵酵母上清を液体形態で保管して、のちに使用することができる。あるいは、処理済み発酵酵母上清を当該技術分野で公知の方法により噴霧乾燥させて乾燥粉末を作製することができる。乾燥粉末形態も、保管してのちに使用することができる。
【０１４８】
実施例２
処理済み酵母上清の調製２
処理済み発酵酵母上清を調製するため、大型のジャケット付混合釜に温度が約２９℃〜約３８℃の温水約１，０００Ｌを入れた発酵反応を仕込む。この水に黒い未処理甘蔗糖蜜約４２．５ｋｇ、甘蔗原料糖約１２．６ｋｇおよび硫酸マグネシウム約１．２ｋｇを加えた。混合物を十分に混ぜ合わせた後、糖化性麦芽約１０．３ｋｇおよびパン酵母約１．２ｋｇを加え、少し攪拌した。混合物を約２６℃〜約４２℃で約３日間インキュベートすると、実質的に発酵が完了したことを示す発泡反応の消失がみられる。発酵終了時、酵母発酵培養物を遠心分離して、発酵過程で形成された「スラッジ」を除去する。得られた発酵上清（約９８．５９重量％）を収集し、オートクレーブにより処理した。次いで、処理済み発酵酵母上清を液体形態で保管して、のちに使用することができる。あるいは、処理済み発酵酵母上清を当該技術分野で公知の方法により噴霧乾燥させて乾燥粉末を作製することができる。乾燥粉末形態も、保管してのちに使用することができる。
【０１４９】
実施例３
処理済み酵母上清の調製３
処理済み発酵酵母上清を調製するため、大型のジャケット付混合釜に温度が約２９℃〜約３８℃の温水約１，０００Ｌを入れた発酵反応を仕込む。この水に黒い未処理甘蔗糖蜜約２１．３ｋｇ、甘蔗原料糖約６．３ｋｇおよび硫酸マグネシウム約１．２ｋｇを加えた。混合物を十分に混ぜ合わせた後、糖化性麦芽約９．３ｋｇおよびパン酵母約１．２ｋｇを加え、少し攪拌した。混合物を約２６℃〜約４２℃で約３日間インキュベートすると、実質的に発酵が完了したことを示す発泡反応の消失がみられる。発酵終了時、酵母発酵培養物を遠心分離して、発酵過程で形成された「スラッジ」を除去する。得られた発酵上清（約９８．５９重量％）を収集し、オートクレーブにより処理した。次いで、処理済み発酵酵母上清を液体形態で保管して、のちに使用することができる。あるいは、処理済み発酵酵母上清を当該技術分野で公知の方法により噴霧乾燥させて乾燥粉末を作製することができる。乾燥粉末形態も、保管してのちに使用することができる。
【０１５０】
実施例４
植物用薬剤組成物の調製
植物用薬剤組成物を調整するため、大型のジャケット付混合釜に入った処理済み発酵酵母上清１，０００Ｌに高温の滅菌水（約６０℃〜約６５℃）１，０００Ｌを加えた。この混合物に直鎖第二級アルコールエトキシラートのＴＥＲＧＩＴＯＬ（商標）１５−Ｓ−７約１６８．８ｋｇ、直鎖第二級アルコールエトキシラートのＴＥＲＧＩＴＯＬ（商標）１５−Ｓ−５約１６８．８ｋｇ、アルキルジフェニルオキシド二硫酸塩のＤＯＷＦＡＸ（商標）２Ａ１約６７．５ｋｇおよびリン酸ポリエーテルエステルのＴＲＩＴＯＮ（商標）Ｈ−６６約６７．５ｋｇを加えた。この混合物を溶液になるまで十分に混ぜ合わせた。次いで、水を加えて体積を約４，５００Ｌとし、完全に混ざり合うまで攪拌した。得られた植物用薬剤組成物のｐＨをリン酸で約３．７〜約４．２に調整した。次いで、ｐＨ調整済み植物用薬剤組成物をろ過滅菌して、あらゆる微生物汚染を除去した。
【０１５１】
この組成物は、皮膚組織に対して刺激性がなく無毒性であることが明らかになり、数か月間にわたって、認識可能な効果の減少も劣化も一切なく冷所保管が可能であった。
【０１５２】
ＤＯＷＦＡＸ（商標）２Ａ１は、陰イオン性のバイオ界面活性剤、例えばラウリル硫酸アンモニウムのＳＴＥＰＯＮＯＬ（登録商標）ＡＭ３０−ＫＥ、２−エチルヘキシル硫酸ナトリウムのＳＴＥＰＯＮＯＬ（登録商標）ＥＨＳまたはその組合せなどに置き換えることができる。
【０１５３】
任意選択で、得られた植物用薬剤組成物を次いで約１重量％の安息香酸ナトリウム、約０．０１重量％のイミダゾリジニル尿素、約０．１５重量％のジアゾリジニル尿素、約０．２５重量％の塩化カルシウムなどの保存剤または安定剤と混合してもよい。継続的に攪拌しながら、安息香酸ナトリウム、イミダゾリジニル尿素、ジアゾリジニル尿素および塩化カルシウムを加える。次いで、混合物の温度を４０℃まで徐々に上昇させ、混合物を継続的に攪拌する。混合物の全成分が確実に溶解するよう温度を約１時間、約４０℃に維持する。次いで、混合物を約２０℃〜約２５℃に冷却する。得られた植物用薬剤組成物のｐＨをリン酸で約３．７〜約４．２に調整した。次いで、ｐＨ調整済みの植物用薬剤組成物をろ過滅菌して、あらゆる微生物汚染を除去した。
【０１５４】
実施例５
植物用薬剤組成物の調製
植物用薬剤組成物を調製するため、大型のジャケット付混合釜に高温の滅菌水（約６０℃〜約６５℃）８５０Ｌを入れた。この水に処理済み発酵酵母上清の乾燥粉末約７．６２ｇ、直鎖第二級アルコールエトキシラートのＴＥＲＧＩＴＯＬ（商標）１５−Ｓ−７約３７．５ｋｇ、直鎖第二級アルコールエトキシラートのＴＥＲＧＩＴＯＬ（商標）１５−Ｓ−５約３７．５ｋｇ、アルキルジフェニルオキシド二硫酸塩のＤＯＷＦＡＸ（商標）２Ａ１約１５．０ｋｇおよびリン酸ポリエーテルエステルのＴＲＩＴＯＮ（商標）Ｈ−６６約２５．０ｋｇを加えた。この混合物を溶液になるまで十分に混ぜ合わせた。次いで、水を加えて体積を約１，０００Ｌとし、完全に混ざり合うまで攪拌した。得られた植物用薬剤組成物のｐＨをリン酸で約３．７〜約４．２に調整した。次いで、ｐＨ調整済み植物用薬剤組成物をろ過滅菌して、あらゆる微生物汚染を除去した。
【０１５５】
任意選択で、得られた植物用薬剤組成物を次いで約１重量％の安息香酸ナトリウム、約０．０１重量％のイミダゾリジニル尿素、約０．１５重量％のジアゾリジニル尿素、約０．２５重量％の塩化カルシウムなどの保存剤または安定剤と混合してもよい。継続的に攪拌しながら、安息香酸ナトリウム、イミダゾリジニル尿素、ジアゾリジニル尿素および塩化カルシウムを加える。次いで、混合物の温度を４０℃まで徐々に上昇させ、混合物を継続的に攪拌する。混合物の全成分が確実に溶解するよう温度を約１時間、約４０℃に維持する。次いで、混合物を約２０℃〜約２５℃に冷却する。得られた植物用薬剤組成物のｐＨをリン酸で約３．７〜約４．２に調整した。次いで、ｐＨ調整済みの植物用薬剤組成物をろ過滅菌して、あらゆる微生物汚染を除去した。
【０１５６】
この組成物は、皮膚組織に対して刺激性がなく無毒性であることが明らかになり、数か月間にわたって、認識可能な効果の減少も劣化も一切なく冷所保管が可能であった。
【０１５７】
ＤＯＷＦＡＸ（商標）２Ａ１は、陰イオン性のバイオ界面活性剤、例えばラウリル硫酸アンモニウムのＳＴＥＰＯＮＯＬ（登録商標）ＡＭ３０−ＫＥ、２−エチルヘキシル硫酸ナトリウムのＳＴＥＰＯＮＯＬ（登録商標）ＥＨＳまたはその組合せなどに置き換えることができる。
【０１５８】
実施例１〜３に開示した処理済み発酵酵母上清の乾燥粉末に代えて、例えばＴＡＳＴＯＮＥ（登録商標）１５４、ＴＡＳＴＯＮＥ（登録商標）２１０またはＴＡＳＴＯＮＥ（登録商標）９００を含めた市販の処理済み発酵酵母上清の乾燥粉末を使用することができる。
【０１５９】
実施例６
イネを用いた試験
この実施例は、イネの植物体成長および穀粒生産に対する本明細書に開示される植物用薬剤組成物の効果を示すものである。
【０１６０】
１つの試験では、イネの種子発芽、苗丈および根長に対する本明細書に開示される植物用薬剤組成物の効果を評価した。イネ品種Ｏｒｙｚｉｃａ  １の種子を種子１００個からなる３つのグループに分け、袋に入れ、袋を以下の溶液：１）蒸留水（対照）；２）本明細書に開示される植物用薬剤組成物（処理済み発酵上清９２％と界面活性剤８％）の２％溶液；および３）本明細書に開示される植物用薬剤組成物（処理済み発酵上清９０％と界面活性剤１０％）の２％溶液のうちの１つに浸漬することによって各グループを２分間前処理した。処理済み種子を無菌砂に播き、次いでソイルグローワ―（ｓｏｉｌ  ｇｒｏｗｅｒ）に７〜１０日間置き、発芽させた。発芽率、苗丈および根長を求めることにより発芽効果を評価した。この試験を４回実施した。その結果から、イネ種子品種Ｏｒｙｚｉｃａ  １の種子を処理しても、測定した変数、すなわち発芽率、苗丈および根長に差はみられないことがわかった。
【０１６１】
別の試験では、イネ苗の成長に対する本明細書に開示される植物用薬剤組成物の効果を評価した。イネ品種Ｏｒｙｚｉｃａ  １の苗を苗２０本からなるグループに分け、予め滅菌しイネの良好な発育に必要な栄養量を満たすよう適切に施肥した土壌を入れたプランターに移植した。苗を５つのプランターからなる３つのグループに分けた。苗を２０日間、３種類のうちの１つの溶液２ｍＬで連日処理した。グループ１を蒸留水（対照）で処理し；グループ２を本明細書に開示される植物用薬剤組成物（処理済み発酵上清９２％と界面活性剤８％）の２％溶液で処理し；グループ３を本明細書に開示される植物用薬剤組成物（処理済み発酵上清９０％と界面活性剤１０％）の２％溶液で処理した。２０日にわたる期間の終了時、苗丈、茎生産量および穀粒収量に関するデータを得た。
【０１６２】
結果から、処理群１および２に対照群１と比較して有意な改善がみられることがわかった。例えば、１つの評価Ｉ、円錐花序（ばらけて枝分かれした花の房）成長に対する茎成長の比。対照群１は、茎／円錐花序比（１５．４／１２．２）が大きく、極めて短い円錐花序を有する長い茎が多く、穀粒生産量が少ないことがわかった。処理群１および処理群２はこれよりも茎／円錐花序比が好ましいものであり（それぞれ１０．４／７．４および１２．２／１０．２）、高い穀粒収量が得られる。処理群２は処理群１よりも茎／円錐花序比が優れており、十分な円錐花序を有する長い茎が得られることがわかった。さらに、得られた円錐花序のうち、対照群１には空の穀粒（米粒で埋まっていない）が１３．５％含まれており、このことは不稔であることを示している。処理群２には空の穀粒が６．４％であり、処理群３は空の穀粒が３．９％であった。このように、本明細書に開示される植物用薬剤組成物で処理することにより植物の不稔性が減少した。さらに、１植物体当たりの穀粒については、処理群２では対照群１と比較して１４％多く生産され、処理群３では対照群１と比較して６４％多く生産された。さらに、根の成長については、処理群２では対照群１と比較して５５％の増大がみられ、処理群３では対照群１と比較して１０４％の増大がみられた。以上をまとめると、本明細書に開示される植物用薬剤組成物の２％溶液でイネ植物を処理したところ、有意な利益が観察された。
【０１６３】
実施例７
トマトを用いた試験
この実施例は、トマトの植物体成長および果実生産に対する本明細書に開示される植物用薬剤組成物の効果を示すものである。
【０１６４】
トマト苗を温室にて砂４０％と有機堆肥６０％とからなる土壌で栽培した。化学肥料も尿素も使用しなかったが、ウシ堆厩肥を適用した。トマト苗を２つのグループに分けた。対照群には、蒸留水（対照）を６か月間、連日点滴灌漑する苗を含めた。処理群には、本明細書に開示される植物用薬剤組成物（処理済み発酵上清９０％と界面活性剤１０％）の１：４００希釈物を点滴灌漑する苗を含めた。６か月間にわたり月１回、植物を評価した。植物体成長および果実生産を評価した。
【０１６５】
結果から、処理群に対照群と比較して有意な改善がみられることがわかった。例えば、処理群の植物は、６か月の期間全体を通じて対照群よりも強く頑丈であった。さらに、この試験での対照群の死亡率は３０％であったが、処理群は１００％の生存率を示した。さらに、処理群の植物では５か月間、なおも開花および結実が見られたが、対照群では３か月後に開花および結実が停止した。最後に、処理群の最終作物収量は対照群の収量の２倍を上回った。例えば、対照群ではトマトが７２０Ｋｇ得られたが、処理群ではトマトが１，７１５Ｋｇ得られた。以上をまとめると、本明細書に開示される植物用薬剤組成物の２％溶液でトマト植物を処理したところ、有意な利益が観察された。
【０１６６】
同様の試験をパセリで実施した。結果は、本明細書に開示される植物用薬剤組成物の２％溶液で処理した処理群から、蒸留水で処理した対照群の５倍のパセリが収穫できることを示していた。
【０１６７】
同様の試験をナスで実施した。結果は、本明細書に開示される植物用薬剤組成物の２％溶液で処理した処理群から、蒸留水で処理した対照群よりも２８％多くナスが収穫できることを示していた。
【０１６８】
実施例８
オリーブ樹を用いた試験
この実施例は、オリーブ樹の成長および果実生産に対する本明細書に開示される植物用薬剤組成物の効果を示すものである。
【０１６９】
果樹園で栽培しているオリーブ樹を２つのグループに分けた。対照群の樹には、蒸留水（対照）を２シーズンにわたって点滴灌漑した。処理群には、本明細書に開示される植物用薬剤組成物（処理済み発酵上清９０％と界面活性剤１０％）の１：４００希釈物を２シーズンにわたって点滴灌漑した。試験期間中、植物を月１回評価した。植物体成長および果実生産を評価した。
【０１７０】
結果から、処理群に対照群と比較して有意な改善がみられることがわかった。例えば、処理群では、対照群よりも約３５％〜約４０％多くオリーブが得られた。さらに驚くべきことに、対照群が１年置きに結実したのに対し、処理群のオリーブ樹は毎年結実した。最後に、油、特にフェノール類の風味が増強され、したがって、処理群ではオリーブ樹の油の風味または品質が対照群と比較して改善されていた。
【０１７１】
本明細書に開示される植物用薬剤組成物の１：１０００希釈物を用いてさらに試験を実施したところ、ほぼ同じ結果が得られた。
【０１７２】
クルミ樹およびアーモンド樹でもほぼ同じ結果が観察された。
【０１７３】
実施例９
タバコを用いた試験
この実施例は、タバコの成長および果実生産に対する本明細書に開示される植物用薬剤組成物の効果を示すものである。
【０１７４】
タバコ苗を畑で栽培した。タバコ苗を２つのグループに分けた。対照群には、蒸留水（対照）を６か月間にわたって連日点滴灌漑する苗を含めた。処理群には、本明細書に開示される植物用薬剤組成物（処理済み発酵上清９０％と界面活性剤１０％）の１：４００希釈物を点滴灌漑する苗を含めた。畑に移植した後、処理群には、本明細書に開示される植物用薬剤組成物の１：８００希釈物を点滴灌漑する苗を含めた。６か月間にわたり月１回、植物を評価した。植物体成長および果実生産を評価した。
【０１７５】
結果から、処理群に対照群と比較して有意な改善がみられることがわかった。例えば、処理群のタバコ作物は、対照群と比較して成長量が約４０％〜約５０％多かった。さらに、処理群のタバコ作物の方が、根の成長量が大きく、苗の生存率が高かった。
【０１７６】
温室内で試験を実施したものの、大麻でもほぼ同じ結果が観察された。
【０１７７】
実施例１０
植物病害に関する試験
この実施例は、本明細書に開示される病原体を原因とする植物病害の処置に対する本明細書に開示される植物用薬剤組成物の効果を示すものである。
【０１７８】
噴霧ボトルを用いて、真菌の寄生を原因とする斑点病を有するバラを本明細書に開示される植物用薬剤組成物の１：２００希釈物で処置した。１〜２週間後、真菌の寄生はみられなくなった。
【０１７９】
点滴灌漑システムを用いて、真菌の寄生を原因とする胴枯病を有するオリーブ樹を本明細書に開示される植物用薬剤組成物の１：１０００希釈物で処置した。１〜２週間後、真菌の寄生はみられなくなった。
【０１８０】
点滴灌漑システムを用いて、細菌の寄生を原因とする胴枯病を有するオリーブ樹を本明細書に開示される植物用薬剤組成物の１：１０００希釈物で処置した。１〜２週間後、細菌の寄生はみられなくなった。
【０１８１】
最後に、本明細書の諸態様は具体的な実施形態を参照することにより明らかにされているが、当業者にはこれらの開示される実施形態が本明細書に開示される主題の原理を単に例示したものにすぎないことが理解されることを理解するべきである。したがって、本開示の主題は、特に明記されない限り、本明細書に記載される特定の化合物、組成物、物品、装置、方法論、プロトコルおよび／または試薬などに決して限定されるわけではないことを理解するべきである。さらに、当業者には、本明細書の教示に従って、本明細書の趣旨に逸脱することなく特定の変更、修正、並べ替え、改変、追加、控除およびそのサブコンビネーションを施し得ることが理解されよう。したがって、のちの添付の「特許請求の範囲」およびそれ以降に挿入される請求項には、そのような変更、修正、並べ替え、改変、追加、控除およびサブコンビネーションがいずれもその真の趣旨および範囲内にあるものとして含まれるものと解釈されるものとする。
【０１８２】
本明細書には、本発明を実施するうえで本発明者らの知る最良の形態を含めた本発明の特定の実施形態が記載されている。当然のことながら、当業者が上記の記載を読めば、これらの記載されている実施形態に対する変形形態が明らかになるであろう。本発明者は、当業者が必要に応じてそのような変形形態を用いることを予想するほか、本発明が本明細書に具体的に記載されるもの以外の方法で実施されることを意図する。したがって、本発明には、本明細書に添付される「特許請求の範囲」に記載される主題に関して準拠法によって認められる修正形態および均等物がすべて含まれる。さらに、本明細書に別途明示されるか、文脈に矛盾することが明らかである場合を除き、上記の実施形態を考え得る様々な形で任意に組み合わせたものが本発明に包含される。
【０１８３】
本発明の代替的な実施形態、要素または段階のグループ分けは限定的なものとして解釈されるべきではない。グループのメンバーはそれぞれ、個別に、または本明細書に開示される他のグループのメンバーと任意に組み合わさって、言及または特許請求され得る。利便性および／または特許性を理由に、あるグループの１つまたは複数のメンバーがグループに包含されるか、グループから削除され得ることが予想される。このような包含または削除がある場合、本明細書は、そのグループを修正されたものとして、したがって、添付の「特許請求の範囲」に用いられるあらゆるマーカッシュ群の記載を満たすものとして含むと見なされる。
【０１８４】
特に明示されない限り、本明細書および請求項で使用され、特徴、項目、量、パラメータ、特性、期間などを表す数値はいずれも、すべての場合において「約」という用語によって修正されるものと理解されるべきである。本明細書で使用される「約」という用語は、そのように修飾された特徴、項目、量、パラメータ、特性または期間が、記載される特徴、項目、量、パラメータ、特性または期間の数値の上下１０パーセントの範囲までを包含することを意味する。したがって、別途明示されない限り、本明細書および添付の「特許請求の範囲」に記載される数値パラメータは、変化し得る近似値である。例えば、質量分析機器では、所与の分析物の質量を決定する際にごくわずかな差がみられることがあるため、イオンの質量またはイオンの質量／電荷比と関連して用いられる「約」という用語は、＋／−０．５０原子質量単位を指す。少なくとも、また請求項の範囲への均等論の適用を制限することを試みるものではないが、各記載数値は少なくとも、報告される有効桁数を考慮に入れ、通常の丸め法を適用することによって解釈されるべきである。
【０１８５】
実施形態または実施形態の態様に関連して「ｍａｙ（〜し得る、〜であってよい）」または「ｃａｎ（〜し得る、〜することができる、〜であってよい）」という用語が使用される場合、「ｍａｙ  ｎｏｔ」または「ｃａｎｎｏｔ」というもう１つの意味もそれに付随する。したがって、本明細書が、ある実施形態または実施形態の態様が本発明の主題の一部として含まれ得ることを開示する場合、同時に、消極的限定または排他的条件も明確に意味し、ある実施形態または実施形態の態様が本発明の主題の一部としては含まれ得ないことを意味する。同様に、実施形態または実施形態の態様に関連して「任意選択で」という用語は使用される場合、そのような実施形態または実施形態の態様が、本発明の主題の一部として含まれ得るか、本発明の主題の一部としては含まれ得ないことを意味する。このような消極的限定または排他的条件が適用されるかどうかは、特許請求される主題にその消極的限定または排他的条件が記載されるかどうかに基づく。
【０１８６】
本発明の広い範囲を記載する数値範囲および数値は近似値であるが、具体例に記載される数値範囲および数値は、可能な限り正確に報告したものである。しかし、いかなる数値範囲または数値にも本来、それぞれの試験測定にみられる標準偏差から必然的に生じる何らかの誤差が含まれる。本明細書に数値の範囲が記載される場合、それは、その範囲内に収まる別個の数値に個別に言及するのを省略する方法の１つとしての役割を果たしているにすぎない。本明細書に特に明示されない限り、数値範囲の個々の数値は、それが個別に本明細書に記載された場合と同様に本明細書に組み込まれる。
【０１８７】
本発明の記載に関連して（特に、のちの請求項に関連して）使用される「ａ」、「ａｎ」および「ｔｈｅ」という用語ならびにこれと同様の指示語は、本明細書に別途明示されるか、文脈に矛盾することが明らかである場合を除き、単数および複数をともに包含するものとして解釈されるべきである。さらに、記載される要素の順序を示す語、例えば「第一」、「第二」、「第三」などは、特に明記されない限り、要素同士を区別するために使用されるものであって、その数の要素が必要とされる、またはそれに限定されることを明示するものでも暗示するものでもなく、また、そのような要素の特定の位置も順序も示すものではない。本明細書に記載される方法はいずれも、本明細書に別途明示されるか、文脈に矛盾することが明らかである場合を除き、任意の適切な順序で実施することができる。本明細書に記載されるあらゆる例または例示的語句（例えば、「など」）の使用は、単に本発明の理解を容易にすることを意図するものであって、別途特許請求される本発明の範囲を限定するものではない。本明細書で用いられる語句はいずれも、本発明の実施に不可欠であり特許請求されない何らかの要素を示すものとして解釈されるべきではない。
【０１８８】
オープンエンドな移行語「ｃｏｍｐｒｉｓｉｎｇ（〜を含む）」（ならびにｉｎｃｌｕｄｉｎｇ（含む）、ｃｏｎｔａｉｎｉｎｇ（含む）およびｈａｖｉｎｇ（有する）など、これに相当するオープンエンドな移行句）が、出願されたものであるか補正により追加されたものであるかを問わず請求項で使用される場合、それには、明記されるあらゆる要素、限定、段階および／または特徴が単独で、または未記載の主題と組み合わさって包含され、その指定の要素、限定および／または特徴は不可欠なものであるが、それ以外の指定されない要素、限定および／または特徴は、それを加えてもなお、請求項の範囲内の構築物を形成し得るものである。本明細書に開示される特定の実施形態は、請求項において「ｃｏｍｐｒｉｓｉｎｇ」の代わりにまたはその補正としてクローズドエンドな移行句「ｃｏｎｓｉｓｔｉｎｇ  ｏｆ（〜からなる）」または「ｃｏｎｓｉｓｔｉｎｇ  ｅｓｓｅｎｔｉａｌｌｙ  ｏｆ（〜から実質的になる）」を使用することによって、さらに限定され得る。クローズドエンドな移行句「ｃｏｎｓｉｓｔｉｎｇ  ｏｆ」が、出願されたものであるか補正により追加されたものであるかを問わず請求項で使用される場合、それは、請求項に明記されない要素、限定、段階または特徴を一切除外するものである。クローズドエンドな移行句「ｃｏｎｓｉｓｔｉｎｇ  ｅｓｓｅｎｔｉａｌｌｙ  ｏｆ」は、請求項の範囲を、明記される要素、限定、段階および／または特徴のほか、特許請求される主題の基礎をなす新規な特徴（１つまたは複数）に実質的に影響を及ぼさない他の任意の要素、限定、段階および／または特徴に限定するものである。したがって、オープンエンドな移行句「ｃｏｍｐｒｉｓｉｎｇ」の意味は、具体的に記載される要素、限定、段階および／または特徴のほかにも、明記されない任意選択の追加の要素、限定、段階および／または特徴をすべて包含するものと定義される。クローズドエンドな移行句「ｃｏｎｓｉｓｔｉｎｇ  ｏｆ」の意味は、請求項に具体的に記載される要素、限定、段階および／または特徴のみを含むものと定義されるのに対し、クローズドエンドな移行句「ｃｏｎｓｉｓｔｉｎｇ  ｅｓｓｅｎｔｉａｌｌｙ  ｏｆ」の意味は、請求項に具体的に記載される要素、限定、段階および／または特徴ならびに特許請求される主題の基礎となる新規な特徴（１つまたは複数）に実質的に影響を及ぼさない要素、限定、段階および／または特徴のみを含むものと定義される。したがって、オープンエンドな移行句「ｃｏｍｐｒｉｓｉｎｇ」（およびこれに相当するオープンエンドな移行句）の意味には、限定する場合として、クローズドエンドな移行句「ｃｏｎｓｉｓｔｉｎｇ  ｏｆ」または「ｃｏｎｓｉｓｔｉｎｇ  ｅｓｓｅｎｔｉａｌｌｙ  ｏｆ」によって明記され特許請求される主題が含まれる。したがって、語句「ｃｏｍｐｒｉｓｉｎｇ」を用いて本明細書に記載されるか、そのように特許請求される実施形態は、明示的にまたは本質的に、句「ｃｏｎｓｉｓｔｉｎｇ  ｅｓｓｅｎｔｉａｌｌｙ  ｏｆ」および「ｃｏｎｓｉｓｔｉｎｇ  ｏｆ」に関して明確に記載され、効力を有し、支持されるものである。
【０１８９】
本明細書で参照および確認される特許、特許公開および他の刊行物はいずれも、例えば、そのような刊行物に記載され本発明と関連して用いられ得る組成物および方法論を記載および開示する目的で、個別にかつ明示的にその全体が参照により本明細書に組み込まれる。これらの刊行物は、単に本願の出願日よりも前に開示されたという理由で記載されるものである。これに関して、いかなる点においても、先行発明であることなどを理由に本発明者らがそのような開示に先行する権利がないことを認めるものと解釈されるべきではない。これらの文献の日付に関する記載または内容に関する説明はいずれも、本出願者らに入手可能な情報に基づくものであり、これらの文献の日付または内容の正確さに関する承認となるものではない。
【０１９０】
最後に、本明細書で使用される用語は、特定の実施形態の記載のみを目的とするものであり、請求項によってのみ定められる本発明の範囲を限定することを意図するものではない。したがって、本発明は、図示および記載される通りのものに正確に限定されるわけではない。
【国際調査報告】
2018525445.tif 000002
2018525445.tif 000003